(57)【特許請求の範囲】
【請求項１】
画像形成に用いられる現像剤を収容する粉体収容部と、
該粉体収容部に収容された前記現像剤を排出すべく前記粉体収容部に設けられた粉体排出口と、
該粉体排出口を開閉するシャッタ機構と、を備え、
該シャッタ機構は、前記粉体排出口を塞ぐ封止位置と前記粉体排出口を開放する開放位置との間で移動可能であり、前記封止位置での固定を解除すべく押される固定解除部が設けられた第１シャッタと、
前記固定解除部との干渉が可能な解除操作突起を有し、該解除操作突起を前記固定解除部に干渉させることなく前記固定解除部を覆う被覆位置と前記解除操作突起で前記固定解除部を押す解除操作位置との間で移動可能な第２シャッタと、を有することを特徴とする粉体収納容器。
【請求項２】
前記第２シャッタは、前記被覆位置において、前記第１シャッタ全体を覆う大きさ寸法であることを特徴とする請求項１に記載の粉体収納容器。
【請求項３】
前記第１シャッタは、前記粉体収容部における前記粉体排出口が設けられた一側面と平行な平板状を呈し、前記封止位置と前記開放位置との移動方向が前記一側面と平行な直線上に設定され、
前記第２シャッタは、前記一側面と平行な平板状を呈し、前記被覆位置と前記解除操作位置との移動方向が前記第１シャッタの移動方向と平行とされ、
前記第１シャッタおよび前記第２シャッタの移動方向は、設定された装着方向と平行とされていることを特徴とする請求項１または請求項２に記載の粉体収納容器。
【請求項４】
前記第１シャッタは、前記一側面から突出された固定突起に移動方向で当たる固定片部を有し、
前記固定解除部は、前記固定片部から前記第２シャッタへ向けて突出されて形成され、前記解除操作突起で押されると前記固定突起に当たらない位置まで前記固定片部を変位させることを特徴とする請求項３に記載の粉体収納容器。
【請求項５】
前記第２シャッタは、前記被覆位置において、前記封止位置の前記第１シャッタにおける移動方向と直交する両側面側から該各側面と干渉可能に前記第１シャッタを挟み込む弾性変形可能な一対の腕部を有し、
該両腕部には、前記第１シャッタとは反対側に突出する引掛片部分が設けられ、
前記第２シャッタでは、前記各腕部が前記各側面と干渉していないと前記引掛片部分を前記各腕部から外側に突出させることなく、前記各腕部が前記各側面に干渉して変形することで前記引掛片部分を前記各腕部から外側に突出させることを特徴とする請求項３または請求項４に記載の粉体収納容器。
【請求項６】
請求項３から請求項５のいずれか１項に記載の粉体収納容器から前記現像剤が補給される粉体補給装置であって、
前記粉体収納容器の装着を可能とし前記現像剤の供給のための粉体補給口が設けられた容器固定部を備え、
該容器固定部は、前記封止位置の前記第１シャッタを受け入れることのできる第１受入凹所と、前記被覆位置の前記第２シャッタを受け入れることのできる第２受入凹所と、前記粉体補給口が設けられる粉体補給口部と、を有し、
前記粉体補給口部と前記第１受入凹所とは、前記粉体収納容器の装着方向で、前記粉体収納容器と干渉することなく前記第１シャッタと干渉する第１段部を形成し、
前記第１受入凹所と前記第２受入凹所とは、前記粉体収納容器の装着方向で、前記粉体収納容器および前記第１シャッタと干渉することなく前記第２シャッタと干渉する第２段部を形成していることを特徴とする粉体補給装置。
【請求項７】
前記容器固定部は、前記第１段部と干渉する位置で前記第１シャッタを固定する固定爪部を有することを特徴とする請求項６に記載の粉体補給装置。
【請求項８】
請求項５に記載の粉体収納容器から前記現像剤が補給される粉体補給装置であって、
前記粉体収納容器の装着を可能とし前記現像剤の供給のための粉体補給口が設けられた容器固定部を備え、
該容器固定部は、前記封止位置の前記第１シャッタを受け入れることのできる第１受入凹所と、前記被覆位置の前記第２シャッタを受け入れることのできる第２受入凹所と、前記粉体補給口が設けられる粉体補給口部と、を有し、
前記粉体補給口部と前記第１受入凹所とは、前記粉体収納容器の装着方向で、前記粉体収納容器と干渉することなく前記第１シャッタと干渉する第１段部を形成し、
前記第１受入凹所と前記第２受入凹所とは、前記粉体収納容器の装着方向で、前記粉体収納容器および前記第１シャッタと干渉することなく前記第２シャッタと干渉する第２段部を形成し、
前記第２受入凹所には、前記第２シャッタの前記各腕部が前記第１シャッタの前記各側面に干渉して変形することで前記各腕部から外側に突出された前記第２シャッタの前記引掛片部分を受け入れることにより、前記粉体収納容器の装着方向とは反対側で前記引掛片部分と干渉する固定溝部が設けられていることを特徴とする粉体補給装置。
【請求項９】
請求項６から請求項８のいずれか１項に記載の粉体補給装置が搭載されていることを特徴とする画像形成装置。
【発明の詳細な説明】
【技術分野】
【０００１】
本発明は、複写機、プリンタ、ファクシミリまたはそれらの複合機等の画像形成装置に補給される現像剤を収容する粉体収納容器、その粉体収納容器から現像剤を補給する粉体補給装置、およびそれが搭載される画像形成装置に関する。
【背景技術】
【０００２】
画像形成装置では、潜像担持体に形成された静電潜像を、現像剤としてトナーを用いた現像装置で可視像化することにより画像形成を行うものが知られている。このような画像形成装置では、画像形成に伴って現像装置内のトナーが消費される。このため、この画像形成装置では、現像装置へとトナーを補給するために、トナーを収容した粉体収納容器としてのトナー容器を用いることが考えられている。
【０００３】
このようなトナー容器では、トナーを補給するためのトナー排出口（粉体排出口）が設けられ、そのトナー排出口をそこに対してスライド移動可能なシャッタ部材で塞ぐ構成とされたものが知られている（特許文献１参照）。この粉体収納容器では、シャッタ部材がトナー排出口を塞ぐ位置となると、そのシャッタ部材に設けられたストッパをトナー容器に引っ掛けることでシャッタ部材の移動を防止するとともに、ストッパ解除部を押すことにより、ストッパがトナー容器に引っ掛かった状態を解除することが可能とされている。このため、この粉体収納容器では、シャッタ部材がトナー排出口から移動することを抑制することができる。これにより、ユーザーが粉体収納容器を扱う際に誤ってシャッタ部材を移動させてトナー排出口を開放すること抑制することができ、トナー排出口からトナーが飛散することを防止することができる。
【発明の概要】
【発明が解決しようとする課題】
【０００４】
しかしながら、上記したトナー容器では、ストッパ解除部を押すことでストッパがトナー容器に引っ掛かった状態を解除するものであることから、トナー排出口を塞いだ位置からシャッタ部材を移動させない観点で改良の余地がある。
【０００５】
本発明は、上記の事情に鑑みて為されたもので、誤って粉体排出口が開放されてしまうことを抑制することのできる粉体収納容器を提供することを目的とする。
【課題を解決するための手段】
【０００６】
請求項１に記載の粉体収納容器は、画像形成に用いられる現像剤を収容する粉体収容部と、該粉体収容部に収容された前記現像剤を排出すべく前記粉体収容部に設けられた粉体排出口と、該粉体排出口を開閉するシャッタ機構と、を備え、該シャッタ機構は、前記粉体排出口を塞ぐ封止位置と前記粉体排出口を開放する開放位置との間で移動可能であり、前記封止位置での固定を解除すべく押される固定解除部が設けられた第１シャッタと、前記固定解除部との干渉が可能な解除操作突起を有し、該解除操作突起を前記固定解除部に干渉させることなく前記固定解除部を覆う被覆位置と前記解除操作突起で前記固定解除部を押す解除操作位置との間で移動可能な第２シャッタと、を有することを特徴とする。
【発明の効果】
【０００７】
本発明に係る粉体収納容器では、誤って粉体排出口が開放されてしまうことを抑制することができる。
【図面の簡単な説明】
【０００８】
【図１】この発明の実施例１における画像形成装置１０を示す全体構成図である。
【図２】プロセスカートリッジ２０およびトナーカートリッジ５０の構成を説明するための説明図である。
【図３】トナー補給装置４３に装着された状態のトナーカートリッジ５０と、その周囲構成とを示す概略構成図である。
【図４】トナーカートリッジ５０を底面側から見た様子を示す斜視図である。
【図５】収容部５１（トナーカートリッジ５０）の底面の構成を図４のＩ−Ｉ線に沿って得られた断面で示す説明図である。
【図６】シャッタ機構６０の第１シャッタ６２の構成を説明するための説明図であり、（ａ）は上面側（Ｙ軸方向正側）から見た様子を正面図で示し、（ｂ）は上面側であって装着方向後側（Ｚ軸方向負側）から見た様子を斜視図で示し、（ｃ）は上面側であって装着方向前側から見た様子を斜視図で示す。
【図７】シャッタ機構６０の第２シャッタ６３の構成を説明するための説明図であり、（ａ）は上面側から見た様子を正面図で示し、（ｂ）は上面側であって装着方向後側（Ｚ軸方向負側）から見た様子を斜視図で示し、（ｃ）は上面側であって装着方向前側から見た様子を斜視図で示す。
【図８】収容部５１（トナーカートリッジ５０）の底面に第１シャッタ６２および第２シャッタ６３が組み付けられて構成されたシャッタ機構６０の様子を図４のＩ−Ｉ線に沿って得られた断面で示す説明図である。
【図９】図８のII−II線に沿って得られた断面で示す説明図である。
【図１０】トナー補給装置４３のトナー容器固定部９０を上側（Ｙ軸方向正側）から見た様子を示す正面図である。
【図１１】図１０のIII−III線に沿って得られた断面で示す説明図である。
【図１２】トナーカートリッジ５０の移動に伴うシャッタ機構６０とトナー容器固定部９０との動作を模式的に示す説明図であり、（ａ）はトナーカートリッジ５０とトナー容器固定部９０とが装着方向で対向された状態を示し、（ｂ）は第２シャッタ６３が第２段部９８に当たった状態を示し、（ｃ）は第１シャッタ６２が第１段部９９に当たった状態を示し、（ｄ）は排出口５５とトナー補給口９６ａとが接続された状態を示す。
【図１３】トナーカートリッジ５０の移動に伴うシャッタ機構６０の動作を模式的に示す説明図であり、（ａ）は第１シャッタ６２が封止位置で第２シャッタ６３が被覆位置である様子を示し、（ｂ）は第１シャッタ６２が封止位置で第２シャッタ６３が解除操作位置である様子を示し、（ｃ）は、第１シャッタ６２が開放位置で第２シャッタ６３が開放位置である様子を示す。
【図１４】トナーカートリッジ５０をトナー容器固定部９０へと装着する様子を説明すべく、トナーカートリッジ５０を図８と同様の断面図で示すとともにトナー容器固定部９０を図１０と同様の正面図で示す説明図であり、トナーカートリッジ５０の第２シャッタ６３がトナー容器固定部９０の第２段部９８に当たった状態を示す。
【図１５】トナーカートリッジ５０をトナー容器固定部９０へと装着する様子を説明すべく、図１４のIV−IV線に沿って得られた断面で示す説明図である。
【図１６】図１４と同様の説明図であり、トナーカートリッジ５０の第１シャッタ６２がトナー容器固定部９０の第１段部９９に当たった状態を示す。
【図１７】図１５と同様の説明図であり、図１６と同様の状態を示す。
【図１８】Ｙ軸方向負側から見たトナーカートリッジ５０（シャッタ機構６０）に両固定爪部９５および両固定解除爪部９７を付して示す説明図であり、図１６および図１７と同様の状態を示す。
【図１９】図１４と同様の説明図であり、トナーカートリッジ５０の固定解除片６８がトナー容器固定部９０の両固定解除爪部９７（固定解除爪９７ａ）をトナー容器固定部９０内に押し入れた状態を示す。
【図２０】図１４と同様の説明図であり、トナーカートリッジ５０の排出口５５とトナー容器固定部９０（トナー補給装置４３）のトナー補給口９６ａとが接続された状態を示す。
【図２１】図１５と同様の説明図であり、図２０と同様の状態を示す。
【図２２】図１８と同様の説明図であり、図２０および図２１と同様の状態を示す。
【図２３】トナー容器固定部９０からトナーカートリッジ５０を取り出す様子を説明すべく、トナーカートリッジ５０を図８と同様の断面図で示すとともにトナー容器固定部９０を図１０と同様の正面図で示す同様の説明図であり、トナーカートリッジ５０がトナー容器固定部９０に対してＺ軸方向負側へと移動され始めて両固定解除爪部９７によるトナーカートリッジ５０の固定が解除される様子を示す。
【図２４】図２３と同様の説明図であり、トナーカートリッジ５０をトナー容器固定部９０に対してＺ軸方向負側へと移動されて両固定爪部９５による第１シャッタ６２の固定が解除された様子を示す。
【図２５】図２３と同様の説明図であり、トナーカートリッジ５０をトナー容器固定部９０に対してＺ軸方向負側へと移動されて各引掛片部分８１ｂと各固定溝部９３とによる第２シャッタ６３の固定が解除された様子を示す。
【図２６】実施例２のトナーカートリッジ５０２を上面側でかつ前面（Ｚ軸方向正側の面）側から見た様子を示す斜視図である。
【図２７】トナーカートリッジ５０２を上面側でかつ前面であって左右方向において図２６とは異なる側から見た様子を示す斜視図である。
【図２８】トナーカートリッジ５０２を底面側でかつ前面（Ｚ軸方向正側の面）側から見た様子を示す斜視図である。
【図２９】トナーカートリッジ５０２を前面側から見た様子を示す正面図である。
【図３０】上面側でかつ前面から見たトナーカートリッジ５０２を、図２９に示すＶ−Ｖ線（Ｖ−Ｖ線およびＺ軸方向を含む面）に沿って部分的に切り欠いて示す斜視図である。
【図３１】攪拌部材５２の連結箇所５２２ａの構成を説明するための説明図であり、（ａ）は前面（Ｚ軸方向正側の面）側から斜視図で示し、（ｂ）は側方（Ｚ軸方向に直交する方向）側から側面図で示し、（ｃ）は（ａ）のVI−VI線に沿って得られた断面で示す。
【図３２】攪拌部材５２の連結箇所５２２ａと、トナー補給装置４３の攪拌駆動カップリング３０１と、の構成およびその作用を説明するための説明図であり、（ａ）は攪拌駆動カップリング３０１と連結箇所５２２ａとをＺ軸に直交する方向から見た様子を模式的に示し、（ｂ）は（ａ）に示す矢印Ａ９から攪拌駆動カップリング３０１の引掛突起部３０１ａと連結箇所５２２ａの引掛突起部５２２ｂとを見た様子を模式的に示し、（ｃ）は引掛突起部３０１ａの傾斜面３０１ｃと引掛突起部５２２ｂの傾斜面５２２ｄとの案内作用により相対的に移動する様子を示し、（ｄ）は攪拌駆動カップリング３０１と連結箇所５２２ａとが連結した様子を示し、（ｅ）は１対の引掛突起部５２２ｂの突出端部５２２ｃに傾斜面５２２ｆを設けるとともに、１対の引掛突起部３０１ａの突出端部３０１ｂに傾斜面３０１ｄを設けた構成として（ｃ）と同様に相対的に移動する様子を示している。
【図３３】トナーカートリッジ５０２を上面側でかつ背面（Ｚ軸方向負側の面）側から見た様子を示す斜視図である。
【図３４】トナーカートリッジ５０２を上面側でかつ背面であって左右方向において図３３とは異なる側から見た様子を示す斜視図である。
【図３５】トナーカートリッジ５０２の底面を部分的に拡大して示す斜視図である。
【図３６】トナーカートリッジ５０２のシャッタ機構６０２の第１シャッタ６２２の構成を説明するための説明図である。
【図３７】シャッタ機構６０２の第２シャッタ６３２の構成を説明するための説明図であり、（ａ）は上面側から見た様子を正面図で示し、（ｂ）は上面側であって装着方向後側（Ｚ軸方向負側）から見た様子を斜視図で示し、（ｃ）は上面側であって装着方向前側から見た様子を斜視図で示す。
【図３８】収容部５１（トナーカートリッジ５０２）の底面に第１シャッタ６２２および第２シャッタ６３２が組み付けられて構成されたシャッタ機構６０２の様子を示す図８と同様の説明図である。
【図３９】図３８のVII−VII線に沿って得られた（VII−VII線を含むＹ−Ｚ平面に沿う）断面で示す説明図である。
【図４０】トナー補給装置４３のトナー容器固定部９０２を示す斜視図である。
【図４１】トナー容器固定部９０２を上側（Ｙ軸方向正側）から見た様子を示す正面図である。
【図４２】画像形成装置１０２の構成を模式的に示す説明図である。
【図４３】画像形成装置１０２の容器収容部２２０とトナーカートリッジ５０２との関係性を説明するための説明図であり、（ａ）は容器収容部２２０へとトナーカートリッジ５０２が挿入される様子を示し、（ｂ）は容器収容部２２０にトナーカートリッジ５０２が装着された様子を示す。
【図４４】画像形成装置１０２の容器収容部２２０（トナー容器固定部９０２）の構成を示す斜視図である。
【図４５】トナーカートリッジ５０２の側壁部５０ｃの抑えレール２０９と、容器収容部２２０の抑えレール２２１と、の作用を説明するための説明図であり、（ａ）は抑えレール２０９と抑えレール２２１とがＺ軸方向で対向された様子を示し、（ｂ）は抑えレール２０９が抑えレール２２１に接触された様子を示し、（ｃ）は抑えレール２０９と抑えレール２２１とがＹ軸方向で重なった様子を示している。
【図４６】トナーカートリッジ５０２をトナー容器固定部９０２へと装着する様子を説明すべく、トナーカートリッジ５０２を図３８と同様の断面図で示すとともにトナー容器固定部９０２を図４１と同様の正面図で示す説明図であり、両開放突起押当部２１２の押当本体部２１２ｂ（その突出端２１２ｃ（押当傾斜面２１２ｄ））が、トナーカートリッジ５０２の第２シャッタ６３２の初期湾曲状態とされた両腕部８１２の開放突起部分８１２ｄ（その開放傾斜面８１２ｅ）に当たった状態を示す。
【図４７】図４６と同様の説明図であり、トナーカートリッジ５０２の第２シャッタ６３２がトナー容器固定部９０２の第２段部９８に当たった状態を示す。
【図４８】図４６と同様の説明図であり、トナーカートリッジ５０２の排出口５５とトナー容器固定部９０２（トナー補給装置４３）のトナー補給口９６ａとが接続された状態を示す。
【図４９】トナー容器固定部９０２からトナーカートリッジ５０２を取り出す様子を説明するための図４６と同様の説明図であり、トナーカートリッジ５０２がトナー容器固定部９０２に対してＺ軸方向負側へと移動され始めて両固定解除爪部９７によるトナーカートリッジ５０２の固定が解除される様子を示す。
【図５０】図４６と同様の説明図であり、トナーカートリッジ５０２をトナー容器固定部９０２に対してＺ軸方向負側へと移動して各引掛片部分８１２ｂと各固定溝部９３とによる第２シャッタ６３２の固定が解除された様子を示す。
【図５１】第１基準穴２０１および第２基準穴２０２が設けられた位置により得られる効果を説明するための説明図であり、（ａ）はトナーカートリッジ５０２内部を模式的に示し、（ｂ）は比較例としてのトナーカートリッジ５０２´の内部を模式的に示す。
【図５２】各実施例のトナーカートリッジ５０およびトナーカートリッジ５０２とは異なる構成のトナーカートリッジ５０３を、上面側でかつ前面（Ｚ軸方向正側の面）側から見た様子を示す斜視図である。
【発明を実施するための形態】
【０００９】
以下に、本発明に係る粉体収納容器、粉体補給装置および画像形成装置の各実施例について図面を参照しつつ説明する。なお、各図中、同一または相当する部分には同一の符号を付しており、その重複説明は適宜に簡略化ないし省略する。
【実施例１】
【００１０】
本発明に係る粉体収納容器の一実施例である実施例１のトナーカートリッジ（５０Ｙ、５０Ｃ、５０Ｍ、５０ＢＫ）、およびそれが装着可能な画像形成装置１０の構成を説明する。まず、その画像形成装置１０の構成およびその動作について説明する。
【００１１】
実施例１の画像形成装置１０は、図１に示すように、カラープリンタであり、箱状の筐体（装置本体１１）に収容されて構成されている。この画像形成装置１０では、画像情報に基いて帯電工程後の感光体ドラム２１（像担持体）に静電潜像を書き込む書込み部１２Ａ〜１２Ｄが設けられている。この書込み部１２Ａ〜１２Ｄは、ポリゴンミラー１３Ａ〜１３Ｄや光学素子１４Ａ〜１４Ｄ等を有し、それらを用いる光走査装置として構成されている。なお、書込み部として、光走査装置の替わりにＬＥＤアレイを用いてもよい。書込み部１２Ａ〜１２Ｄにより書き込まれた静電潜像は、給紙部３１に格納された被転写材Ｐに転写される。
【００１２】
その被転写材Ｐは、記録紙、ＯＨＰ等であり、給紙部３１に複数枚重ねて格納されている。その給紙部３１は、画像形成時には、給紙ローラ３２の回転駆動により、収納されたうちの一番上の被転写材Ｐを転写ベルト３０に向けて給送する。その転写ベルト３０は、被転写材Ｐをその表面に静電的に吸着させて搬送して感光体ドラム２１上に形成されたトナー像を被転写材Ｐ上に転写するための無端状ベルト（始まりの端部および終わりの端部の区別なく同一経路上を周回移動される）である。転写ベルト３０の外周面上に、吸着ローラ３４とベルトクリーナ３５とが設けられている。
【００１３】
この転写ベルト３０を介在させて、各感光体ドラム２１に転写ローラ２４が対向されている。その各転写ローラ２４は、図示は略すが、芯金と芯金を被覆する導電性弾性層とを有する。転写ローラ２４の導電性弾性層は、ポリウレタンゴム、エチレン−プロピレン−ジエンポリエチレン（ＥＰＤＭ）等の弾性材料に、カーボンブラック、酸化亜鉛、酸化スズ等の導電性付与剤を配合分散して電気抵抗値（体積抵抗率）を中抵抗に調整した弾性体とされている。周回移動される転写ベルト３０の上方に定着部３６が設けられている。その定着部３６は、加圧ローラ３７および加熱ローラ３８を有し、被転写材Ｐ上のトナー像を圧力と熱とによって被転写材Ｐに定着させる。
【００１４】
転写ベルト３０に沿って縦方向に４つのプロセスカートリッジ２０Ｙ、２０Ｃ、２０Ｍ、２０ＢＫが設けられている。その４つのプロセスカートリッジ２０Ｙ、２０Ｃ、２０Ｍ、２０ＢＫは、それぞれ、イエロー、シアン、マゼンタ、ブラックのトナー像を形成するためのものである。各プロセスカートリッジ２０Ｙ、２０Ｃ、２０Ｍ、２０ＢＫ上には、キャリア（磁性キャリア）と各色（イエロー、シアン、マゼンタ、ブラック）のトナー（トナー粒子）とを現像装置２３に供給する供給手段として、キャリアおよびトナーを収容した粉体収納容器としてのトナーカートリッジ５０Ｙ、５０Ｃ、５０Ｍ、５０ＢＫが設置されている。
【００１５】
プロセスカートリッジ２０Ｙ、２０Ｃ、２０Ｍ、２０ＢＫ、およびトナーカートリッジ５０Ｙ、５０Ｃ、５０Ｍ、５０ＢＫは、回転支軸（図示せず）を中心に転写ベルト３０を開放することで、装置本体１１に対して着脱することができる。
【００１６】
実施例１では、画像形成装置１０は、複写機およびプリンタとして機能する複合型の画像形成装置とされている。複写機として機能する場合には、スキャナから読み込まれた画像情報に対してＡ／Ｄ変換、ＭＴＦ補正、階調処理等の種々の画像処理が施されて書込みデータに変換される。プリンタとして機能する場合には、コンピュータ等から送信されるページ記述言語やビットマップ等の形式の画像情報に対して画像処理が施されて書込みデータに変換される。
【００１７】
画像形成時には、書込み部１２Ａ〜１２Ｄからプロセスカートリッジ２０ＢＫ、２０Ｍ、２０Ｃ、２０Ｙに対して、ブラック、マゼンタ、シアン、イエローの画像情報に応じた露光光がそれぞれ照射される。すなわち、書込み部１２Ａ〜１２Ｄの各光源から発せられた露光光（レーザ光）が、ポリゴンミラー１３Ａ〜１３Ｄおよび光学素子１４Ａ〜１４Ｄ等を経て、各感光体ドラム２１上に照射される。これによって、各プロセスカートリッジ２０ＢＫ、２０Ｍ、２０Ｃ、２０Ｙの感光体ドラム２１（像担持体）上に、露光光に応じたトナー像が形成される。そして、このトナー像が、被転写材Ｐに転写されることになる。
【００１８】
給紙部３１から給送された被転写材Ｐは、レジストローラ３３の位置で一旦タイミングを合わせて、転写ベルト３０の位置に搬送される。すなわち、レジストローラ３３は、上記した感光体ドラム２１（像担持体）上のトナー像が形成される箇所の通過にタイミングを合わせて回転駆動される。転写ベルト３０の送入位置に設けられた吸着ローラ３４は、電圧の印加により送入された被転写材Ｐを転写ベルト３０に吸着させる。これにより、被転写材Ｐは、転写ベルト３０の矢印方向の走行にともなって移動する。その被転写材Ｐは、各プロセスカートリッジ２０Ｙ、２０Ｃ、２０Ｍ、２０ＢＫの位置を順次通過して各色のトナー像が重ねて転写される。
【００１９】
カラーのトナー像が転写された被転写材Ｐは、転写ベルト３０から分離して定着部３６に達する。被転写材Ｐ上のトナー像は、加圧ローラ３７および加熱ローラ３８に挟まれつつ加熱されることで被転写材Ｐ上に定着される。一方、転写ベルト３０において被転写材Ｐが分離した箇所の表面は、その後にベルトクリーナ３５の位置に達して、その表面に付着したトナー等の汚れがクリーニングされる。
【００２０】
次に、画像形成装置１０におけるプロセスカートリッジおよびトナーカートリッジについて説明する。なお、各プロセスカートリッジ２０Ｙ、２０Ｃ、２０Ｍ、２０ＢＫは、略同一構造であるとともに、各トナーカートリッジ５０Ｙ、５０Ｃ、５０Ｍ、５０ＢＫも略同一構造であることから、以下の説明および図２では、プロセスカートリッジおよびトナーカートリッジにおける各カラーを示す符号（アルファベット（Ｙ、Ｃ、Ｍ、ＢＫ））を省略する。また、書込み部１２Ａ〜１２Ｄに関しても、同様に、個別に示すための符号（アルファベット（Ａ〜Ｄ））を省略する。
【００２１】
図２に示すように、プロセスカートリッジ２０は、像担持体としての感光体ドラム２１、帯電部２２、現像装置２３（現像部）、クリーニング部２５が一体化されて構成され、プレミックス現像方式が採用されている。そのプレミックス現像方式とは、キャリアの補給および排出を適宜におこなう現像方式である。
【００２２】
像担持体としての感光体ドラム２１は、負帯電の有機感光体であって、不図示の回転駆動機構によって反時計方向（時計回りとは反対側）に回転駆動される。帯電部２２は、芯金上に、ウレタン樹脂、導電性粒子としてのカーボンブラック、硫化剤、発泡剤等を処方した中抵抗の発泡ウレタン層がローラ状に形成されており、弾性を有する帯電ローラである。帯電部２２の中抵抗層の材質としては、ウレタン、エチレン−プロピレン−ジエンポリエチレン（ＥＰＤＭ）、ブタジエンアクリロニトリルゴム（ＮＢＲ）、シリコーンゴムや、イソプレンゴム等に抵抗調整のためにカーボンブラックや金属酸化物等の導電性物質を分散したゴム材や、またこれらを発泡させたものを用いることもできる。クリーニング部２５は、感光体ドラム２１の表面を摺るように接するクリーニングブラシ（またはクリーニングブレード）が設置されていて、感光体ドラム２１上の未転写トナーを機械的に除去および回収する。
【００２３】
現像装置２３では、現像剤担持体としての２つの現像ローラ２３ａ１、２３ａ２が感光体ドラム２１に近接して配置されている。現像ローラ２３ａ１、２３ａ２の対向部分には、感光体ドラム２１と磁気ブラシとが接触する現像領域が形成される。この現像装置２３内には、トナーＴとキャリアＣとからなる現像剤Ｇ（２成分現像剤）が収容されている。そして、現像装置２３は、感光体ドラム２１上に形成される静電潜像を現像する（トナー像を形成する）。なお、現像装置２３の構成および動作については後に説明する。
【００２４】
ここで、実施例１における現像装置２３は、プレミックス現像方式のものであって、現像装置２３内に適宜に新品のキャリアＣ（現像剤Ｇ）がトナーカートリッジ５０から供給されるとともに、劣化した現像剤Ｇが現像装置２３の外部に設置された現像剤貯留容器４１に向けて排出される。そのトナーカートリッジ５０は、その内部に現像装置２３内に供給するための現像剤Ｇ（トナーＴおよびキャリアＣ）を収容している。トナーカートリッジ５０は、現像装置２３に新品のトナーＴを供給する供給手段として機能するとともに、現像装置２３に新品のキャリアＣを供給する供給手段として機能する。なお、実施例１では、トナーカートリッジ５０の現像剤Ｇにおける、キャリアＣに対するトナーＴの混合率（トナー濃度）が比較的高く設定されている。
【００２５】
次に、感光体ドラム２１上でおこなわれる作像プロセスについて説明する。
【００２６】
感光体ドラム２１が反時計方向に回転駆動されると、まず、感光体ドラム２１の表面は、帯電部２２の位置で一様に帯電される。その後、感光体ドラム２１の表面における帯電された箇所は、露光光Ｌの照射位置に達して、書込み部１２による露光工程がおこなわれる。すなわち、露光光Ｌの照射によって感光体ドラム２１上を画像情報に応じて選択的に除電する（電位を変化させる）ことで、照射されなかった非画像部の電位との差（電位コントラスト）を発生させて静電潜像を形成する。なお、この露光工程は、感光体ドラム２１の感光層中で電荷発生物質が光を受けて電荷を発生して、このうち正孔が感光体ドラム２１表面の帯電電荷と打ち消しあうものである。
【００２７】
その後、感光体ドラム２１の表面における潜像が形成された箇所は、現像装置２３との対向位置に達する。感光体ドラム２１上の静電潜像は、現像ローラ２３ａ１、２３ａ２上の磁気ブラシと接触して、磁気ブラシ中の負帯電されたトナーＴが付着されて可視化される。詳細には、上方の現像ローラ２３ａ１の磁極による磁力で汲み上げられた現像剤Ｇは、ドクターブレード２３ｃによって適量化された後、感光体ドラム２１との対向部である現像領域（２つの現像ローラ２３ａ１、２３ａ２と感光体ドラム２１との対向領域）に搬送される。現像領域において穂立ちされたキャリアＣが感光体ドラム２１の表面上を摺るように擦り当てられる。このとき、キャリアＣに混合されているトナーＴは、キャリアＣとの摩擦によって負帯電されている。これに対して、キャリアＣは正帯電されている。また、現像ローラ２３ａ１、２３ａ２には、図示を略す電源部から所定の現像バイアスが印加される。これにより、現像ローラ２３ａ１、２３ａ２と感光体ドラム２１との間に電界が形成されて、負帯電されたトナーＴが電界によって感光体ドラム２１上の画像部（静電潜像）にのみ選択的に付着してトナー像を形成する。
【００２８】
その後、感光体ドラム２１の表面におけるトナー像が形成された箇所は、転写ベルト３０および転写ローラ２４との対向位置に達する。そして、このタイミングに合わせてその対向位置に搬送された被転写材Ｐ上に、感光体ドラム２１上のトナー像が転写される。このとき、転写ローラ２４には、所定の電圧が印加されている。
【００２９】
その後、トナー像が転写された被転写材Ｐは、定着部３６を通過して、排出ローラ３９から装置外部に排出される（図１参照）。一方、転写工程時に被転写材Ｐに転写されずに感光体ドラム２１上に残留したトナーＴ（未転写トナー）は、感光体ドラム２１上に付着したままクリーニング部２５との対向部に達する。そして、感光体ドラム２１上の未転写トナーは、クリーニング部２５で除去および回収される。その後、感光体ドラム２１の表面は、図示を略す除電部を通過して残留電位が除去され、感光体ドラム２１における一連の作像プロセスが終了する。
【００３０】
次に、現像装置２３の構成および動作について説明する。現像装置２３は、上述したように、現像ローラ２３ａ１、２３ａ２、搬送スクリュ２３ｂ１〜２３ｂ３（オーガスクリュ）、ドクターブレード２３ｃ等で構成されている。その２つの現像ローラ２３ａ１、２３ａ２は、アルミニウム、真鍮、ステンレス、導電性樹脂等の非磁性体を円筒形に形成してなるスリーブが回転駆動機構（図示せず）により時計回り方向に回転されるように構成されている。現像ローラ２３ａ１、２３ａ２のスリーブ内には、スリーブの周面に現像剤Ｇの穂立ちを生じるように磁界を形成するマグネットが固設されている。マグネットから発せられる法線方向磁力線に沿うように、現像剤Ｇ中のキャリアＣがスリーブ上にチェーン状に穂立ちする。このチェーン状に穂立ちしたキャリアＣに帯電したトナーＴが付着されて、磁気ブラシが形成される。磁気ブラシは、スリーブの回転によってスリーブと同方向（時計回り方向）に移送される。
【００３１】
ドクターブレード２３ｃは、現像領域の上流側に設置されていて、現像ローラ２３ａ１上に担持された（磁力で汲み上げられた）現像剤を適量に規制する。ドクターブレード２３ｃは、実施例１では、ＳＵＳ３１６やＸＭ７等の非磁性金属材料で形成された板厚が２ｍｍ程度の板状部材である。なお、ドクターブレード２３ｃの対向面側に、ＳＵＳ４３０等の磁性金属材料で形成された板厚が０．３ｍｍ程度の薄板を設置することもできる。
【００３２】
３つの搬送スクリュ２３ｂ１〜２３ｂ３は、軸部上に螺旋状にスクリュ部が形成されたものであり、現像装置２３内に収容された現像剤Ｇを長手方向（図２の紙面垂直方向）に循環しながら撹拌して混合する。第１搬送スクリュ２３ｂ１は、現像ローラ２３ａ１に対向する位置に設けられ、現像剤Ｇを水平方向に搬送する（図２の紙面垂直方向）とともに、現像ローラ２３ａ１上に現像剤Ｇを供給する。換言すると、第１搬送スクリュ２３ｂ１は、現像ローラ２３ａ１に対向するとともに、現像ローラ２３ａ１に現像剤Ｇを長手方向（図２の紙面垂直方向）に搬送しながら供給する。
【００３３】
第２搬送スクリュ２３ｂ２は、第１搬送スクリュ２３ｂ１の下方であって現像ローラ２３ａ２に対向する位置に設けられている。そして、現像ローラ２３ａ２から離脱した現像剤Ｇ（現像工程後に現像剤離れ極によって現像ローラ２３ａ２上から強制的に離脱された現像剤Ｇ）を水平方向に搬送する。換言すると、第２搬送スクリュ２３ｂ２は、現像ローラ２３ａ２に対向する位置に設けられるとともに、現像ローラ２３ａ２から離脱された現像剤Ｇを長手方向に搬送する。その現像剤離れ極とは、現像ローラ２３ａ２のスリーブ内部にあるマグネットが、部分的に磁極がない状態に設定する、もしくは反発磁界が形成されるような磁極配置のマグネットを用いることにより形成されている。この第１搬送スクリュ２３ｂ１及び第２搬送スクリュ２３ｂ２は、現像ローラ２３ａ１、２３ａ２や感光体ドラム２１と同様に、回転軸がほぼ水平になるように設けられている。
【００３４】
第３搬送スクリュ２３ｂ３は、明確な図示は略すが、第２搬送スクリュ２３ｂ２による搬送経路の下流側と、第１搬送スクリュ２３ｂ１による搬送経路の上流側と、を直線的に結ぶように、水平方向に対して斜めに設けられている。この第３搬送スクリュ２３ｂ３は、第２搬送スクリュ２３ｂ２によって搬送された現像剤Ｇを第１搬送スクリュ２３ｂ１による搬送経路の上流側に搬送するとともに、第１搬送スクリュ２３ｂ１による搬送経路の下流側から落下経路を介して循環される現像剤Ｇを第１搬送スクリュ２３ｂ１による搬送経路の上流側に搬送する。
【００３５】
なお、第１搬送スクリュ２３ｂ１による搬送経路と、第２搬送スクリュ２３ｂ２による搬送経路と、第３搬送スクリュ２３ｂ３による搬送経路と、は壁部によって隔絶されている。また、図示は略すが、第２搬送スクリュ２３ｂ２による搬送経路の下流側と、第３搬送スクリュ２３ｂ３による搬送経路の上流側と、は第１中継部を介して連通している。また、第３搬送スクリュ２３ｂ３による搬送経路の下流側と、第１搬送スクリュ２３ｂ１による搬送経路の上流側と、は第２中継部を介して連通している。また、第１搬送スクリュ２３ｂ１による搬送経路の下流側と、第３搬送スクリュ２３ｂ３による搬送経路の上流側と、は落下経路を介して連通している。このような構成により、３つの搬送スクリュ２３ｂ１〜２３ｂ３によって、現像装置２３において現像剤Ｇを長手方向に循環させる循環経路が形成されることになる。
【００３６】
また、第１搬送スクリュ２３ｂ１による搬送経路の壁部には、現像装置２３内に収容された現像剤Ｇの一部を外部（現像剤貯留容器４１）に排出するための排出穴２３ｄ（排出手段）が設けられている。詳しくは、排出穴２３ｄは、トナーカートリッジ５０から現像装置２３内に現像剤Ｇが供給されて装置内の現像剤量が増加してその位置に搬送される現像剤Ｇの剤面（上面）が所定高さを超えたときに、その余剰分の現像剤Ｇを現像剤貯留容器４１に向けて排出するためのものである。すなわち、余剰分の現像剤Ｇは、排出穴２３ｄの下部の高さを超えて、排出穴２３ｄから排出されて排出経路４２を経由して現像剤貯留容器４１に向けて重力落下していく。このように、トナーＴの母体樹脂や外添剤によって汚染されて劣化したキャリアが自動的に現像部の外部に排出されるので、経時においても画像品質の劣化を抑止することができる。なお、図２では図示を省略しているが、排出経路４２中には、排出穴２３ｄから排出された現像剤を水平方向に搬送するための排出スクリュが設置されている。
【００３７】
次に、トナーカートリッジ５０から現像装置２３に新品のキャリアＣを供給するトナー補給装置（粉体補給装置）４３の構成について説明する。図３は、トナー補給装置４３に装着された状態のトナーカートリッジ５０と、その周囲構成とを示す概略構成図である。
【００３８】
図３に示すように、トナーカートリッジ５０には、トナーＴを収容する収容部５１（粉体収容部）に、攪拌部材５２とテーパ部５３と排出通路５４と排出口（粉体排出口）５５と搬送スクリュ５６とシャッタ機構（スライドシャッタ機構）６０とが設けられている。攪拌部材５２は、収容部５１の内方で回転可能に設けられ、図示は略すが適宜回転されることにより収容部５１に収容された現像剤Ｇ（図２参照）を攪拌し、その現像剤Ｇを重力によりテーパ部５３へと移動させる。テーパ部５３は、収容部５１の底面側（Ｙ軸方向負側）に設けられており、収容部５１の内方から外方へ向けて寸法を漸減させている。排出通路５４は、テーパ部５３の先端（図３を正面視して下端）側に形成されており、テーパ部５３に連続して収容部５１の底面を開放している。排出口５５は、排出通路５４の一端に形成されており、収容部５１すなわちトナーカートリッジ５０に収容された現像剤Ｇを排出するための開口を形成している。搬送スクリュ５６は、明確な図示は略すが、排出通路５４の内方で回転可能に設けられ、図示は略すが適宜回転されることにより排出通路５４へと移動された現像剤Ｇを排出口５５側へと搬送する。
【００３９】
シャッタ機構６０は、収容部５１（トナーカートリッジ５０）の底部外壁にスライド移動可能に設けられており、初期状態では排出口５５に対向する位置に存在されて排出口５５を塞いでいる（図４等参照）。また、シャッタ機構６０は、収容部５１（トナーカートリッジ５０）の底部外壁に対してスライド移動することにより、排出口５５を開放することが可能とされている（図３等参照）。このシャッタ機構６０は、トナーカートリッジ５０のトナー補給装置４３への装着により、排出口５５を開放すべくスライド移動する。このシャッタ機構６０の構成および動作に関しては、後に詳細に説明する。
【００４０】
トナーカートリッジ５０は、画像形成装置１０の手前側から奥側に向けてスライド移動されることにより、トナー補給装置４３に装着される（矢印Ａ１参照）。すると、収容部５１に対してシャッタ機構６０がスライド移動されて、排出口５５が開放される。このとき、図示は略すが、攪拌部材５２および搬送スクリュ５６は、トナー補給装置４３に設けられた攪拌駆動カップリング（後述する図３２の符号３０１参照）および搬送駆動カップリングに各々連結される。すると、収容部５１では、収容する現像剤Ｇ（図示せず）が攪拌部材５２により攪拌されて重力により底面側のテーパ部５３へと移動される。その現像剤Ｇは、重力によりテーパ部５３に沿って移動することで、テーパ部５３に続く排出通路５４に集められ、その排出通路５４に設けられた搬送スクリュ５６が適宜回転駆動されることにより排出口５５へと搬送される。そして、現像剤Ｇは、排出口５５を通って外部に排出されてトナー補給装置４３に至る。
【００４１】
そのトナー補給装置４３には、トナー一時貯留部４４が設けられている。そのトナー一時貯留部４４には、収容部５１（トナーカートリッジ５０）の排出口５５から排出された現像剤Ｇが、自重によりに落下してくる。トナー一時貯留部４４には、トナー検知センサ４５と回転清掃部材４６とが設けられている。そのトナー検知センサ４５は、圧電式センサ等からなり、トナー一時貯留部４４内の現像剤Ｇの有無を検知する。回転清掃部材４６は、明確な図示は略すが、ＰＥＴ（ポリエチレンテレフタレート）フィルム等からなる可撓性の清掃部材が回転軸部材上に設けられて構成されている。この回転清掃部材４６は、トナー補給装置４３に設けられた駆動源により回転軸部材が回転駆動されることにより、清掃部材がトナー検知センサ４５の検知部表面（図示せず）に付着した現像剤Ｇを掻き取ることで清掃する。
【００４２】
そのトナー一時貯留部４４の底面には、トナー搬送管４７が接続されている。トナー一時貯留部４４に送られた現像剤Ｇは、自重によってトナー搬送管４７内に送り込まれる。そのトナー搬送管４７の先端部は、プリンタ本体に装着されたプロセスユニットの現像装置２３に連結されている。トナー搬送管４７内の現像剤Ｇは、図示は略すが管内に設けられたスクリュ部材やオーガスクリュ等の回転搬送部材の回転駆動に伴って、現像装置２３に向けて搬送される。これにより、トナーカートリッジ５０から排出された現像剤Ｇは、現像装置２３内に供給される。
【００４３】
画像形成装置１０の図示を略す制御部は、トナーカートリッジ５０の攪拌部材５２および搬送スクリュ５６を回転駆動させているにも拘らず、トナー検知センサ４５からトナー検知信号が送られてこない場合、収容部５１（トナーカートリッジ５０）内のトナーエンド（収容する現像剤Ｇがほとんどすべて消費されて空になったこと）と判断する。ここで、トナーエンド検出時であっても、トナー搬送管４７内には現像剤Ｇがまだ残っているので、しばらくの間はトナーカートリッジ５０が交換されなくても現像剤Ｇを補給することができる。このように、トナー一時貯留部４４内の現像剤Ｇの有無に基づいて収容部５１（トナーカートリッジ５０）内のトナーエンドを検出することで、トナーカートリッジ５０にトナー検知センサを設けなくても、トナーエンドの時期を適切に検出することができる。
【００４４】
次に、本発明の特徴部分について、図４から図１１を用いて説明する。以下の説明では、トナー補給装置４３の後述するトナー容器固定部９０（図１０等参照）への取り付けのためのトナーカートリッジ５０の挿入方向をＺ軸方向（挿入時の前側を正側（前面））とし、実施例１では装着方向ともいう。また、トナーカートリッジ５０が後述するトナー容器固定部９０に適切に装着された状態において、Ｚ軸方向に垂直な方向であって鉛直方向をＹ軸方向（鉛直方向上側が正側）とし、実施例１では上下方向（高さ方向）ともいう。さらに、Ｙ軸方向およびＺ軸方向に直交する方向をＸ軸方向（図４を正面視して手前側が正側）とし、実施例１では左右方向ともいう。また、以下の説明では、第１シャッタ６２および第２シャッタ６３を個別に説明する際にも、トナーカートリッジ５０に取り付けられた状態における上述した各方向（Ｘ軸、Ｙ軸、Ｚ軸）を用いることとする。
【００４５】
図４は、トナーカートリッジ５０を底面側から見た様子を示す斜視図である。図５は、収容部５１（トナーカートリッジ５０）の底面の構成を図４のＩ−Ｉ線に沿ったＸ−Ｚ平面の断面で示す説明図である。図６は、シャッタ機構６０の第１シャッタ６２の構成を説明するための説明図であり、（ａ）は上面側（Ｙ軸方向正側）から見た様子を正面図で示し、（ｂ）は上面側であって装着方向後側（Ｚ軸方向負側）から見た様子を斜視図で示し、（ｃ）は上面側であって装着方向前側から見た様子を斜視図で示す。図７は、シャッタ機構６０の第２シャッタ６３の構成を説明するための説明図であり、（ａ）は上面側から見た様子を正面図で示し、（ｂ）は上面側であって装着方向後側（Ｚ軸方向負側）から見た様子を斜視図で示し、（ｃ）は上面側であって装着方向前側から見た様子を斜視図で示す。図８は、収容部５１（トナーカートリッジ５０）の底面に第１シャッタ６２および第２シャッタ６３が組み付けられて構成されたシャッタ機構６０の様子を図４のＩ−Ｉ線に沿って得られた断面で示す説明図である。図９は、図８のII−II線に沿って得られた断面で示す説明図である。図１０は、トナー補給装置４３のトナー容器固定部９０を上側（Ｙ軸方向正側）から見た様子を示す正面図である。図１１は、図１０のIII−III線に沿って得られた断面で示す説明図である。なお、図６では、理解容易のために、シャッタシール７７を省略して示している。また、図９では、理解容易のために、搬送スクリュ５６を省略して示している。
【００４６】
トナーカートリッジ５０は、図４に示すように、全体に箱状を呈し、その内方に収容部５１が設けられている。この収容部５１は、上述したように、現像剤Ｇ（図示せず）が収容される箇所であり、その前面に電子基板５７と連結開口部５８とが設けられている。その電子基板５７は、ＲＦＩＤ（Ｒａｄｉｏ  Ｆｒｅｑｕｅｎｃｙ  ＩＤｅｎｔｉｆｉｃａｔｉｏｎ）等であり、トナー補給装置４３に設けられたアンテナ基板（図示せず）を介して画像形成装置１０（その制御部（図示せず））との間で、通信による情報の授受を可能とする。それらの間で通信される情報としては、トナーカートリッジの製造番号、リサイクル回数等の情報や、ロット番号、色等の情報や、画像形成装置１０の使用履歴等の情報がある。また、電子基板５７には、トナーカートリッジ内のトナー消費量に応じて、トナーカートリッジ内の残量トナー量等に関する情報等が、アンテナ基板（図示せず）により適宜書き込まれる。この電子基板５７は、受信面が収容部５１（トナーカートリッジ５０）の前面に沿うように設けられていることから、当該受信面上に現像剤Ｇが落下することを防止することができ、現像剤Ｇが介在することによる通信感度の低下を防止することができる。
【００４７】
連結開口部５８は、収容部５１の内方に設けられた攪拌部材５２の連結箇所５２ａを、収容部５１の前面（Ｚ軸方向正側の面）から露出させるものである。その連結箇所５２ａは、図示は略すがトナー補給装置４３に設けられた攪拌駆動カップリングへの連結箇所となる。
【００４８】
その収容部５１の底部に、テーパ部５３、排出通路５４および排出口５５が設けられており（図３および図９参照）、その排出通路５４に連続して遮蔽開口部５９が設けられている（図９等参照）。その遮蔽開口部５９は、収容部５１をＺ軸方向に沿って貫通されて形成されており（図９等参照）、収容部５１の前端面（Ｚ軸方向正側の面）（トナーカートリッジ５０の前端面５０ａ）を開放するとともに、排出通路５４（排出口５５）に通じている（図９等参照）。遮蔽開口部５９は、搬送スクリュ５６よりも大きな内径寸法とされるとともに、収容部５１の前端面（トナーカートリッジ５０の前端面５０ａ）を開放する箇所の上側（Ｙ軸方向正側）に庇箇所５９ａが設けられている。これにより、遮蔽開口部５９は、排出通路５４内に回転可能に配された搬送スクリュ５６の連結箇所５６ａを収容部５１の前面（Ｚ軸方向正側の面）から露出させることができ、その連結箇所５６ａの上方を庇箇所５９ａで遮蔽することが可能とされている。その連結箇所５６ａは、図示は略すがトナー補給装置４３に設けられた搬送駆動カップリングへの連結箇所を構成する。この搬送スクリュ５６は、上述したように、排出通路５４に集められた現像剤Ｇを排出口５５（図９等参照）へ向けて搬送する。その排出口５５は、トナーカートリッジ５０の下壁部５０ｂ（後述する取付突部６１（図５等参照））をＹ軸方向に沿って貫通して形成されている（図２および図９等参照）。また、トナーカートリッジ５０の下壁部５０ｂでは、明確な図示は略すが、排出口５５の周辺に、部分的にＹ軸方向負側に突出されて直方体形状を呈する取付突部６１（図５等参照）が設けられている。換言すると、排出口５５は、下壁部５０ｂの取付突部６１をＹ軸方向に貫通して形成されている。このため、トナーカートリッジ５０の下壁部５０ｂが、排出口５５が設けられた一側面となる。その排出口５５を塞ぐべくシャッタ機構６０が設けられている。
【００４９】
そのシャッタ機構６０は、トナーカートリッジ５０の下壁部５０ｂ（その取付突部６１）に第１シャッタ６２と第２シャッタ６３とがＺ軸方向にスライド移動可能に設けられて構成される。シャッタ機構６０では、第１シャッタ６２を、排出口５５とＹ軸方向で対向する封止位置（図９等参照）に存在させることと、そこからＺ軸方向負側へとスライド移動させて開放位置（図２０および図２１等参照）とすることとが可能である。また、シャッタ機構６０では、第２シャッタ６３を、封止位置の第１シャッタ６２とＹ軸方向で並列する被覆位置（図４および図８等参照）に存在させることと、そこからＺ軸方向負側へとスライド移動させて解除操作位置（図１６、図１７および図２１等参照）とすることとが可能である。
【００５０】
シャッタ機構６０では、第１シャッタ６２および第２シャッタ６３のＺ軸方向への移動とその制限とを可能とするために、トナーカートリッジ５０の下壁部５０ｂに、図５に示すように、一対の案内溝６４と、一対の固定突起６５と、一対の支持突起６６と、一対の開放突起６７と、が設けられている。一対の案内溝６４は、トナーカートリッジ５０の下壁部５０ｂに設けられた取付突部６１のＸ軸方向で見た両側端面をＸ軸方向に凹ませつつＺ軸方向に伸びて形成されている。
【００５１】
固定突起６５は、下壁部５０ｂにおいて、取付突部６１のＺ軸方向負側の位置で、Ｘ軸方向で対を為して設けられている。両固定突起６５は、下壁部５０ｂからＹ軸方向負側へ向けて突出する基端部６５ａと、その突出端から互いに近付く方向へとＸ軸方向に沿って伸びる被押当部６５ｂと、を有する。このため、固定突起６５は、Ｙ軸方向で見て、下壁部５０ｂと被押当部６５ｂとの間に通路空間６５ｃ（図９等参照）を規定している。
【００５２】
支持突起６６は、下壁部５０ｂにおいて、固定突起６５のＸ軸方向で見た外側の位置で、Ｘ軸方向で対を為して設けられている。両支持突起６６は、下壁部５０ｂからＹ軸方向負側へ向けて突出する基端部６６ａと、その突出端でＸ−Ｙ平面に沿って伸びる平板状の平板部６６ｂと、を有する。その一対の基端部６６ａは、Ｚ軸方向正側の端部が、Ｚ軸方向負側に向かうに連れてＸ軸方向の外側へ向かう傾斜壁面６６ｃとされている。
【００５３】
一対の開放突起６７は、下壁部５０ｂの取付突部６１のＺ軸方向正側の端部に設けられ、Ｚ軸方向正側へ向けて突出されている。この両開放突起６７は、Ｚ軸方向正側の先端面６７ａが同一のＸ−Ｙ平面上に存在する平坦面とされている。一対の開放突起６７は、Ｘ軸方向で見た外側の側面が、取付突部６１のＸ軸方向で見た両側端面と等しい平面を構成している。
【００５４】
また、トナーカートリッジ５０では、図４および図５に示すように、取付突部６１のＸ軸方向で見た外側に一対の側壁部５０ｃが設けられており、それぞれの内方に固定解除片６８（図４では一方のみ示す）が設けられている。この一対の固定解除片６８は、Ｘ軸方向で見た内側へ向けて各側壁部５０ｃから突出する薄板状を呈し、Ｙ軸方向から見ると三角形状とされている。この両固定解除片６８は、Ｚ軸方向正側に前側傾斜辺部６８ａを形成するとともに、Ｚ軸方向負側に後側傾斜辺部６８ｂを形成する（図５参照）。
【００５５】
さらに、トナーカートリッジ５０では、図４および図５に示すように、一対の側壁部５０ｃのＸ軸方向で見た内側であって、シャッタ機構６０（第１シャッタ６２および第２シャッタ６３）の外側に、一対の案内壁部５０ｄが設けられている。この両案内壁部５０ｄは、Ｙ−Ｚ平面に平行な平板状を呈し、Ｘ軸方向で見たシャッタ機構６０の両側に並列されている。これらが設けられたトナーカートリッジ５０の下壁部５０ｂに第１シャッタ６２が取り付けられる。
【００５６】
その第１シャッタ６２は、図６に示すように、全体に平板状を呈し、一対の側壁部７１と固定片部７２と解除突起７３と設置部７４と一対の固定壁部７５と一対の案内壁部７６とを有する。側壁部７１は、Ｚ軸方向に伸びる棒状を呈し、Ｘ軸方向で見た両端位置で対を為して設けられている。この側壁部７１には、Ｘ−Ｙ平面に平行な断面が、Ｘ軸方向で見た外側であってＹ軸方向負側を開放するＬ字状とされた切欠箇所７１ａ（図６（ｂ）および図６（ｃ）参照）が形成されている。この両側壁部７１をＸ軸方向に掛け渡して固定片部７２が設けられている。
【００５７】
その固定片部７２は、両側壁部７１への取り付け箇所となる基端部７２ａと、そこから伸びる本体部７２ｂと、を有する。基端部７２ａは、Ｚ軸方向で見た両側壁部７１の中間位置をＸ軸方向に掛け渡して設けられている。本体部７２ｂは、基端部７２ａからＺ軸方向負側へ向けて伸びる板状を呈し、基端部７２ａを基点としてＹ軸方向負側へと傾斜、換言するとＺ軸方向負側へ向かうに連れてＹ軸方向負側へと変位するように傾斜されている（図９等参照）。本体部７２ｂは、実施例１では、Ｙ軸方向で見るとＨ字形状を呈する平板状とされており、基端部７２ａとは反対側の突出端がＸ軸方向で対を為して突出する押当脚部分７２ｃとされている。この各押当脚部分７２ｃは、第１シャッタ６２が後述する封止位置とされると、トナーカートリッジ５０の下壁部５０ｂに設けられた各固定突起６５の被押当部６５ｂとＺ軸方向で当たることが可能とされている（図８および図９等参照）。これを本体部７２ｂの固定姿勢とする。
【００５８】
この本体部７２ｂは、Ｙ軸方向への力が加わるとその力の方向に撓み変形するとともに、その力が解除されると元の位置（固定姿勢）へと復帰する弾性力を発揮することが可能とされている。すなわち、本体部７２ｂは、基端部７２ａ（第１シャッタ６２）に対して、Ｙ軸方向正側へと変位させる動作に抗する弾性力を発揮することが可能な弾性箇所とされている。また、本体部７２ｂは、トナーカートリッジ５０の下壁部５０ｂに設けられた固定突起６５の通路空間６５ｃ（図９等参照）を通すことが可能な大きさ寸法とされている（図２１等参照）。このため、本体部７２ｂは、Ｙ軸方向正側へと変位されると、各押当脚部分７２ｃが各固定突起６５の被押当部６５ｂに当たる状態が解消されて、通路空間６５ｃに通すことが可能な状態となる。これを本体部７２ｂの解除姿勢とする。
【００５９】
この本体部７２ｂには、解除突起７３が設けられている。解除突起７３は、本体部７２ｂがＸ−Ｚ平面に平行な状態とされているものとして、当該本体部７２ｂの略中央位置からＹ軸方向負側に向けて突出されて形成されている（図９等参照）。この解除突起７３は、実施例１では、Ｈ字形状を呈する本体部７２ｂにおけるＸ軸方向に伸びる箇所の中間箇所が部分的に突出されて形成されており（図６（ａ）参照）、Ｚ軸方向正側の端部がＹ軸方向負側へ向かうに連れてＺ軸方向負側へと変位する傾斜面７３ａとされている（図９等参照）。このため、解除突起７３にＹ軸方向正側への力を加えることで、固定姿勢の本体部７２ｂをＹ軸方向正側へと変位させて、解除姿勢とすることができる（図１６、図１７および図２１等参照）。このことから、解除突起７３は、Ｙ軸方向正側へと押されることにより、第１シャッタ６２の封止位置での固定を解除する固定解除部として機能する。
【００６０】
固定片部７２（その基端部７２ａ）および一対の側壁部７１に囲まれて設置部７４が設けられている。その設置部７４は、シャッタシール７７（シール部材）（図９等参照）が設置される箇所を構成するものであり、全体に薄板の直方体形状を呈し、Ｙ軸方向で見ると矩形状とされている。この設置部７４は、Ｚ軸方向正側の先端面７４ａがＸ−Ｙ平面に平行であってＸ軸方向に伸びる平坦面とされている。そこに設置されるシャッタシール７７は、設置部７４に嵌め込まれるように当該設置部７４に設けられて固定され、トナーカートリッジ５０の下壁部５０ｂに設けられた排出口５５の周辺で取付突部６１に押し当てられることにより、その排出口５５を封止（排出口５５を封じて現像剤Ｇの出入りを止める）する（図１６および図１７等参照）。
【００６１】
一対の固定壁部７５は、一対の側壁部７１の前端部（Ｚ軸方向正側の端部）からＹ軸方向正側へ向けて突出して設けられている。両固定壁部７５は、薄板の直方体形状を呈し、Ｚ軸方向負側にＸ−Ｙ平面に平行な被引掛面７５ａを形成する。
【００６２】
一対の案内壁部７６は、一対の固定壁部７５に連続して設けられており、一対の側壁部７１におけるＸ軸方向で見た内側からＹ軸方向正側へ向けて突出して設けられている。両案内壁部７６は、薄板の直方体形状を呈し、Ｙ−Ｚ平面に平行な案内面７６ａを形成する。その各案内面７６ａには、案内突起７６ｂが設けられている。その案内突起７６ｂは、トナーカートリッジ５０の下壁部５０ｂの取付突部６１に設けられた案内溝６４（図５等参照）に移動可能に嵌り込むことが可能とされている。案内突起７６ｂは、案内溝６４（図８等参照）内に挿入されると、Ｙ軸方向で見て、設置部７４に設けられたシャッタシール７７（図９等参照）との間で当該案内溝６４を規定する片部（後述する図３５の符号６４ａ参照）を挟み込むことが可能とされている。この第１シャッタ６２を覆うように第２シャッタ６３が設けられる（図４等参照）。
【００６３】
その第２シャッタ６３は、図７に示すように、全体に平板状を呈し、平板部７８と解除操作突起７９と一対の側壁部８０と一対の腕部８１と一対の規制部８２とを有する。平板部７８は、Ｘ−Ｚ平面に平行な薄板状を呈し、実施例１では、Ｙ軸方向（Ｘ−Ｚ平面上）で見て第１シャッタ６２よりも大きな寸法とされている（図８等参照）。この平板部７８は、Ｚ軸方向正側の先端面７８ａがＸ−Ｙ平面に平行であってＸ軸方向に伸びる平坦面とされている。
【００６４】
平板部７８には、解除操作突起７９が設けられている。解除操作突起７９は、平板部７８の中央近傍において、Ｙ軸方向正側へ向けて突出されて形成されている。この解除操作突起７９は、Ｙ−Ｚ平面に平行な断面で見て、Ｙ軸方向正側を上底とする台形形状とされている（図９等参照）。このため、解除操作突起７９では、Ｚ軸方向負側の端部がＺ軸方向負側へ向かうに連れてＹ軸方向負側へと変位する傾斜面７９ａとされている。また、解除操作突起７９は、後述するように第２シャッタ６３が第１シャッタ６２とともにトナーカートリッジ５０の下壁部５０ｂに設けられた状態（図９等参照）において、第２シャッタ６３が移動されて第１シャッタ６２の固定片部７２の解除突起７３とＹ軸方向で対向する位置となると、その解除突起７３をＹ軸方向正側へと押して固定片部７２の本体部７２ｂを解除姿勢（図１６、図１７および図２１等参照）まで変位させることを可能とする高さ寸法（Ｙ軸方向で見た大きさ寸法）とされている。すなわち、解除操作突起７９は、Ｙ軸方向で見た大きさ寸法（高さ寸法）が、第１シャッタ６２の固定片部７２の解除突起７３との協働により、固定片部７２の本体部７２ｂを解除姿勢へと変位させることを可能とすべく設定されている。
【００６５】
一対の側壁部８０は、平板部７８のＸ軸方向で見た両端位置からＹ軸方向正側へ向けて突出して形成されている。両側壁部８０には、Ｘ軸方向で見た内側に受入凹所８０ａと傾斜面８０ｂとが設けられている。受入凹所８０ａは、側壁部８０の平板部７８からの突出基部を切り欠いて形成されており、側壁部８０（その突出基部）をＸ軸方向で見て外側へと凹ましつつＺ軸方向に伸びるものとされている。この受入凹所８０ａは、トナーカートリッジ５０の下壁部５０ｂに設けられた支持突起６６の平板部６６ｂ（図５等参照）を移動可能に受け入れることが可能な高さ寸法（Ｙ軸方向で見た大きさ寸法）とされている。傾斜面８０ｂは、側壁部８０のＹ軸方向正側の端部を切り欠いて形成されており、Ｙ軸方向正側へ向かうに連れてＸ軸方向で見た外側へと変位する傾斜面とされている。
【００６６】
一対の腕部８１は、対を為す側壁部８０のＺ軸方向正側の端部から、Ｚ軸方向正側へと突出されて設けられている。この両腕部８１は、平板部７８と間隔を置きつつＺ軸方向正側へと伸びる棒状を呈し、Ｚ軸方向正側に向かうに連れて互いの間隔を狭めるように湾曲されている。両腕部８１は、Ｙ軸方向で見た平板部７８との間隔が、両受入凹所８０ａの高さ寸法と等しいものとされており、平板部７８との間にトナーカートリッジ５０の下壁部５０ｂに設けられた支持突起６６の平板部６６ｂ（図５等参照）を移動可能に受け入れることが可能とされている。このため、この両腕部８１と平板部７８との間と、そこにＺ軸方向で隣接する一対の受入凹所８０ａと、で、一対の支持突起６６の平板部６６ｂを受け入れることにより、第２シャッタ６３をトナーカートリッジ５０（その下壁部５０ｂ）に対してＺ軸方向に移動可能に取り付けることができる。
【００６７】
両腕部８１は、平板部７８がＹ軸方向（Ｘ−Ｚ平面上）で見て第１シャッタ６２よりも大きな寸法とされていることから、双方の間に第１シャッタ６２を存在させることができる。ここで、両腕部８１は、後述するように第１シャッタ６２および第２シャッタ６３がトナーカートリッジ５０の下壁部５０ｂに適切に取り付けられた状態（図８等参照）において、Ｙ軸方向で見た位置が第１シャッタ６２の両側壁部７１と等しいものとされている。このため、各腕部８１は、上記した取り付け状態において、第２シャッタ６３に対して第１シャッタ６２がＺ軸方向正側に移動すると、その第１シャッタ６２の各側壁部７１に当たる（干渉する）こととなる（図１６等参照）。
【００６８】
この両腕部８１は、Ｚ軸方向正側の突出端８１ａがＹ軸方向で見て尖端状とされるとともにＸ軸方向で対向されており、その間隔が第１シャッタ６２の幅寸法（Ｘ軸方向で見た両側壁部７１の両側面の間隔）よりも小さく設定されている。両腕部８１では、突出端８１ａの近傍に引掛片部分８１ｂが設けられている。両引掛片部分８１ｂは、腕部８１（突出端８１ａの近傍）からＸ軸方向の外側に向けて突出されており、その突出端（Ｘ軸方向の外側の端部）が側壁部８０（そのＸ軸方向の外側の壁面（Ｘ軸方向で見た位置がそこと等しい両腕部８１））と等しい面上に存在するものとされている。この状態を両腕部８１の初期湾曲状態とする。
【００６９】
この両腕部８１は、Ｘ軸方向への力が加わるとその力の方向に撓み変形するとともに、その力が解除されると元の位置（初期湾曲状態）へと復帰する弾性力を発揮することが可能とされている。すなわち、両腕部８１は、各側壁部８０（第２シャッタ６３）に対して、Ｘ軸方向の外側へと変位させる動作に抗する弾性力を発揮することが可能な弾性箇所とされている。このため、両腕部８１は、上記した取り付け状態（図８等参照）において、第２シャッタ６３に対して第１シャッタ６２がＺ軸方向正側に移動すると、それぞれの突出端８１ａが第１シャッタ６２の各側壁部７１に当たることで、その各突出端８１ａがＸ軸方向の外側へと変位しつつＺ軸方向に沿って伸びるように変形される（図１６等参照）。すると、各腕部８１の引掛片部分８１ｂ（その突出端（Ｘ軸方向の外側の端部））は、Ｘ軸方向で見て、側壁部８０（そのＸ軸方向の外側の壁面（Ｘ軸方向で見た位置がそこと等しい両腕部８１））よりも外側に変位（突出）される（図１６等参照）。
【００７０】
一対の規制部８２は、平板部７８のＺ軸方向負側の端部であってＸ軸方向で見た両外側で、Ｙ軸方向に突出して設けられている。両規制部８２は、一対の側壁部８０に設けられた受入凹所８０ａのＺ軸方向負側に存在されており、そこに受け入れられたトナーカートリッジ５０の下壁部５０ｂに設けられた支持突起６６の平板部６６ｂ（図５等参照）に当たることが可能とされている。
【００７１】
このシャッタ機構６０では、次のようにトナーカートリッジ５０の下壁部５０ｂに第１シャッタ６２および第２シャッタ６３が取り付けられる。先ず、図８に示すように、一対の案内壁部７６の案内突起７６ｂをトナーカートリッジ５０の下壁部５０ｂの取付突部６１に設けられた一対の案内溝６４に挿入して、設置部７４にシャッタシール７７（図９等参照）が設けられた第１シャッタ６２を取付突部６１に取り付ける。すると、第１シャッタ６２は、一対の案内溝６４とそこに挿入された各案内突起７６ｂとの案内により、トナーカートリッジ５０の下壁部５０ｂに対してＺ軸方向にスライド移動可能となる。
【００７２】
そして、第１シャッタ６２では、シャッタシール７７がトナーカートリッジ５０の下壁部５０ｂに設けられた排出口５５とＺ軸方向で対向する位置とされると、固定片部７２の本体部７２ｂの両押当脚部分７２ｃが、下壁部５０ｂに設けられた固定突起６５の両被押当部６５ｂとＺ軸方向で当たる。これは、第１シャッタ６２の固定片部７２の本体部７２ｂが、基端部７２ａ（第１シャッタ６２）に対してＺ軸方向負側へ向かうに連れてＹ軸方向負側へと変位していることによる。このため、第１シャッタ６２は、シャッタシール７７を排出口５５とＺ軸方向で対向させた状態から、下壁部５０ｂ（その取付突部６１（排出口５５））に対してＺ軸方向負側へと移動することが防止される。このとき、シャッタシール７７は、排出口５５の周辺で取付突部６１に押し当てられて、その排出口５５を覆うことで封止する（図９等参照）。これを、第１シャッタ６２における封止位置とする。
【００７３】
また、第１シャッタ６２では、固定片部７２に設けられた解除突起７３をＹ軸方向正側へと押すことにより、固定片部７２の本体部７２ｂをＹ軸方向正側（下壁部５０ｂに接近する側）へと変位させることができる（図１７等参照）。これにより、本体部７２ｂの両押当脚部分７２ｃが下壁部５０ｂに設けられた固定突起６５の両被押当部６５ｂとＺ軸方向で当たる状態を解除することができる（図１７等参照）。ここで、本体部７２ｂは、トナーカートリッジ５０の下壁部５０ｂと固定突起６５の被押当部６５ｂとの間の通路空間６５ｃ（図９等参照）を通すことが可能な大きさ寸法とされていることから、第１シャッタ６２を封止位置からＺ軸方向負側へと移動することが可能となる（図２１等参照）。このことから、本体部７２ｂの両押当脚部分７２ｃが固定突起６５の両被押当部６５ｂとＺ軸方向で当たる状態を解除する位置（解除姿勢）まで、固定片部７２の本体部７２ｂをＹ軸方向正側（下壁部５０ｂに接近する側）へと変位させることは、第１シャッタ６２の固定を解除することとなる。このため、シャッタシール７７が排出口５５を覆わない位置まで第１シャッタ６２をＺ軸方向負側へと移動することにより、排出口５５を開放することができる（図２１等参照）。これを、第１シャッタ６２における開放位置とする。
【００７４】
次に、第２シャッタ６３を、その両側壁部８０の傾斜面８０ｂをＹ軸方向負側からトナーカートリッジ５０の下壁部５０ｂの一対の支持突起６６の平板部６６ｂに宛がい、さらにＹ軸方向正側（下壁部５０ｂに接近する側）へと押すことにより、下壁部５０ｂ（その一対の支持突起６６）に取り付ける。すると、第２シャッタ６３では、一対の支持突起６６の平板部６６ｂを両側壁部８０の受入凹所８０ａで受け入れた状態となる。このため、第２シャッタ６３は、両受入凹所８０ａとそこで受け入れた一対の支持突起６６の平板部６６ｂとの案内により、トナーカートリッジ５０の下壁部５０ｂに対してＺ軸方向にスライド移動可能となる。ここで、第２シャッタ６３は、その大きさ寸法の設定（特に平板部７８）により、一対の側壁部８０の間に封止位置の第１シャッタ６２を受け入れ、かつ一対の腕部８１で挟み込みつつ、平板部７８で当該第１シャッタ６２を覆い隠すことができる（図４等参照）。このため、第２シャッタ６３は、固定片部７２に設けられた解除突起７３のＹ軸方向負側に平板部７８を存在させることができ、トナーカートリッジ５０（その下壁部５０ｂ）の外方に解除突起７３が露出することを防止することができる（図４および図９等参照）。これを、第２シャッタ６３における被覆位置とする。
【００７５】
また、第２シャッタ６３では、被覆位置からＺ軸方向負側へと移動することにより、平板部７８に設けられた解除操作突起７９を、第１シャッタ６２の固定片部７２の解除突起７３とＹ軸方向で対向させることができる（図１６および図１７等参照）。すると、解除操作突起７９とは、解除突起７３との相対的な設定により、その解除突起７３をＹ軸方向正側へと押して固定片部７２の本体部７２ｂを解除姿勢（図１７参照）まで変位させることができる。このことから、第２シャッタ６３の解除操作突起７９が封止位置の第１シャッタ６２の解除突起７３とＹ軸方向で対向させる位置を、第２シャッタ６３の第１シャッタ６２に対する解除操作位置とする。この第２シャッタ６３は、第１シャッタ６２に対する解除操作位置を維持したまま、第１シャッタ６２とともにＺ軸方向負側へと移動することが可能とされている（図２１等参照）。このため、開放位置とされた第１シャッタ６２に対して、解除操作位置を維持する位置を、第２シャッタ６３の開放位置とする（図１６および図１７等参照）。
【００７６】
このように取り付けられることで、トナーカートリッジ５０の下壁部５０ｂにシャッタ機構６０が設けられる。このシャッタ機構６０では、図９に示すように、トナーカートリッジ５０の下壁部５０ｂの下方に取付突部６１およびそこからＺ軸方向正側に突出された一対の開放突起６７を存在させ、その下方（Ｙ軸方向負側）に第１シャッタ６２を存在させ、その下方（Ｙ軸方向負側）に第２シャッタ６３を存在させている。そして、シャッタ機構６０では、トナーカートリッジ５０の前端面５０ａ（収容部５１の前端面）の下部において、搬送スクリュ５６（図４参照）が設けられる遮蔽開口部５９の下方に、両開放突起６７の先端面６７ａを存在させ、その下方に第１シャッタ６２の設置部７４の先端面７４ａを存在させ、その下方に第２シャッタ６３の平板部７８の先端面７８ａを存在させている。
【００７７】
このシャッタ機構６０が設けられたトナーカートリッジ５０が装着されるトナー補給装置４３には、シャッタ機構６０の構成に適合するトナー容器固定部（容器固定部）９０が設けられている。以下では、これについて説明する。
【００７８】
トナー容器固定部９０は、図１０および図１１に示すように、案内溝部９１と第２受入凹部９２と固定溝部９３と第１受入凹部９４と固定爪部９５と補給口部（粉体補給口部）９６と固定解除爪部９７とを有する。案内溝部９１は、Ｘ軸方向で対を為して設けられており、Ｙ軸方向に凹まされるとともにＺ軸方向に伸びて形成されている。この一対の案内溝部９１は、装着されるトナーカートリッジ５０の一対の案内壁部５０ｄに対応する位置関係とされており、それぞれが対応する案内壁部５０ｄを受け入れることが可能とされている（図１４等参照）。両案内溝部９１は、図示を略す他の案内機構とともに、トナー容器固定部９０（トナー補給装置４３）に対するトナーカートリッジ５０の装着方向を規定する。
【００７９】
第２受入凹部９２は、一対の案内溝部９１の間に設けられており、トナーカートリッジ５０のシャッタ機構６０の第２シャッタ６３を受け入れることが可能とされている（図１４および図１５等参照）。すなわち、第２受入凹部９２は、トナー容器固定部９０（トナー補給装置４３）に対してトナーカートリッジ５０がＺ軸方向へと移動された際、第２シャッタ６３を含むシャッタ機構６０のトナーカートリッジ５０との一体的なＺ軸方向への移動を許容する。この第２受入凹部９２は、Ｘ軸方向で見た大きさ寸法が、第２シャッタ６３と略等しいものとされており、Ｚ軸方向への移動を可能としつつ嵌り込ませて第２シャッタ６３を受け入れる（図１４等参照）。
【００８０】
固定溝部９３は、第２受入凹部９２におけるＺ軸方向正側の端部において、Ｘ軸方向で見た両側で対を為して設けられている。この各固定溝部９３は、第２受入凹部９２からＸ軸方向で見た外側へと凹んで形成されており、Ｚ軸方向負側にＸ−Ｙ平面に平行な固定壁面９３ａを規定している。各固定溝部９３は、第２シャッタ６３の一対の腕部８１の引掛片部分８１ｂ（図７等参照）を受け入れることを可能とする大きさ寸法とされている。
【００８１】
第１受入凹部９４は、Ｚ軸方向で見て第２受入凹部９２に隣接されるとともに、Ｙ軸方向で見て第２受入凹部９２の正側に設けられており（図１１参照）、トナーカートリッジ５０のシャッタ機構６０の第１シャッタ６２を受け入れることが可能とされている（図１６および図１７等参照）。すなわち、第１受入凹部９４は、トナー容器固定部９０（トナー補給装置４３）に対してトナーカートリッジ５０がＺ軸方向へと移動された際、第１シャッタ６２のトナーカートリッジ５０との一体的なＺ軸方向への移動を許容する。この第１受入凹部９４は、Ｙ軸方向で見た第２受入凹部９２との変位量（高さ寸法の差異）が、シャッタ機構６０の第２シャッタ６３の高さ寸法と略等しいものとされており、第２受入凹部９２との間に第２段部９８を形成している。その第２段部９８は、トナー容器固定部９０（トナー補給装置４３）に対してＺ軸方向へと移動されたトナーカートリッジ５０の第２シャッタ６３（その平板部７８の先端面７８ａ）とＺ軸方向で当たる（干渉する）こととなり、その第２シャッタ６３のトナーカートリッジ５０（シャッタ機構６０の第１シャッタ６２を含む）との一体的なＺ軸方向への移動を阻む（図１６および図１７等参照）。第１受入凹部９４は、Ｘ軸方向で見た大きさ寸法が、第１シャッタ６２と略等しいものとされており、Ｚ軸方向への移動を可能としつつ嵌り込ませて第１シャッタ６２を受け入れる（図１６等参照）。
【００８２】
固定爪部９５は、第１受入凹部９４のＺ軸方向正側の端部の近傍で、その第１受入凹部９４をＸ軸方向で挟むように対を為して設けられている。両固定爪部９５は、Ｙ軸方向で見て全体にＵ字形状を呈しており、一端突起９５ａと他端突起９５ｂとを有する。一端突起９５ａと他端突起９５ｂとは、各固定爪部９５において、互いに等しい方向に伸びており、その突出端面が互いに平行とされ、一端突起９５ａの方が大きい突出量とされている。この一端突起９５ａと他端突起９５ｂとの突出量の差異は、Ｘ軸方向で見たトナーカートリッジ５０の取付突部６１の側面（Ｘ軸方向に直交する面）と第１シャッタ６２の両側壁部７１における固定壁部７５の裏側（その被引掛面７５ａのＺ軸方向負側）との位置の差異に等しくされている（図８および図１６等参照）。また、各固定爪部９５は、トナーカートリッジ５０が適切に装着された状態において、一端突起９５ａをトナーカートリッジ５０の取付突部６１の両側面に面で宛がうとともに、他端突起９５ｂをトナーカートリッジ５０に設けられた第１シャッタ６２の両側壁部７１において固定壁部７５の裏側（その被引掛面７５ａのＺ軸方向負側）に入り込ませる（存在させる）ことを可能とする位置に設けられている（図１６等参照）。さらに、各固定爪部９５は、後述する初期回転姿勢（図１０参照）であるとき、トナーカートリッジ５０が適切に装着されると、それぞれの一端突起９５ａがトナーカートリッジ５０の取付突部６１の両開放突起６７の先端面６７ａにＺ軸方向で当たることが可能とされている。
【００８３】
この両固定爪部９５は、回転軸部９５ｃを中心に回転可能とされるとともに、図示を略す規制部により矢印Ａ２方向へ向けた回転範囲が図１０に示す状態（初期回転姿勢）までに規制されている。両固定爪部９５は、図示を略す弾性部材により矢印Ａ２方向へ向けた回転力が付与されている。このため、両固定爪部９５は、何らの力が加えられていない状態では、図１０に示す初期回転姿勢とされている。また、両固定爪部９５は、図示を略す弾性部材に抗して押すことで矢印Ａ２とは反対側へと回転されることが可能とされている
（図１６等参照）。
【００８４】
補給口部９６は、Ｚ軸方向で見て第１受入凹部９４に隣接されるとともに、Ｙ軸方向で見て第１受入凹部９４よりも正側に設けられており（図１１参照）、その中心が開口されてトナー補給口（粉体補給口）９６ａが設けられている。このトナー補給口９６ａ（補給口部９６）は、トナー補給装置４３において、トナーカートリッジ５０（その排出口５５）から排出される現像剤Ｇを内方へ導くための入り口を形成するものであり、トナー一時貯留部４４（図３参照）に通じるものとされている。この補給口部９６は、Ｙ軸方向で見た第１受入凹部９４との変位量（高さ寸法の差異）が、シャッタ機構６０の第１シャッタ６２の高さ寸法と略等しいものとされており、第１受入凹部９４との間に第１段部９９を形成している。その第１段部９９は、トナー容器固定部９０（トナー補給装置４３）に対してＺ軸方向へと移動されたトナーカートリッジ５０の第１シャッタ６２（その設置部７４の先端面７４ａ）とＺ軸方向で当たる（干渉する）こととなり、その第１シャッタ６２のトナーカートリッジ５０との一体的なＺ軸方向への移動を阻む。このため、トナー容器固定部９０では、装着方向（Ｚ軸方向負側から正側）で見て、手前に第２段部９８が設けられているとともに、そこから間隔を置いて第１段部９９が設けられている。補給口部９６の上端面（Ｙ軸方向正側の面であってトナー補給口９６ａにより開口された面）は、トナーカートリッジ５０が適切に装着された状態において、その取付突部６１の下端面（Ｙ軸方向負側の面であって排出口５５により開口された面）と面で当たる位置関係とされている（図２１等参照）。このとき、排出口５５とトナー補給口９６ａとは、Ｙ軸方向で対向されて接続される。
【００８５】
固定解除爪部９７は、トナー容器固定部９０におけるＸ軸方向で見た外側の各端部で対を為して設けられており、それぞれ固定解除爪９７ａと押圧弾性部材９７ｂとを有する。その各固定解除爪９７ａは、トナー容器固定部９０に対してＸ軸方向に移動可能とされるとともに、図示を略す規制部によりトナー容器固定部９０から外側へ向けた移動範囲が図１０に示す状態（初期飛出位置）までに規制されている。各押圧弾性部材９７ｂは、Ｘ軸方向の外側へ向けた力を対応する固定解除爪９７ａに付与する。このため、各固定解除爪９７ａは、何らの力が加えられていない状態では、図１０に示す初期飛出位置とされて、トナー容器固定部９０から先端部を突出させている。また、各固定解除爪９７ａは、各押圧弾性部材９７ｂに抗してＸ軸方向の内側へと押すことにより、先端部をトナー容器固定部９０内に押し入れることが可能とされている。
【００８６】
その固定解除爪９７ａの先端部は、Ｙ軸方向から見ると三角形状とされており、Ｚ軸方向正側に前側傾斜辺部９７ｃを形成するとともに、Ｚ軸方向負側に後側傾斜辺部９７ｄを形成する（図１０参照）。この固定解除爪９７ａの先端部（前側傾斜辺部９７ｃおよび後側傾斜辺部９７ｄ）は、トナー容器固定部９０（トナー補給装置４３）に対してトナーカートリッジ５０がＺ軸方向へと移動される際、その各側壁部５０ｃに設けられた固定解除片６８（その前側傾斜辺部６８ａおよび後側傾斜辺部６８ｂ（図５等参照））とＺ軸方向で対向して互いに干渉することが可能とされている（図１９および図２０等参照）。
【００８７】
次に、トナーカートリッジ５０のトナー容器固定部９０（トナー補給装置４３）への装着操作の際のシャッタ機構６０およびトナー容器固定部９０の動作について、図１２から図２２を用いて説明する。図１２は、トナーカートリッジ５０の移動に伴うシャッタ機構６０とトナー容器固定部９０との動作を模式的に示す説明図であり、（ａ）はトナーカートリッジ５０とトナー容器固定部９０とが装着方向で対向された状態を示し、（ｂ）は第２シャッタ６３が第２段部９８に当たった状態を示し、（ｃ）は第１シャッタ６２が第１段部９９に当たった状態を示し、（ｄ）は排出口５５とトナー補給口９６ａとが接続された状態を示す。図１３は、トナーカートリッジ５０の移動に伴うシャッタ機構６０の動作を模式的に示す説明図であり、（ａ）は第１シャッタ６２が封止位置で第２シャッタ６３が被覆位置である様子を示し、（ｂ）は第１シャッタ６２が封止位置で第２シャッタ６３が解除操作位置である様子を示し、（ｃ）は、第１シャッタ６２が開放位置で第２シャッタ６３が開放位置である様子を示す。図１４は、トナーカートリッジ５０をトナー容器固定部９０へと装着する様子を説明すべく、トナーカートリッジ５０を図８と同様の断面図で示すとともにトナー容器固定部９０を図１０と同様の正面図で示す説明図であり、トナーカートリッジ５０の第２シャッタ６３がトナー容器固定部９０の第２段部９８に当たった状態を示す。
【００８８】
図１５は、トナーカートリッジ５０をトナー容器固定部９０へと装着する様子を説明すべく、図１４のIV−IV線に沿って得られた断面で示す説明図である。図１６は、図１４と同様の説明図であり、トナーカートリッジ５０の第１シャッタ６２がトナー容器固定部９０の第１段部９９に当たった状態を示す。図１７は、図１５と同様の説明図であり、図１６と同様の状態を示す。図１８は、Ｙ軸方向負側から見たトナーカートリッジ５０（シャッタ機構６０）に両固定爪部９５および両固定解除爪部９７を付して示す説明図であり、図１６および図１７と同様の状態を示す。図１９は、図１４と同様の説明図であり、トナーカートリッジ５０の固定解除片６８がトナー容器固定部９０の両固定解除爪部９７（固定解除爪９７ａ）をトナー容器固定部９０内に押し入れた状態を示す。図２０は、図１４と同様の説明図であり、トナーカートリッジ５０の排出口５５とトナー容器固定部９０（トナー補給装置４３）のトナー補給口９６ａとが接続された状態を示す。図２１は、図１５と同様の説明図であり、図２０と同様の状態を示す。図２２は、図１８と同様の説明図であり、図２０および図２１と同様の状態を示す。
【００８９】
なお、図１２では、理解容易のために、シャッタ機構６０を第１シャッタ６２と第２シャッタ６３と排出口５５とで示すとともに、トナー容器固定部９０を第２段部９８と第１段部９９とトナー補給口９６ａとで示す。また、図１３では、理解容易のために、シャッタ機構６０を、図１２と同様に第１シャッタ６２と第２シャッタ６３と排出口５５とで示す。
【００９０】
先ず、図１２（ａ）に矢印Ａ３で示すように、トナー容器固定部９０へ向けて、トナーカートリッジ５０を装着方向（Ｚ軸方向正側）へと移動させる。このとき、トナーカートリッジ５０の一対の案内壁部５０ｄ（図５等参照）をトナー容器固定部９０の一対の案内溝部９１（図１０等参照）内に挿入しつつ、図示を略す他の案内機構を互いに合わせることにより、トナー容器固定部９０に対するトナーカートリッジ５０の移動方向が装着方向（Ｚ軸方向正側）に規定される（図１４参照）。この状態において、シャッタ機構６０では、第１シャッタ６２が封止位置であることから、排出口５５の周辺で取付突部６１にシャッタシール７７が押し当てられており、その排出口５５が封止されている（図１２（ａ）、図１３（ａ）、図１４および図１５参照）。また、シャッタ機構６０では、第２シャッタ６３が被覆位置であることから、解除突起７３を含む第１シャッタ６２が第２シャッタ６３により覆い隠されている（図４、図１４および図１５等参照）。さらに、第１シャッタ６２では、固定片部７２の本体部７２ｂの両押当脚部分７２ｃが、下壁部５０ｂに設けられた固定突起６５の両被押当部６５ｂとＺ軸方向で当たっている（図８、図９および図１４参照）ことから、取付突部６１（トナーカートリッジ５０）に対するＺ軸方向負側への移動が防止されている。ついで、第２シャッタ６３では、両腕部８１（それぞれの突出端８１ａ）が、第１シャッタ６２の各側壁部７１の前端部（Ｚ軸方向正側の端部）のＺ軸方向正側に存在されており、その両腕部８１が各側壁部７１の前端部に当たることで、取付突部６１（トナーカートリッジ５０）に対するＺ軸方向負側への移動が抑制されている（図１４等参照）。
【００９１】
その後、図１２（ｂ）に矢印Ａ４で示すように、トナーカートリッジ５０をＺ軸方向正側へと移動させると、シャッタ機構６０の第２シャッタ６３がトナー容器固定部９０の第２受入凹部９２内に進入し、やがて第２シャッタ６３（その平板部７８の先端面７８ａ）がトナー容器固定部９０の第２段部９８に当たる（図１２（ｂ）、図１４および図１５参照）。このため、第２シャッタ６３は、トナー容器固定部９０に対してＺ軸方向正側へと移動することが制限される。
【００９２】
その後、トナーカートリッジ５０をＺ軸方向正側へと移動させると、シャッタ機構６０の第１シャッタ６２がトナー容器固定部９０の第１受入凹部９４内に進入することで、その第１シャッタ６２がトナーカートリッジ５０とともにＺ軸方向正側へと移動し、第２シャッタ６３が第２段部９８による制限位置に留まる（図１２（ｃ）、図１３（ｂ）、図１６および図１７参照）。すなわち、トナーカートリッジ５０では、第１シャッタ６２が封止位置とされたまま、第２シャッタ６３が被覆位置からＺ軸方向負側へと移動することとなる（図１３（ｂ）等参照）。すると、第２シャッタ６３の両腕部８１は、それぞれの突出端８１ａが第１シャッタ６２の各側壁部７１に当たることで、その各突出端８１ａがＸ軸方向の外側へと変位しつつＺ軸方向に沿って伸びるように変形される（図１６等参照）。このため、各腕部８１の引掛片部分８１ｂ（その突出端（Ｘ軸方向の外側の端部））は、側壁部８０（そのＸ軸方向の外側の壁面）よりもＸ軸方向の外側に変位（突出）されて、第２受入凹部９２に通じる一対の固定溝部９３のそれぞれに進入される（図１６等参照）。
【００９３】
その後、図１２（ｃ）に矢印Ａ５の示すように、トナーカートリッジ５０をＺ軸方向正側へと移動させると、シャッタ機構６０の第１シャッタ６２（その設置部７４の先端面７４ａ）がトナー容器固定部９０の第１段部９９に当たる（図１２（ｃ）、図１６および図１７参照）。このため、第１シャッタ６２は、トナー容器固定部９０に対してＺ軸方向正側へと移動することが制限される。
【００９４】
この状態では、第１シャッタ６２と第２シャッタ６３とのＺ軸方向への相対的な移動により、第１シャッタ６２の解除突起７３と第２シャッタ６３の解除操作突起７９とがＹ軸方向で対向する解除操作位置となる（図１６および図１７参照）。このため、解除操作突起７９が解除突起７３をＹ軸方向正側へと押すことで、固定片部７２の本体部７２ｂが解除姿勢まで変位される（図１７参照）。ここで、解除突起７３と解除操作突起７９とは、第１シャッタ６２と第２シャッタ６３とのＺ軸方向への相対的な移動の過程においてＺ軸方向で当たることとなるが、解除突起７３のＺ軸方向正側の端部が傾斜面７３ａとされているとともに、解除操作突起７９のＺ軸方向負側の端部が傾斜面７９ａとされていることから、互いに引っ掛かることが防止されている。これにより、第１シャッタ６２では、固定片部７２の本体部７２ｂの両押当脚部分７２ｃが、下壁部５０ｂに設けられた固定突起６５の両被押当部６５ｂとＺ軸方向で当たっている状態（図１４および図１５参照）が解消されて、その本体部７２ｂ（両押当脚部分７２ｃ）が通路空間６５ｃとＺ軸方向で対向することとなり、取付突部６１（トナーカートリッジ５０）に対するＺ軸方向負側への移動が可能となる。
【００９５】
また、この状態では、トナー容器固定部９０に対するトナーカートリッジ５０の取付突部６１のＺ軸方向正側への相対的な移動により、その取付突部６１の両開放突起６７（その先端面６７ａ）がトナー容器固定部９０の各固定爪部９５の一端突起９５ａとＺ軸方向で当たり、その一端突起９５ａをＺ軸方向正側へと押すことで、両固定爪部９５が回転軸部９５ｃを中心に初期回転姿勢（図１０参照）から回転されている（図１６および図１８参照）。このため、各固定爪部９５は、一端突起９５ａをトナーカートリッジ５０の取付突部６１の両側面に面で宛がうとともに、それぞれの他端突起９５ｂをトナーカートリッジ５０に設けられた第１シャッタ６２の両側壁部７１において固定壁部７５の裏側（その被引掛面７５ａのＺ軸方向負側）に入り込ませて（存在させて）いる（図１６参照）。
【００９６】
その後、図１２（ｃ）に示す矢印Ａ５のように、トナーカートリッジ５０をＺ軸方向正側へと移動させると、トナーカートリッジ５０（その取付突部６１）が補給口部９６上へと進み、第１シャッタ６２が第１段部９９による制限位置に留まるとともに、第２シャッタ６３が第２段部９８による制限位置に留まる（図１２（ｄ）、図１３（ｃ）および図１９参照）。すなわち、トナーカートリッジ５０では、第１シャッタ６２と第２シャッタ６３とが解除操作位置を維持したまま、Ｚ軸方向負側へと移動することとなる（図１３（ｃ）等参照）。このとき、トナーカートリッジ５０の各側壁部５０ｃの固定解除片６８は、その前側傾斜辺部６８ａが、トナー容器固定部９０の固定解除爪部９７の各固定解除爪９７ａの後側傾斜辺部９７ｄとＺ軸方向で当たり、その状態でさらにＺ軸方向正側へと移動されることにより、各固定解除爪９７ａ（その先端部（前側傾斜辺部９７ｃおよび後側傾斜辺部９７ｄ））をトナー容器固定部９０内に押し入れる（図１９参照）。
【００９７】
その後、トナーカートリッジ５０をＺ軸方向正側へと移動させると、排出口５５の周辺で取付突部６１に第１シャッタ６２のシャッタシール７７が押し当てられている状態（図１７等参照）が解除されるとともに、取付突部６１の下端面（Ｙ軸方向負側の面）と補給口部９６の上端面（Ｙ軸方向正側の面）とが面で当たりつつ、取付突部６１の排出口５５が補給口部９６のトナー補給口９６ａとＹ軸方向で対向されて接続される（図１３（ｃ）および図２０から図２２参照）。このため、トナーカートリッジ５０では、第１シャッタ６２が排出口５５を開放する開放位置とされるとともに、第２シャッタ６３が第１シャッタ６２に対して解除操作位置を維持する開放位置となる（図１３（ｃ）および図２０から図２２参照）。このとき、各腕部８１では、突出端８１ａの近傍におけるＸ軸方向で見た内側の面が、支持突起６６の基端部６６ａに設けられた傾斜壁面６６ｃに宛がわれる（図２０等参照）。また、トナーカートリッジ５０の各側壁部５０ｃの固定解除片６８は、その先端箇所（前側傾斜辺部６８ａと後側傾斜辺部６８ｂとの稜線）が、トナー容器固定部９０の各固定解除爪部９７の固定解除爪９７ａの先端箇所（前側傾斜辺部９７ｃと後側傾斜辺部９７ｄとの稜線）を超えた後に、その各固定解除爪９７ａ（各固定解除爪部９７）とは干渉しない位置までＺ軸方向正側に移動される（図２０および図２２参照）。このため、各固定解除片６８は、その後側傾斜辺部６８ｂを、各固定解除爪部９７の固定解除爪９７ａの前側傾斜辺部９７ｃとＺ軸方向で対向させており、トナーカートリッジ５０をトナー容器固定部９０に解除可能に固定している（図２０および図２２参照）。
【００９８】
このように、排出口５５とトナー補給口９６ａとが接続された状態（図２１等参照）では、各固定爪部９５の他端突起９５ｂが、第１段部９９による制限位置において開放位置とされた第１シャッタ６２の両側壁部７１における固定壁部７５の裏側（その被引掛面７５ａのＺ軸方向負側）に入り込まれている。また、その排出口５５とトナー補給口９６ａとが接続された状態（図２１等参照）では、第２段部９８による制限位置において開放位置とされた第２シャッタ６３の両腕部８１の各引掛片部分８１ｂが、各固定溝部９３に進入されている（図２０等参照）。
【００９９】
これにより、トナー容器固定部９０にトナーカートリッジ５０が適切に装着されることとなり、トナーカートリッジ５０の装着動作が完了する。このように、トナーカートリッジ５０が適切に装着されると、トナー補給装置４３では、トナーカートリッジ５０の排出口５５から外部に排出された現像剤Ｇを、トナー容器固定部９０のトナー補給口９６ａから内方（トナー一時貯留部４４）に導くことができる（図３参照）。これにより、トナーカートリッジ５０から排出された現像剤Ｇは、現像装置２３内に供給される（図３参照）。
【０１００】
次に、トナーカートリッジ５０のトナー容器固定部９０（トナー補給装置４３）からの取り出し操作の際のシャッタ機構６０およびトナー容器固定部９０の動作について、図１２および図１３に加えて、図２３から図２５を用いて説明する。図２３は、トナー容器固定部９０からトナーカートリッジ５０を取り出す様子を説明すべく、トナーカートリッジ５０を図８と同様の断面図で示すとともにトナー容器固定部９０を図１０と同様の正面図で示す同様の説明図であり、トナーカートリッジ５０がトナー容器固定部９０に対してＺ軸方向負側へと移動され始めて両固定解除爪部９７によるトナーカートリッジ５０の固定が解除される様子を示す。図２４は、図２３と同様の説明図であり、トナーカートリッジ５０をトナー容器固定部９０に対してＺ軸方向負側へと移動されて両固定爪部９５による第１シャッタ６２の固定が解除された様子を示す。図２５は、図２３と同様の説明図であり、トナーカートリッジ５０をトナー容器固定部９０に対してＺ軸方向負側へと移動されて各引掛片部分８１ｂと各固定溝部９３とによる第２シャッタ６３の固定が解除された様子を示す。
【０１０１】
このトナー容器固定部９０では、トナーカートリッジ５０を取り出すには、そのトナーカートリッジ５０を装着方向とは反対側すなわちＺ軸方向負側へと移動させることとなり、Ｚ軸方向負側が取出方向となる。
【０１０２】
先ず、図１２（ｄ）に矢印Ａ６で示すように、トナー容器固定部９０からトナーカートリッジ５０を取出方向（Ｚ軸方向負側）へと移動させる。すると、トナーカートリッジ５０の各側壁部５０ｃの固定解除片６８は、その後側傾斜辺部６８ｂが、トナー容器固定部９０の各固定解除爪部９７の固定解除爪９７ａの前側傾斜辺部９７ｃとＺ軸方向で当たり、その状態でさらにＺ軸方向負側へと移動されることにより、各固定解除爪９７ａ（その先端部（前側傾斜辺部９７ｃおよび後側傾斜辺部９７ｄ））をトナー容器固定部９０内に押し入れる（図２３参照）。その後、トナーカートリッジ５０をさらに取出方向（Ｚ軸方向負側）へと移動させることにより、各側壁部５０ｃの固定解除片６８は、その先端箇所（前側傾斜辺部６８ａと後側傾斜辺部６８ｂとの稜線）が、トナー容器固定部９０の各固定解除爪部９７の固定解除爪９７ａの先端箇所（前側傾斜辺部９７ｃと後側傾斜辺部９７ｄとの稜線）を超えて、その各固定解除爪９７ａ（各固定解除爪部９７）とは干渉しない位置までＺ軸方向負側に移動されることで、各固定解除片６８と各固定解除爪部９７とによる固定状態を解除することができる（図２４等参照）。
【０１０３】
また、トナーカートリッジ５０を取出方向（Ｚ軸方向負側）に移動させると、取付突部６１がＺ軸方向負側へと移動して、排出口５５がトナー容器固定部９０のトナー補給口９６ａとＹ軸方向で対向した状態が解除される（図２３参照）。このとき、シャッタ機構６０では、トナー容器固定部９０の各固定爪部９５の他端突起９５ｂが、第１シャッタ６２の両側壁部７１において固定壁部７５の裏側（その被引掛面７５ａのＺ軸方向負側）に入り込んでいることから、その他端突起９５ｂが固定壁部７５の被引掛面７５ａとＺ軸方向で当たることにより、第１シャッタ６２がトナー容器固定部９０に対してＺ軸方向負側へと移動することが制限されている。また、シャッタ機構６０では、第２シャッタ６３の両腕部８１の各引掛片部分８１ｂが、トナー容器固定部９０の各固定溝部９３に進入していることから、その各固定溝部９３の固定壁面９３ａに各引掛片部分８１ｂがＺ軸方向で当たる（干渉する）ことにより、トナー容器固定部９０に対して第２シャッタ６３がＺ軸方向負側へと移動することが制限されている。このため、トナーカートリッジ５０では、第１シャッタ６２が第１段部９９による制限位置で固定され、かつ第２シャッタ６３が第２段部９８による制限位置で固定されているので、取付突部６１（トナーカートリッジ５０）とともにＺ軸方向負側へと移動することが防止されている（図１２（ｄ）から（ｃ）参照）。すなわち、トナーカートリッジ５０では、第１シャッタ６２と第２シャッタ６３とが解除操作位置を維持したまま、Ｚ軸方向正側へと移動することとなる（図１３（ｃ）から（ｂ）参照）。
【０１０４】
その後、トナーカートリッジ５０を取出方向（Ｚ軸方向負側）へと移動させて、トナーカートリッジ５０の取付突部６１の排出口５５の周辺に、第１シャッタ６２のシャッタシール７７が押し当てられている状態となると、第１シャッタ６２が封止位置とされて、そのシャッタシール７７（図１７等参照）により排出口５５が封止される（図１２（ｃ）、図１３（ｂ）および図２４参照）。すると、シャッタ機構６０では、取付突部６１に対するトナー容器固定部９０の各固定爪部９５および第１段部９９の位置設定により、トナーカートリッジ５０の取付突部６１の両開放突起６７（その先端面６７ａ）が、トナー容器固定部９０の各固定爪部９５の一端突起９５ａよりもＺ軸方向負側まで移動される（図２４参照）。このため、取付突部６１（両開放突起６７）が一端突起９５ａをＺ軸方向正側へと押す状態が解除されるので、両固定爪部９５が回転軸部９５ｃを中心に回転して初期回転姿勢となる（図２４参照）。これにより、トナー容器固定部９０の各固定爪部９５の他端突起９５ｂが、第１シャッタ６２の両側壁部７１において固定壁部７５の裏側（その被引掛面７５ａのＺ軸方向負側）に入り込む状態が解除されるので、第１シャッタ６２がトナー容器固定部９０に対してＺ軸方向負側へと移動することが可能となる。このとき、第２シャッタ６３は、トナー容器固定部９０に対してＺ軸方向負側へと移動することが制限されて、第２段部９８による制限位置で固定されたままである（図２４参照）。
【０１０５】
ここで、その両固定爪部９５は、上述したように、一端突起９５ａをトナーカートリッジ５０の取付突部６１の両側面に面で宛がうことにより、他端突起９５ｂをトナーカートリッジ５０に設けられた第１シャッタ６２の両側壁部７１において固定壁部７５の裏側（その被引掛面７５ａのＺ軸方向負側）に入り込ませて（存在させて）いる。また、その取付突部６１は、上述したように、第１段部９９による制限位置で固定された第１シャッタ６２が封止位置となるまでトナー容器固定部９０に対してトナーカートリッジ５０がＺ軸方向負側へと移動されることにより、両開放突起６７（その先端面６７ａ）をトナー容器固定部９０の各固定爪部９５の一端突起９５ａよりもＺ軸方向負側まで移動させる。このことから、取付突部６１は、第１シャッタ６２が封止位置となるまでは、両側面を各固定爪部９５の一端突起９５ａに面で宛がわせて、その両固定爪部９５の初期回転姿勢への回転を防止する。このため、シャッタ機構６０では、第１シャッタ６２がトナーカートリッジ５０における封止位置となるまでは、両固定爪部９５で当該第１シャッタ６２を第１段部９９による制限位置に固定する。換言すると、シャッタ機構６０では、第１シャッタ６２が封止位置となる前に、当該第１シャッタ６２の第１段部９９による制限位置での固定を解除してしまうことが防止されている。このことから、トナーカートリッジ５０では、トナー容器固定部９０に対してＺ軸方向負側へと移動される際、第１シャッタ６２が確実に封止位置とされて、そのシャッタシール７７により取付突部６１の排出口５５が確実に封止される。
【０１０６】
その後、図１２（ｃ）に矢印Ａ７で示すように、トナーカートリッジ５０を取出方向（Ｚ軸方向負側）へと移動させると、シャッタ機構６０の第１シャッタ６２がトナーカートリッジ５０とともにＺ軸方向負側へと移動し、第２シャッタ６３が第２段部９８による制限位置に留まる（図１２（ｃ）から（ｂ）参照）。すなわち、トナーカートリッジ５０では、第１シャッタ６２が封止位置とされたまま、第２シャッタ６３がＺ軸方向正側へと移動することとなる（図１３（ｂ）から（ａ）参照）。すると、第１シャッタ６２と第２シャッタ６３とのＺ軸方向への相対的な移動により、第１シャッタ６２の解除突起７３と第２シャッタ６３の解除操作突起７９とがＹ軸方向で対向する解除操作位置が解除され（図２４等参照）、固定片部７２の本体部７２ｂが弾性力により元の位置（固定姿勢（図１５等参照））に復帰して、固定片部７２の本体部７２ｂの両押当脚部分７２ｃが、下壁部５０ｂに設けられた固定突起６５の両被押当部６５ｂとＺ軸方向で当たっている状態となる（図８、図９、図１４および図２４等参照）。このため、第１シャッタ６２は、シャッタシール７７で排出口５５を封止する封止位置であって、固定片部７２の本体部７２ｂの両押当脚部分７２ｃを下壁部５０ｂの固定突起６５の両被押当部６５ｂにＺ軸方向で当てることで、トナーカートリッジ５０に対するＺ軸方向負側への移動が防止された状態とされる。
【０１０７】
その後、トナーカートリッジ５０を取出方向（Ｚ軸方向負側）へと移動させると、シャッタ機構６０の第１シャッタ６２が第２シャッタ６３の両腕部８１の間へと入り込むことで、その両腕部８１のそれぞれの突出端８１ａが第１シャッタ６２の各側壁部７１に当たる状態が解除される（図２５参照）。このため、第２シャッタ６３の両腕部８１は、それぞれの突出端８１ａがＸ軸方向の内側へと移動することが可能となるため、初期湾曲状態となって引掛片部分８１ｂがトナー容器固定部９０の各固定溝部９３に入り込んだ状態が解除されるので、第２シャッタ６３がトナー容器固定部９０に対してＺ軸方向負側へと移動することが可能となる（図２５参照）。このとき、第２シャッタ６３は、固定片部７２に設けられた解除突起７３のＹ軸方向負側に平板部７８を存在させ、トナーカートリッジ５０（その下壁部５０ｂ）の外方に解除突起７３が露出することを防止する被覆位置となる（図１２（ｂ）、図１３（ａ）および図２５参照）。
【０１０８】
その後、図１２（ｂ）に矢印Ａ８で示すように、トナーカートリッジ５０を取出方向（Ｚ軸方向負側）へと移動させることで、トナー容器固定部９０から取り出すことができる（図１２（ａ）参照）。このとき、シャッタ機構６０では、第１シャッタ６２が封止位置であることから、排出口５５の周辺で取付突部６１にシャッタシール７７を押し当てており、その排出口５５を封止している（図１２（ａ）、図１３（ａ）、図１５および図２５参照）。また、シャッタ機構６０では、第２シャッタ６３が被覆位置であることから、解除突起７３を含む第１シャッタ６２を第２シャッタ６３で覆い隠している（図４、図１５および図２５等参照）。このため、トナーカートリッジ５０は、トナー容器固定部９０（トナー補給装置４３）に装着する前と同様の、シャッタ機構６０により排出口５５が封止された状態となる（図４等参照）。以上により、トナーカートリッジ５０の取り出し動作が完了する。
【０１０９】
本発明に係る粉体収納容器としてのトナーカートリッジ５０（５０Ｙ、５０Ｍ、５０Ｃ、５０ＢＫ）では、排出口５５を封止している封止位置の第１シャッタ６２の解除突起７３を被覆位置の第２シャッタ６３で覆い隠していることから、誤って解除突起７３に触れることを防止することができるので、誤って解除突起７３が押されることを防止することができる。このため、第１シャッタ６２が封止位置から開放位置へと移動されることを防止することができるので、排出口５５が誤って開放されることを防止することができる。
【０１１０】
また、トナーカートリッジ５０（５０Ｙ、５０Ｍ、５０Ｃ、５０ＢＫ）では、第２シャッタ６３を被覆位置から解除操作位置へ移動させることで、その第２シャッタ６３の解除操作突起７９で第１シャッタ６２の解除突起７３を押してその第１シャッタ６２の封止位置での固定を解除することができるので、シャッタ機構６０としての排出口５５の開閉機能を損なうことはない。
【０１１１】
さらに、トナーカートリッジ５０（５０Ｙ、５０Ｍ、５０Ｃ、５０ＢＫ）では、第２シャッタ６３が解除突起７３を含む封止位置の第１シャッタ６２全体を覆い隠していることから、第１シャッタ６２が開放位置から封止位置へと移動して排出口５５を封止する際に、その第１シャッタ６２に現像剤Ｇが付着した場合であっても、現像剤Ｇに触れることを防止することができ、使い勝手を向上させることができる。
【０１１２】
トナーカートリッジ５０（５０Ｙ、５０Ｍ、５０Ｃ、５０ＢＫ）では、第２シャッタ６３が平板状を呈していることから、その第２シャッタ６３を被覆位置から解除操作位置へと移動させることが容易ではないので、より効果的に排出口５５が誤って開放されることを防止することができる。
【０１１３】
トナーカートリッジ５０（５０Ｙ、５０Ｍ、５０Ｃ、５０ＢＫ）では、両腕部８１（それぞれの突出端８１ａ）が、第１シャッタ６２の各側壁部７１の前端部（Ｚ軸方向正側の端部）のＺ軸方向正側に存在され、その両腕部８１が各側壁部７１の前端部に当たることで、第２シャッタ６３の取付突部６１（トナーカートリッジ５０）に対するＺ軸方向負側への移動を抑制していることから、その第２シャッタ６３を被覆位置から解除操作位置へと移動させることが容易ではないので、より効果的に排出口５５が誤って開放されることを防止することができる。
【０１１４】
トナーカートリッジ５０（５０Ｙ、５０Ｍ、５０Ｃ、５０ＢＫ）では、第２シャッタ６３に対する第１シャッタ６２のＺ軸方向正側への移動により、突出端８１ａが第１シャッタ６２の各側壁部７１に当たって両腕部８１が変形されることで、そこに設けられた引掛片部分８１ｂをＸ軸方向で見た側壁部８０（Ｘ軸方向で見た位置がそこと等しい両腕部８１）よりも外側に変位（突出）させるものであることから、第２シャッタ６３の被覆位置から解除操作位置への移動により、第２シャッタ６３のトナー容器固定部９０に対するＺ軸方向負側への移動を防止することを可能とすることができる。
【０１１５】
トナーカートリッジ５０（５０Ｙ、５０Ｍ、５０Ｃ、５０ＢＫ）では、第１シャッタ６２（その各側壁部７１）を利用して第２シャッタ６３の両腕部８１の変形およびその解除を行うものであることから、シャッタ機構６０をより簡易な構成とすることができる。
【０１１６】
トナーカートリッジ５０（５０Ｙ、５０Ｍ、５０Ｃ、５０ＢＫ）では、第１シャッタ６２の移動可能とされた方向と、第２シャッタ６３の移動可能とされた方向と、が装着方向と一致（互いに平行と）されていることから、装着方向へと移動させることに伴って第１シャッタ６２および第２シャッタ６３を移動させることを可能とすることを容易なものとすることができる。
【０１１７】
トナーカートリッジ５０（５０Ｙ、５０Ｍ、５０Ｃ、５０ＢＫ）では、装着方向の前方側の前端面５０ａの下部において、搬送スクリュ５６が設けられる遮蔽開口部５９の下方に両開放突起６７の先端面６７ａを存在させ、その下方に第１シャッタ６２の設置部７４の先端面７４ａを存在させ、その下方に第２シャッタ６３の平板部７８の先端面７８ａを存在させていることから、装着方向に直交する面（第１段部９９をおよび第２段部９８）を異なる高さ位置で設けるだけで、装着方向への移動に伴い第１シャッタ６２および第２シャッタ６３を移動させることを可能とすることができる。
【０１１８】
トナーカートリッジ５０（５０Ｙ、５０Ｍ、５０Ｃ、５０ＢＫ）では、第１シャッタ６２の解除突起７３のＺ軸方向正側の端部が傾斜面７３ａとされているとともに、第２シャッタ６３の解除操作突起７９のＺ軸方向負側の端部が傾斜面７９ａとされていることから、第２シャッタ６３が被覆位置から解除操作位置へと移動する際に解除突起７３と解除操作突起７９とが互いに引っ掛かることを防止することができる。
【０１１９】
トナーカートリッジ５０（５０Ｙ、５０Ｍ、５０Ｃ、５０ＢＫ）では、第２シャッタ６３の両側壁部８０のＹ軸方向正側の端部に傾斜面８０ｂが設けられていることから、その傾斜面８０ｂをＹ軸方向負側からトナーカートリッジ５０の下壁部５０ｂの一対の支持突起６６の平板部６６ｂに宛がい、第２シャッタ６３をＹ軸方向正側へと押すことにより、下壁部５０ｂ（その一対の支持突起６６）に取り付けることができる。
【０１２０】
トナーカートリッジ５０（５０Ｙ、５０Ｍ、５０Ｃ、５０ＢＫ）では、シャッタ機構６０が排出口５５を開放する状態となると、第２シャッタ６３の両腕部８１において、突出端８１ａの近傍におけるＸ軸方向で見た内側の面が、支持突起６６の基端部６６ａに設けられた傾斜壁面６６ｃに宛がわれることから、各引掛片部分８１ｂを各固定溝部９３に進入させた状態を維持しつつ、両腕部８１に伸び癖が付くこと（伸びた状態から初期状態へと戻らなくなること）を防止することができる。
【０１２１】
トナーカートリッジ５０（５０Ｙ、５０Ｍ、５０Ｃ、５０ＢＫ）では、シャッタ機構６０が排出口５５を開放する状態となると、第２シャッタ６３の両腕部８１において、突出端８１ａの近傍におけるＸ軸方向で見た内側の面が、支持突起６６の基端部６６ａに設けられた傾斜壁面６６ｃに宛がわれることから、両腕部８１を安定させて各引掛片部分８１ｂを各固定溝部９３に進入させた状態を維持することができる。
【０１２２】
トナーカートリッジ５０（５０Ｙ、５０Ｍ、５０Ｃ、５０ＢＫ）では、第２シャッタ６３の両腕部８１が、第２シャッタ６３の被覆位置から解除操作位置への移動を抑制する機能と、第２シャッタ６３のトナー容器固定部９０に対するＺ軸方向負側への移動を防止する機能と、を具備するものであることから、第２シャッタ６３を簡易な構成とすることができる。
【０１２３】
トナーカートリッジ５０（５０Ｙ、５０Ｍ、５０Ｃ、５０ＢＫ）では、全体に箱状を呈するものとされていることから、下壁部５０ｂを下側から支えるように持ち運ばれることが想定されるので、シャッタ機構６０が設けられていることをより効果的なものとすることができる。
【０１２４】
本発明に係る粉体補給装置としてのトナー補給装置４３では、トナー容器固定部９０において、第２シャッタ６３を受け入れる第２受入凹部９２と第１シャッタ６２を受け入れる第１受入凹部９４とで形成した第２段部９８を、トナーカートリッジ５０の装着方向で第２シャッタ６３（その平板部７８の先端面７８ａ）に当てるものであることから、トナー容器固定部９０（トナー補給装置４３）に対してトナーカートリッジ５０を装着方向に移動させるだけで、第２シャッタ６３を被覆位置から解除操作位置へと移動させることができる。
【０１２５】
トナー補給装置４３では、第１シャッタ６２が第１受入凹部９４内に進入すると、第２段部９８による制限位置の第２シャッタ６３に対して第１シャッタ６２をＺ軸方向正側へと移動させることができるので、第１シャッタ６２（その各側壁部７１）で第２シャッタ６３の両腕部８１を変形させてそこに設けられた引掛片部分８１ｂをＸ軸方向で見た側壁部８０（Ｘ軸方向で見た位置がそこと等しい両腕部８１）よりも外側に変位（突出）させることができ、その各引掛片部分８１ｂをトナー容器固定部９０の各固定溝部９３に進入させることができる。このため、第２段部９８による制限位置での第２シャッタ６３のＺ軸方向負側への移動を防止することができる。
【０１２６】
トナー補給装置４３では、トナー容器固定部９０において、第１シャッタ６２を受け入れる第１受入凹部９４とトナー補給口９６ａが設けられた補給口部９６とで形成した第１段部９９を、トナーカートリッジ５０の装着方向で第１シャッタ６２（その設置部７４の先端面７４ａ）に当てるものであることから、トナー容器固定部９０（トナー補給装置４３）に対してトナーカートリッジ５０を装着方向に移動させるだけで、第１シャッタ６２を封止位置から開放位置へと移動させることができる。
【０１２７】
トナー補給装置４３では、第１シャッタ６２（その設置部７４の先端面７４ａ）が第１段部９９に当たる位置まで進むと、第２段部９８による制限位置の第２シャッタ６３が相対的に第１シャッタ６２に対する被覆位置から解除操作位置へ移動されることから、トナーカートリッジ５０に対する第１シャッタ６２のＺ軸方向負側への移動を可能とすることができるので、トナーカートリッジ５０の装着方向への移動の際に第１シャッタ６２が第１段部９９による制限位置に留まることを可能とすることができる。
【０１２８】
トナー補給装置４３では、第１シャッタ６２（その設置部７４の先端面７４ａ）が第１段部９９に当たる位置まで進むと、トナーカートリッジ５０の取付突部６１の両開放突起６７（その先端面６７ａ）がトナー容器固定部９０の各固定爪部９５の一端突起９５ａをＺ軸方向正側に押して各固定爪部９５を回転させることで、それぞれの他端突起９５ｂをトナーカートリッジ５０に設けられた第１シャッタ６２の両側壁部７１における固定壁部７５の裏側（その被引掛面７５ａのＺ軸方向負側）に入り込ませることができる。このため、第１段部９９による制限位置での第１シャッタ６２のＺ軸方向負側への移動を防止することができる。
【０１２９】
トナー補給装置４３では、トナーカートリッジ５０の取付突部６１の両開放突起６７（その先端面６７ａ）と各固定爪部９５とで第１シャッタ６２のＺ軸方向負側への移動を防止するものであることから、取付突部６１に設けられた排出口５５が第１段部９９による制限位置での第１シャッタ６２に対して装着前の位置（封止位置）となることでその第１シャッタ６２の第１段部９９による制限位置からのＺ軸方向負側への移動を可能とすることができるので、トナーカートリッジ５０をトナー容器固定部９０に対して取出方向に移動させるだけで、第１シャッタ６２を装着前の位置（封止位置）とすることができる。
【０１３０】
トナー補給装置４３では、両腕部８１の引掛片部分８１ｂと各固定溝部９３（その固定壁面９３ａ）とで第２シャッタ６３のＺ軸方向負側への移動を防止するものであることから、第１シャッタ６２が第２シャッタ６３内に入り込むことでその第２シャッタ６３の第２段部９８による制限位置からのＺ軸方向負側への移動を可能とすることができるので、トナーカートリッジ５０をトナー容器固定部９０に対して取出方向に移動させるだけで、第２シャッタ６３を装着前の位置（被覆位置）とすることができる。
【０１３１】
トナー補給装置４３では、トナー容器固定部９０において、装着方向（Ｚ軸方向負側から正側）で見て、手前に第２段部９８が設けられているとともに、そこから間隔を置いて第１段部９９が設けられていることから、トナー容器固定部９０（トナー補給装置４３）に対してトナーカートリッジ５０を装着方向に移動させるだけで、第２シャッタ６３を被覆位置から解除操作位置へと移動させてトナーカートリッジ５０に対する第１シャッタ６２のＺ軸方向負側への移動を可能とした後に、第１シャッタ６２を封止位置から開放位置へと移動させて、排出口５５を開放することができる。
【０１３２】
トナー補給装置４３では、トナー容器固定部９０において、装着方向（Ｚ軸方向負側から正側）で見て、手前に第２段部９８が設けられているとともに、そこから間隔を置いて第１段部９９が設けられていることから、トナー容器固定部９０（トナー補給装置４３）に対してトナーカートリッジ５０を取出方向（Ｚ軸方向正側から負側）に移動させるだけで、第１シャッタ６２を開放位置から封止位置へと移動させて排出口５５を封止させた後に、第２シャッタ６３を解除操作位置から被覆位置へと移動させて、その第２シャッタ６３で解除突起７３を含む第１シャッタ６２を覆うものとすることができる。
【０１３３】
したがって、本発明に係る実施例１の粉体収納容器としてのトナーカートリッジ５０（５０Ｙ、５０Ｍ、５０Ｃ、５０ＢＫ）では、誤って粉体排出口としての排出口５５が開放されてしまうことを抑制することができる。
【実施例２】
【０１３４】
次に、本発明の実施例２に係るトナーカートリッジ５０２（５０２Ｙ、５０２Ｍ、５０２Ｃ、５０２ＢＫ）、およびそれが装着可能な画像形成装置１０２（そのトナー容器固定部９０２）について、図２６から図４５を用いて説明する。この実施例２は、トナーカートリッジ５０２、それを装着可能とする画像形成装置１０２およびその画像形成装置１０２におけるトナー補給装置４３のトナー容器固定部９０２の構成が、実施例１のトナーカートリッジ５０、画像形成装置１０およびトナー容器固定部９０の構成と異なる例である。この実施例２のトナーカートリッジ５０２、画像形成装置１０２およびトナー容器固定部９０２は、基本的な構成は上記した実施例１のトナーカートリッジ５０、画像形成装置１０およびトナー容器固定部９０と同様であることから、等しい構成の個所には同じ符号を付し、その詳細な説明は省略する。
【０１３５】
図２６は、実施例２のトナーカートリッジ５０２を上面側でかつ前面（Ｚ軸方向正側の面）側から見た様子を示す斜視図である。図２７は、トナーカートリッジ５０２を上面側でかつ前面であって左右方向において図２６とは異なる側から見た様子を示す斜視図である。図２８は、トナーカートリッジ５０２を底面側でかつ前面（Ｚ軸方向正側の面）側から見た様子を示す斜視図である。図２９は、トナーカートリッジ５０２を前面側から見た様子を示す正面図である。図３０は、上面側でかつ前面から見たトナーカートリッジ５０２を、図２９に示すＶ−Ｖ線（Ｖ−Ｖ線およびＺ軸方向を含む面）に沿って部分的に切り欠いて示す斜視図である。図３１は、攪拌部材５２の連結箇所５２２ａの構成を説明するための説明図であり、（ａ）は前面（Ｚ軸方向正側の面）側から斜視図で示し、（ｂ）は側方（Ｚ軸方向に直交する方向）側から側面図で示し、（ｃ）は（ａ）のVI−VI線に沿って得られた断面で示す。
【０１３６】
図３２は、攪拌部材５２の連結箇所５２２ａと、トナー補給装置４３に設けられた攪拌駆動カップリング３０１と、の構成およびその作用を説明するための説明図であり、（ａ）は攪拌駆動カップリング３０１と連結箇所５２２ａとをＺ軸に直交する方向から見た様子を模式的に示し、（ｂ）は（ａ）に示す矢印Ａ９から攪拌駆動カップリング３０１の引掛突起部３０１ａと連結箇所５２２ａの引掛突起部５２２ｂとを見た様子を模式的に示し、（ｃ）は引掛突起部３０１ａの傾斜面３０１ｃと引掛突起部５２２ｂの傾斜面５２２ｄとの案内作用により相対的に移動する様子を示し、（ｄ）は攪拌駆動カップリング３０１と連結箇所５２２ａとが連結した様子を示し、（ｅ）は１対の引掛突起部５２２ｂの突出端部５２２ｃに傾斜面５２２ｆを設けるとともに、１対の引掛突起部３０１ａの突出端部３０１ｂに傾斜面３０１ｄを設けた構成として（ｃ）と同様に相対的に移動する様子を示している。図３３は、トナーカートリッジ５０２を上面側でかつ背面（Ｚ軸方向負側の面）側から見た様子を示す斜視図である。図３４は、トナーカートリッジ５０２を上面側でかつ背面であって左右方向において図３３とは異なる側から見た様子を示す斜視図である。図３５は、トナーカートリッジ５０２の底面を部分的に拡大して示す斜視図である。図３６は、トナーカートリッジ５０２のシャッタ機構６０２の第１シャッタ６２２の構成を説明するための説明図である。図３７は、シャッタ機構６０２の第２シャッタ６３２の構成を説明するための説明図であり、（ａ）は上面側から見た様子を正面図で示し、（ｂ）は上面側であって装着方向後側（Ｚ軸方向負側）から見た様子を斜視図で示し、（ｃ）は上面側であって装着方向前側から見た様子を斜視図で示す。
【０１３７】
図３８は、収容部５１（トナーカートリッジ５０２）の底面に第１シャッタ６２２および第２シャッタ６３２が組み付けられて構成されたシャッタ機構６０２の様子を示す図８と同様の説明図である。図３９は、図３８のVII−VII線に沿って得られた（VII−VII線を含むＹ−Ｚ平面に沿う）断面で示す説明図である。図４０は、トナー補給装置４３のトナー容器固定部９０２を示す斜視図である。図４１は、トナー容器固定部９０２を上側（Ｙ軸方向正側）から見た様子を示す正面図である。図４２は、画像形成装置１０２の構成を模式的に示す説明図である。図４３は、画像形成装置１０２の容器収容部２２０とトナーカートリッジ５０２との関係性を説明するための説明図であり、（ａ）は容器収容部２２０へとトナーカートリッジ５０２が挿入される様子を示し、（ｂ）は容器収容部２２０にトナーカートリッジ５０２が装着された様子を示す。図４４は、画像形成装置１０２の容器収容部２２０（トナー容器固定部９０２）の構成を示す斜視図である。図４５は、トナーカートリッジ５０２の側壁部５０ｃの抑えレール２０９と、容器収容部２２０の抑えレール２２１と、の作用を説明するための説明図であり、（ａ）は抑えレール２０９と抑えレール２２１とがＺ軸方向で対向された様子を示し、（ｂ）は抑えレール２０９が抑えレール２２１に接触された様子を示し、（ｃ）は抑えレール２０９と抑えレール２２１とがＹ軸方向で重なった様子を示している。
【０１３８】
なお、図３０では、収容部５１（トナーカートリッジ５０２）の内方の構成および攪拌部材５２における連結箇所５２２ａ以外の箇所を省略して示している。また、図４２では、画像形成装置１０２における現像装置２３、トナー補給装置４３、容器収容部２２０およびそこに収容される各トナーカートリッジ５０２（５０２Ｙ、５０２Ｍ、５０２Ｃ、５０２ＢＫ）の構成を簡略化して示すとともに、それら以外の構成を省略して示している。さらに、図４３では、理解容易のために、容器収容部２２０の各部およびトナー容器固定部９０２の各部を強調しつつ簡略化して示しているが、必ずしも実際の構成および他の図面と一致するものではない。
【０１３９】
トナーカートリッジ５０２は、図２６から図２９に示すように、全体に箱状を呈する。このトナーカートリッジ５０２では、実施例１のトナーカートリッジ５０と同様に収容部５１（図３０等参照）が設けられている。トナーカートリッジ５０２（その収容部５１）では、その前端面５０ａ（前端面（Ｚ軸方向正側の面））に電子基板５７２と連結開口部５８２とに加えて、第１基準穴２０１と第２基準穴２０２と給排気部２０３とが設けられている。
【０１４０】
電子基板５７２は、基本的には実施例１の電子基板５７と同様であり、外方が基板カバー５７２ａにより覆われている。この電子基板５７２は、基板カバー５７２ａでの内方において、Ｘ−Ｙ平面に沿って移動可能とされている。電子基板５７２では、中央に位置決め穴５７２ｂが設けられている。この位置決め穴５７２ｂは、トナー補給装置４３の後述する容器収容部２２０（図４４等参照）に設けられた位置決め突起をＺ軸方向に挿入させることが可能とされており、当該位置決め突起が挿入されるとＸ−Ｙ平面に沿う方向で互いに嵌り合う大きさ寸法とされている。電子基板５７２では、位置決め穴５７２ｂに当該位置決め突起が嵌め合わされると、後述する容器収容部２２０（図４４参照）（トナー補給装置４３）に設けられた通信基板に対する位置が適切なものとされる。この適切な位置とは、当該通信基板に設けられた接触端子が電子基板５７２（その接触端子）と適切に接触する状態をいう。その適切に接触するとは、双方の接触端子を介して通信基板と電子基板５７２との間での通信すなわち情報（データ）の遣り取りを適切に行うことのできる状態をいう。このため、電子基板５７２では、位置決め穴５７２ｂに当該位置決め突起が嵌め合わされることにより、トナー補給装置４３に設けられた通信基板を介して画像形成装置１０２（図４２等参照）（その制御部）との間で、通信による情報の授受が可能となる。その位置決め突起は、トナー補給装置４３において、第１基準穴２０１に対応して設けられた後述する第１基準決め突起を基準として位置関係が設定されており、トナーカートリッジ５０２がトナー補給装置４３に適切に装着されると電子基板５７２を適切な位置とすることが可能とされている。このため、電子基板５７２（その位置決め穴５７２ｂ）は、第１基準穴２０１を基準としてトナーカートリッジ５０２（その前端面５０ａ（前端面（Ｚ軸方向正側の面）））における位置関係が設定されている。この電子基板５７２および通信基板の構成（基板カバー５７２ａおよび位置決め穴５７２ｂ）は、実施例１のトナーカートリッジ５０および画像形成装置１０のトナー補給装置４３において、その電子基板５７およびアンテナ基板に替えて設けることができる。同様に、実施例１の電子基板５７およびアンテナ基板を、実施例２のトナーカートリッジ５０２および画像形成装置１０２のトナー補給装置４３（容器収容部２２０）において、その電子基板５７２および通信基板に替えて設けることができる。
【０１４１】
連結開口部５８２は、実施例１の連結開口部５８と同様に、収容部５１の内方に設けられた攪拌部材５２の連結箇所５２２ａを、収容部５１の前面（Ｚ軸方向正側の面）から露出させるものである。その連結箇所５２２ａの構成については後述する。その連結開口部５８２では、その連結箇所５２２ａの露出を可能とする開口箇所を取り囲んで保護壁部５８２ａが設けられている。その保護壁部５８２ａは、トナーカートリッジ５０２（その収容部５１）の前面からＺ軸方向正側に突出されて形成されており、連結開口部５８２から露出される連結箇所５２２ａをＺ軸に直交する方向を取り囲んでいる。このため、連結開口部５８２では、保護壁部５８２ａによりＺ軸に直交する方向から攪拌部材５２の連結箇所５２２ａに接触することを防止することができ、その連結箇所５２２ａを保護することができる。この連結開口部５８２（そこに設けられる攪拌部材５２の連結箇所５２２ａ）は、第１基準穴２０１を基準としてトナーカートリッジ５０２（その前端面５０ａ（前端面（Ｚ軸方向正側の面）））における位置関係が設定されている。この連結開口部５８２の保護壁部５８２ａの構成および効果は、図４等からも明らかなように、実施例１の連結開口部５８でも同様である。
【０１４２】
第１基準穴２０１は、トナーカートリッジ５０２（その収容部５１）の前面において、Ｚ軸方向に伸びる円筒形状の第１基準壁部２０１ａの内方に形成されている。その第１基準壁部２０１ａは、図３０に示すように、トナーカートリッジ５０２（その収容部５１）の前面を形成する前壁部からＺ軸方向正側へと突出されるとともに、当該前壁部からＺ軸方向負側（収容部５１の内方）へと突出されている。そして、第１基準壁部２０１ａでは、Ｚ軸方向に伸びる内方の空間が、Ｚ軸に直交する断面で見ると円形状とされている（図２９等参照）。このため、第１基準穴２０１は、Ｚ軸に直交する断面で見ると円形状とされて、Ｚ軸方向に伸びている。
【０１４３】
また、第１基準壁部２０１ａは、収容部５１の内方において、収容部５１すなわちトナーカートリッジ５０２の内側面に連続されている。そして、第１基準壁部２０１ａにおいて収容部５１の内方に存在する箇所は、Ｚ軸方向で見た全域に渡ってトナーカートリッジ５０２（収容部５１）の内側面に連続されている。加えて、第１基準壁部２０１ａでは、Ｚ軸方向正側の端部に傾斜面部分２０１ｂが設けられている。その傾斜面部分２０１ｂは、Ｚ軸方向正側に向かうに連れて内方の空間すなわち第１基準穴２０１の内径寸法を大きくする傾斜とされている。
【０１４４】
この第１基準穴２０１は、トナー補給装置４３の後述する容器収容部２２０（図４４参照）に設けられた第１基準決め突起をＺ軸方向に挿入させることが可能とされている。その第１基準決め突起は、Ｚ軸方向に伸びる長尺な円柱状を呈し、第１基準穴２０１に挿入されるとＸ−Ｙ平面に沿う方向で互いに嵌り合う大きさ寸法とされている。このため、トナーカートリッジ５０２では、互いにＺ軸方向に伸びる第１基準穴２０１に第１基準決め突起が嵌め合わされることで、自らに設定されたＺ軸方向をトナー補給装置４３（後述する容器収容部２２０（図４４参照））におけるＺ軸方向に一致させることができる。その第１基準穴２０１では、Ｚ軸方向正側の端部に傾斜面部分２０１ｂが設けられていることから、トナーカートリッジ５０２が後述する容器収容部２２０（トナー補給装置４３）へと装着される際、第１基準決め突起を受け入れることが容易とされている。
【０１４５】
第２基準穴２０２は、図２６から図３０に示すように、トナーカートリッジ５０２（その収容部５１）の前面において、Ｚ軸方向に伸びる円筒形状の第２基準壁部２０２ａの内方に形成されている。その第２基準壁部２０２ａは、左右方向で見て第１基準穴２０１の第１基準壁部２０１ａとは反対側に設けられている。第２基準壁部２０２ａは、図３０に示すように、トナーカートリッジ５０２（その収容部５１）の前壁部からＺ軸方向正側へと突出されるとともに、当該前壁部からＺ軸方向負側（収容部５１の内方）へと突出されている。そして、第２基準壁部２０２ａでは、Ｚ軸方向に伸びる内方の空間をＺ軸に直交する断面で見ると、中心位置と第１基準穴２０１の第１基準壁部２０１ａの中心位置とを結ぶ線分Ｌｓ（図２９参照）が伸びる方向に長尺であって線分Ｌｓ方向の両端が半円形状とされて、所謂線分Ｌｓ方向に長径な長穴とされている。このため、第２基準穴２０２は、Ｚ軸に直交する断面で見ると線分Ｌｓ方向に長径な長穴とされている。
【０１４６】
また、第２基準壁部２０２ａは、収容部５１の内方において、左右方向で見て第１基準壁部２０１ａとは反対側で、収容部５１すなわちトナーカートリッジ５０２の内側面に連続されている。そして、第２基準壁部２０２ａにおいて収容部５１の内方に存在する箇所は、Ｚ軸方向で見た全域に渡ってトナーカートリッジ５０２（収容部５１）の内側面に連続されている。加えて、第２基準壁部２０２ａでは、Ｚ軸方向正側の端部に傾斜面部分２０２ｂが設けられている。その傾斜面部分２０２ｂは、Ｚ軸方向正側に向かうに連れて内方の空間すなわち第２基準穴２０２の内径寸法を大きくする傾斜とされている。
【０１４７】
この第２基準穴２０２は、トナー補給装置４３の後述する容器収容部２２０（図４４参照）に設けられた第２基準決め突起をＺ軸方向に挿入させることが可能とされている。その第２基準決め突起は、Ｚ軸方向に伸びる長尺な円柱状を呈し、第２基準穴２０２に挿入されるとＸ−Ｙ平面に沿いつつ線分Ｌｓ（図２９参照）に直交する方向で互いに嵌り合う大きさ寸法とされている。換言すると、第２基準決め突起は、第２基準穴２０２に挿入された状態において、その第２基準穴２０２内で線分Ｌｓ（図２９参照）へと移動することが可能とされている。このため、第２基準穴２０２では、後述する容器収容部２２０（図４４参照）における第１基準決め突起と第２基準決め突起との間隔に対する、第１基準穴２０１と第２基準穴２０２との間隔の差異を吸収して当該第２基準決め突起を受け入れることができる。このため、トナーカートリッジ５０２では、第１基準穴２０１に第１基準決め突起が嵌め合わされ、かつ第２基準穴２０２に第２基準決め突起が嵌め合わされることにより、トナー補給装置４３（後述する容器収容部２２０（図４４参照））に対して所定の姿勢とすることができる。その第２基準穴２０２では、Ｚ軸方向正側の端部に傾斜面部分２０２ｂが設けられていることから、トナーカートリッジ５０２が後述する容器収容部２２０（トナー補給装置４３）へと装着される際、第２基準決め突起を受け入れることが容易とされている。
【０１４８】
この第１基準穴２０１および第２基準穴２０２の構成は、実施例１のトナーカートリッジ５０に適用することができる。なお、第１基準穴２０１および第２基準穴２０２の構成は、後述する容器収容部２２０（トナー補給装置４３）に対してトナーカートリッジ５０２を所定の姿勢とすることができるものであれば、互いの位置が異なるもの（例えば互いに逆の位置に設けられる）であってもよく、第２基準穴２０２が長穴とされていなくてもよく、実施例２の構成に限定されるものではない。
【０１４９】
給排気部２０３は、図２６から図２９に示すように、トナーカートリッジ５０２（その収容部５１）の前面において、上端（Ｙ軸方向正側の端部）近傍に設けられている。この給排気部２０３は、トナーカートリッジ５０２（その収容部５１）の前壁部を貫通する給排気穴２０３ａと、そのＺ軸方向正側の端部に設けられたフィルタ２０３ｂと、を有する。その給排気穴２０３ａは、トナーカートリッジ５０２の収容部５１に現像剤Ｇが十分に収容（充填）された状態（例えば出荷時）において、その現像剤Ｇにより塞がれない位置、換言すると収容（充填）された現像剤Ｇに埋没しない位置に設けられている。なお、この塞がれない位置とは、トナーカートリッジ５０２におけるＹ軸方向正側が鉛直方向上側に向いていることを前提とする。フィルタ２０３ｂは、収容部５１に収容される現像剤Ｇの通過を阻みつつ空気の通過を許すものである。このため、給排気部２０３では、現像剤Ｇが漏れることを防止しつつ、収容部５１へと空気を供給することと、収容部５１の空気を排出することと、を可能とする。なお、給排気穴２０３ａ（給排気部２０３）は、十分に収容（充填）された現像剤Ｇにより塞がれない位置であれば、トナーカートリッジ５０２の上面に設けられていても良く、他の場所に設けられていても良く、実施例２の構成に限定されるものではない。
【０１５０】
その収容部５１の底部には、実施例１の収容部５１と同様に、排出通路５４（図３および図９参照）に連続して遮蔽開口部５９２が設けられている。その遮蔽開口部５９２は、実施例１の遮蔽開口部５９と同様に、排出通路５４内に回転可能に配された搬送スクリュ５６の連結箇所５６２ａを収容部５１の前面（Ｚ軸方向正側の面）から露出させることができる。また、遮蔽開口部５９２は、実施例１の遮蔽開口部５９と同様に、その連結箇所５６２ａの上方を庇箇所５９２ａで遮蔽することが可能とされている。その庇箇所５９２ａは、左右方向で見た一方（図２８を正面視して左側）の端部が切り欠かれている。このため、遮蔽開口部５９２では、庇箇所５９２ａによりＺ軸に直交する方向であって上方および左右方向で見た他方から搬送スクリュ５６の連結箇所５６２ａに接触することを防止することができ、その連結箇所５６２ａを保護することができる。この遮蔽開口部５９２（そこに設けられる搬送スクリュ５６の連結箇所５６２ａ）は、第１基準穴２０１を基準としてトナーカートリッジ５０２（その前端面５０ａ（前端面（Ｚ軸方向正側の面）））における位置関係が設定されている。また、遮蔽開口部５９２では、庇箇所５９２ａの一方の端部が切り欠かれていることから、トナーカートリッジ５０２が後述する容器収容部２２０（トナー補給装置４３（図４４参照））へと装着された際、その容器収容部２２０に設けられている駆動源（後述する攪拌駆動カップリング３０１等（図３２参照））のギア列を、搬送スクリュ５６の連結箇所５６２ａの近傍位置に存在させる（配する）ことを可能とする。換言すると、庇箇所５９２ａでは、一方の端部が切り欠かれていることにより、容器収容部２２０（トナー補給装置４３）における駆動源のギア列の配置の自由度を高めることができる。
【０１５１】
その連結箇所５６２ａは、実施例２では、攪拌部材５２の連結箇所５２２ａと同様の構成とされている。このため、以下では、連結箇所５２２ａの構成および作用を説明し、連結箇所５６２ａの構成および作用に関しては省略する。その連結箇所５２２ａ（連結箇所５６２ａ）は、図３１および図３２に示すように、１対の引掛突起部５２２ｂを有する。この両引掛突起部５２２ｂは、攪拌部材５２の軸線を中心として対を為して設けられており、Ｚ軸方向正側の突出端部５２２ｃが互いに近付くに連れてＺ軸方向負側へと変位して傾斜されている。その各突出端部５２２ｃには、攪拌部材５２の軸線を中心とする周方向で見て対を為す傾斜面５２２ｄが設けられている。この両傾斜面５２２ｄは、上記周方向でみて、対応する突出端部５２２ｃにおける外側へ向かうに連れてＺ軸方向負側へと変位する傾斜面とされている。
【０１５２】
この連結箇所５２２ａは、トナー補給装置４３の後述する容器収容部２２０（図４４参照）に設けられた攪拌駆動カップリング３０１に連結される（図３２（ｄ）参照）。この攪拌駆動カップリング３０１は、後述する容器収容部２２０（トナー補給装置４３）に設けられ、搬送スクリュ５６の連結箇所５６２ａが連結される搬送駆動カップリングと同様の構成とされている。その攪拌駆動カップリング３０１は、図３２（ａ）に示すように、連結箇所５２２ａと同様に、攪拌駆動カップリング３０１における中心軸線Ｃａ（攪拌部材５２の軸線に相当する）を中心として対を為して設けられた引掛突起部３０１ａを有する。攪拌駆動カップリング３０１は、後述する容器収容部２２０（トナー補給装置４３）において中心軸線Ｃａを回転中心として回転駆動される、すなわち両引掛突起部３０１ａが回転駆動機構から駆動力が伝達されることにより中心軸線Ｃａの回りを回転移動することが可能とされている。また、攪拌駆動カップリング３０１は、容器収容部２２０（トナー補給装置４３）において、回転駆動されていない場合に中心軸線Ｃａを回転中心とする回転方向への遊びが設けられている。このため、攪拌駆動カップリング３０１では、外方からの力が作用することにより僅かではあるが回転すること（両引掛突起部３０１ａの回転移動）が可能とされている。
【０１５３】
その両引掛突起部３０１ａは、Ｚ軸方向正側の突出端部３０１ｂが互いに近付くに連れてＺ軸方向負側へと変位して傾斜されている。このため、両引掛突起部３０１ａの突出端部３０１ｂは、中心軸線Ｃａに攪拌部材５２の軸線が一致されて攪拌駆動カップリング３０１が連結箇所５２２ａと対向されると、その１対の引掛突起部５２２ｂの突出端部５２２ｃと中心軸線Ｃａ方向で平行に並ぶ。その状態から攪拌駆動カップリング３０１と連結箇所５２２ａとが接近されて突出端部３０１ｂと突出端部５２２ｃとが接触すると、１対の突出端部３０１ｂと１対の突出端部５２２ｃとの案内作用により、両引掛突起部３０１ａを両引掛突起部５２２ｂの内側へと導くような力が作用する。このため、両引掛突起部３０１ａ（その突出端部３０１ｂ）と両引掛突起部５２２ｂ（その突出端部５２２ｃ）とが上記したように接触した場合であっても、攪拌駆動カップリング３０１と連結箇所５２２ａとの間に中心軸線Ｃａと攪拌部材５２の軸線とをずらすような力が作用することを防止することができる。
【０１５４】
その各突出端部３０１ｂには、図３２（ｂ）に示すように、中心軸線Ｃａを中心とする周方向（回転方向）で見て対を為す傾斜面３０１ｃが設けられている。この両傾斜面３０１ｃは、上記周方向で見て、対応する突出端部３０１ｂにおける外側へ向かうに連れてＺ軸方向正側へと変位する傾斜面とされており、実施例２では両引掛突起部５２２ｂの突出端部５２２ｃにおける両傾斜面５２２ｄと等しい傾斜とされている。このため、上述したように中心軸線Ｃａと攪拌部材５２の軸線とが一致されて攪拌駆動カップリング３０１の突出端部３０１ｂと連結箇所５２２ａの突出端部５２２ｃとが接触すると（図３２（ｃ）参照）、突出端部３０１ｂにおける周方向（回転方向）で見た一方の傾斜面３０１ｃと、突出端部５２２ｃにおける周方向（回転方向）で見た他方の傾斜面５２２ｄと、が接触することとなる。ここで、攪拌駆動カップリング３０１では、上述したように回転駆動されていない場合に中心軸線Ｃａを回転中心として回転することが可能とされている。このため、攪拌駆動カップリング３０１と連結箇所５２２ａとがさらに接近されると、傾斜面３０１ｃと傾斜面５２２ｄとの案内作用により連結箇所５２２ａに対して攪拌駆動カップリング３０１が回転しつつ接近して（矢印Ａ１０参照）、攪拌駆動カップリング３０１の突出端部３０１ｂと連結箇所５２２ａの突出端部５２２ｃとが突き当てられた状態となることを防止することができる。これにより、攪拌駆動カップリング３０１と連結箇所５２２ａとは、図３２（ｄ）に示すように、中心軸線Ｃａを中心とする周方向（回転方向）で見て、１対の引掛突起部３０１ａと１対の引掛突起部５２２ｂとを交互に存在させる位置関係とすることができる。この状態において、容器収容部２２０（トナー補給装置４３）で攪拌駆動カップリング３０１が回転駆動されると、各引掛突起部３０１ａが対応する引掛突起部５２２ｂを回転方向に押すことで、トナーカートリッジ５０２の攪拌部材５２が回転駆動される。このため、１対の引掛突起部３０１ａと１対の引掛突起部５２２ｂとが、上記したように周方向で見て交互に存在する位置関係とされると、攪拌駆動カップリング３０１と連結箇所５２２ａとが連結されたこととなる。
【０１５５】
このトナーカートリッジ５０２の上面（Ｙ軸方向正側の面）には、図２６および図２７に加えて図３３および図３４に示すように、充填部２０４と抑え片部２０５とが設けられている。その充填部２０４は、トナーカートリッジ５０２の上面を規定する上壁部を貫通して収容部５１に通じる充填口に、キャップ２０４ａが設けられて構成されている。充填部２０４では、充填口から収容部５１に現像剤Ｇが充填（収容）される。そして、充填部２０４では、充填口がキャップ２０４ａで封止されることにより、現像剤Ｇが漏れることが防止されている。
【０１５６】
抑え片部２０５は、トナーカートリッジ５０２の上面において、背面（Ｚ軸方向負側の面）側の近傍であって左右方向（Ｘ軸方向）で見た外側の近傍位置で対を為して設けられている。この両抑え片部２０５は、トナーカートリッジ５０２の上面からＹ軸方向正側へと突出されて設けられており、Ｚ軸方向負側へ向かうに連れてＹ軸方向正側への突出量が漸次的に増えている。
【０１５７】
また、トナーカートリッジ５０２の背面（Ｚ軸方向負側の面）には、図３３および図３４に示すように、把持部２０６が設けられている。この把持部２０６は、トナーカートリッジ５０２の背面（後端部）を規定する背面壁部の中央が部分的にＺ軸方向正側へと凹まされて形成された把持凹所２０６ａと、その把持凹所２０６ａの上方を覆う把持壁部２０６ｂと、を有する。その把持壁部２０６ｂは、格子状のリブ部２０６ｃが設けられており、剛性が確保されている。この把持部２０６では、把持凹所２０６ａに挿入した手で把持壁部２０６ｂを握ることにより、トナーカートリッジ５０２を容易に持つことを可能とする。
【０１５８】
トナーカートリッジ５０２の下壁部５０ｂでは、図３５に示すように、排出口５５の周辺に、部分的にＹ軸方向負側に突出されて直方体形状を呈する取付突部６１が設けられている。この取付突部６１には、実施例１と同様に、第１シャッタ６２２と第２シャッタ６３２とがＺ軸方向にスライド移動可能に設けられてシャッタ機構６０２が構成される（図３８等参照）。その取付突部６１では、Ｘ軸方向で見た両側端面をＸ軸方向に凹ませつつＺ軸方向に伸びて一対の案内溝６４が形成されている。このため、取付突部６１では、一対の案内溝６４が設けられることにより、当該案内溝６４から相対的にＸ軸方向に突出された１対の片部６４ａが形成されている。換言すると、この１対の片部６４ａは、取付突部６１において一対の案内溝６４を規定している。
【０１５９】
この取付突部６１が設けられた下壁部５０ｂには、実施例１と同様に、一対の固定突起６５と、一対の支持突起６６と、一対の開放突起６７と、が設けられている。それに加えて、下壁部５０ｂには、接触板状部２０７と非互換突起２０８とが設けられている（図２９等参照）。その両固定突起６５は、実施例１と同様の構成であって、基端部６５ａと被押当部６５ｂとを有し、下壁部５０ｂと被押当部６５ｂとの間に通路空間６５ｃを規定している。また、両支持突起６６は、実施例１と同様の構成であって、基端部６６ａと平板部６６ｂとを有し、その一対の基端部６６ａの端部が傾斜壁面６６ｃとされている。その両支持突起６６には、平板部６６ｂのＺ軸方向正側の端部が部分的にＹ軸方向正側へと突出されて抜止突起６６ｄが設けられている。両開放突起６７は、実施例１と同様の構成であって、取付突部６１のＺ軸方向正側の端部に設けられており、Ｚ軸方向正側へ向けて突出され、そのＺ軸方向正側の先端面６７ａが同一のＸ−Ｙ平面上に存在する平坦面とされている。その両開放突起６７は、取付突部６１において、一対の案内溝６４の上方（Ｙ軸方向正側）に設けられている。
【０１６０】
接触板状部２０７は、図２８および図２９に示すように、下壁部５０ｂから当該下壁部５０ｂが規定する曲面に直交する方向に突出して形成されており、Ｚ軸方向へと伸びる長尺な板状を呈する。この接触板状部２０７は、後述するトナー補給装置４３の容器収容部２２０の設置面部２２４（図４４参照）上を滑ることが可能とされている。また、接触板状部２０７は、その設置面部２２４と接触した状態（滑っている状態）において、トナーカートリッジ５０２の下壁部５０ｂが当該設置面部２２４と接触することを防止することのできる高さ寸法（突出量）および位置とされている。
【０１６１】
非互換突起２０８は、下壁部５０ｂから下方（Ｙ軸方向負側）へ向けて突出して形成された板状を呈する。この非互換突起２０８は、後述するトナー補給装置４３の容器収容部２２０（図４４参照）において、自らが収容（充填）している現像剤Ｇ（トナーＴ）とは異なる色に対応された容器収容部２２０（そのトナー容器固定部９０２）へとトナーカートリッジ５０２が装着されることを防止するものである。非互換突起２０８は、自らが設けられたトナーカートリッジ５０２に収容（充填）される現像剤Ｇ（トナーＴ）の色に応じて、位置および個数が異なるものとされており、図示の例（図２９等参照）では左右に２つずつで合計４つ設けられている。この非互換突起２０８の位置および個数は、後述するトナー補給装置４３の各容器収容部２２０において対応された色に応じて設けられた非互換溝２２５（図４４参照）の位置および個数と合致されている。このため、トナーカートリッジ５０２（５０２Ｙ、５０２Ｍ、５０２Ｃ、５０２ＢＫ）では、非互換突起２０８と非互換溝２２５（図４４参照）との協働により、自らが収容（充填）している現像剤Ｇ（トナーＴ）と一致する色に対応された容器収容部２２０（トナー容器固定部９０２）への装着が可能とされているとともに、異なる色に対応された各容器収容部２２０（トナー容器固定部９０２）への装着（所謂誤装着）が防止されている。
【０１６２】
この非互換突起２０８は、左右方向で見て取付突部６１を挟む両側で、後述する側壁部５０ｃと案内壁部５０ｄと底壁部５０ｆとにより囲まれる位置に設けられている。換言すると、非互換突起２０８では、Ｘ−Ｙ平面に沿う方向で見ると、上方に下壁部５０ｂが存在され、左右方向の外方に側壁部５０ｃが存在され、左右方向の内方に案内壁部５０ｄが存在され、かつ下方に底壁部５０ｆが存在されている。そして、トナーカートリッジ５０２では、下壁部５０ｂの後端側（Ｚ軸方向負側の端部側）に、背面（後端部）を規定する背面壁部が設けられている。このため、非互換突起２０８は、Ｚ軸方向正側以外の方向からの接触が防止されており、より確実に保護されている。これにより、トナーカートリッジ５０２（５０２Ｙ、５０２Ｍ、５０２Ｃ、５０２ＢＫ）では、誤装着を防止することを可能とするとともに、対応された容器収容部２２０（トナー容器固定部９０２）への装着を可能とする、という非互換突起２０８による効果を、より確実に得ることができる。
【０１６３】
また、トナーカートリッジ５０２では、図２６および図２７等に示すように、実施例１と同様の構成であって固定解除片６８が設けられた一対の側壁部５０ｃに、抑えレール２０９が設けられている。この抑えレール２０９は、それぞれが対応する側壁部５０ｃから、左右方向（Ｘ軸方向）で見た外側へ向けて突出された板状部で構成されており、レール本体部２０９ａと受入傾斜部２０９ｂとを有する。そのレール本体部２０９ａは、側壁部５０ｃに沿いつつＺ軸方向に伸びて設けられている。受入傾斜部２０９ｂは、レール本体部２０９ａのＺ軸方向正側の端部に連続されており、Ｚ軸方向正側に向かうにつれてＹ軸方向負側へと向かって傾斜されている。
【０１６４】
さらに、トナーカートリッジ５０２では、一対の側壁部５０ｃの後端部（Ｚ軸方向負側の端部）に突出後壁部２１０が設けられている。この突出後壁部２１０は、突出後壁２１０ａと垂直リブ部２１０ｂと複数の水平リブ部２１０ｃとを有する。その突出後壁２１０ａは、下方（内方から外方）へ向かうに連れて寸法が漸減されている収容部５１に対して、トナーカートリッジ５０２の後端部を略正方形状とすべく左右方向（Ｘ軸方向）で見た外側へと突出された板状を呈する（図３３および図３４等参照）。突出後壁２１０ａは、トナーカートリッジ５０２の後端部との協働により、後述する容器収容部２２０の開口部２２０ａ（図４４および図４３参照）に対して略隙間を設けることなく内方へと嵌まることができる大きさ寸法とされている（図４３（ｂ）参照）。垂直リブ部２１０ｂは、突出後壁２１０ａの前方（Ｚ軸方向正側）において当該突出後壁２１０ａと並列して設けられており、両側壁部５０ｃから左右方向（Ｘ軸方向）で見た外側へと突出された板状を呈する。複数の水平リブ部２１０ｃは、突出後壁２１０ａと垂直リブ部２１０ｂとをＺ軸方向で掛け渡して設けられている。このため、突出後壁部２１０では、垂直リブ部２１０ｂと複数の水平リブ部２１０ｃとにより突出後壁２１０ａの剛性を確保しつつ、軽量化を可能としかつ材料の増加を防止している。
【０１６５】
ついで、トナーカートリッジ５０２では、実施例１と同様の構成の一対の案内壁部５０ｄが設けられている。この両案内壁部５０ｄでは、図３５を正面視した右側の案内壁部５０ｄの先端（Ｚ軸方向正側の端部）にシャッタ保護部５０ｅが設けられている。そのシャッタ保護部５０ｅは、案内壁部５０ｄの先端が部分的にＺ軸方向正側へと突出されて形成されている。シャッタ保護部５０ｅは、取付突部６１（トナーカートリッジ５０２の下壁部５０ｂ）に、後述するように第１シャッタ６２２および第２シャッタ６３２（シャッタ機構６０２）がＺ軸方向にスライド移動可能に設けられた状態において、その第１シャッタ６２２および第２シャッタ６３２よりもＺ軸方向正側へと突出されている（図３９参照）。このシャッタ保護部５０ｅは、トナーカートリッジ５０２がＺ軸方向正側へと移動された際、何らかの意図しない物体がＺ軸方向正側に存在した場合に、第１シャッタ６２２や第２シャッタ６３２よりも先に当該物体に接触して、第１シャッタ６２２および第２シャッタ６３２が相対的にＺ軸方向負側へと押されることを防止する。このため、トナーカートリッジ５０２では、シャッタ保護部５０ｅにより、第１シャッタ６２２や第２シャッタ６３２が意図しない物体等によりＺ軸方向の正側から負側へ向けて押されることを防止することができ、第１シャッタ６２２および第２シャッタ６３２を保護することができる。このシャッタ保護部５０ｅの構成および効果は、図４等からも明らかなように、実施例１の案内壁部５０ｄ（トナーカートリッジ５０）でも同様である。
【０１６６】
トナーカートリッジ５０２では、図２８、図２９および図３５に示すように、左右方向で見て取付突部６１を挟む両側の下端部（Ｙ軸方向負側の端部）に底壁部５０ｆが設けられている。その各底壁部５０ｆは、側壁部５０ｃおよび案内壁部５０ｄにおけるＺ軸方向負側において、その側壁部５０ｃと案内壁部５０ｄとをＸ軸方向で掛け渡して設けられている。各底壁部５０ｆには、下支え片部２１４が設けられている。その各下支え片部２１４は、背面（Ｚ軸方向負側の面）側の近傍であって左右方向（Ｘ軸方向）で見た外側の近傍位置で対を為して、それぞれ対応する底壁部５０ｆに設けられている。この両下支え片部２１４は、底壁部５０ｆからＹ軸方向負側へと突出されて設けられており、Ｚ軸方向負側へ向かうに連れてＹ軸方向負側への突出量が漸次的に増えている。これらが設けられたトナーカートリッジ５０２の下壁部５０ｂに第１シャッタ６２２が取り付けられる。
【０１６７】
その第１シャッタ６２２は、図３６に示すように、基本的に実施例１の第１シャッタ６２と同様の構成であり、全体に平板状を呈し、一対の側壁部７１と固定片部７２と解除突起７３と設置部７４と一対の固定壁部７５と一対の案内壁部７６とを有する。その両側壁部７１は、実施例１と同様の構成であって、切欠箇所７１ａが形成されている。その両切欠箇所７１ａは、側壁部７１のＺ軸方向正側の端部を開放しているとともに、Ｚ軸方向負側の端部を開放しない長さ寸法とされている。このため、両側壁部７１では、Ｚ軸方向負側の端部に、切欠箇所７１ａに対してＹ軸方向負側へと突出する抜止突起７１ｂが設けられている。この両抜止突起７１ｂの構成は、図６等からも明らかなように、実施例１の第１シャッタ６２（その両側壁部７１）でも同様である。
【０１６８】
固定片部７２は、実施例１と同様の構成であって、基端部７２ａと本体部７２ｂとを有し、本体部７２ｂの突出端が押当脚部分７２ｃとされている。その本体部７２ｂには、実施例１と同様の構成であり、Ｙ軸方向正側へと押されることにより、第１シャッタ６２２の封止位置での固定を解除する固定解除部として機能する解除突起７３が設けられている。
【０１６９】
設置部７４は、実施例１と同様の構成であって、固定片部７２（その基端部７２ａ）および一対の側壁部７１に囲まれており、シール部材としてのシャッタシール７７２が設置される。そのシャッタシール７７２は、実施例１のシャッタシール７７と同様に、設置部７４に嵌め込まれるように当該設置部７４に設けられて固定され、トナーカートリッジ５０２の下壁部５０ｂに設けられた排出口５５の周辺で取付突部６１に押し当てられることにより、その排出口５５を封止（排出口５５を封じて現像剤Ｇの出入りを止める）する（図３９等参照）。シャッタシール７７２は、Ｚ軸方向正側の先端部７７２ａが設置部７４の先端面７４ａよりもＺ軸方向正側へと突出されている。このシャッタシール７７２は、実施例２では、スポンジ等の弾性部材で形成されており、排出口５５の周辺で取付突部６１に押し当てられると、弾性変形により排出口５５の周辺に密着して、上記した封止機能を発揮するものとされている（図３９参照）。
【０１７０】
一対の固定壁部７５は、実施例１と同様の構成であって、Ｚ軸方向負側にＸ−Ｙ平面に平行な被引掛面７５ａを形成する。また、両固定壁部７５は、Ｚ軸方向正側にＸ−Ｙ平面に平行な押当面７５ｂを形成する。この押当面７５ｂの構成は、図６等からも明らかなように、実施例１の第１シャッタ６２（その両側壁部７１）でも同様である。
【０１７１】
一対の案内壁部７６は、実施例１と同様の構成であって、Ｙ−Ｚ平面に平行な案内面７６ａを形成し、その各案内面７６ａに案内突起７６ｂが設けられている。その案内突起７６ｂは、トナーカートリッジ５０２の下壁部５０ｂの取付突部６１に設けられた案内溝６４（図３５等参照）に移動可能に嵌り込むことが可能とされている。案内突起７６ｂは、案内溝６４（図３５等参照）内に挿入されると、Ｙ軸方向で見て、設置部７４に設けられたシャッタシール７７２（図３６等参照）との間で当該案内溝６４を規定する片部６４ａ（図３５参照）を挟み込むことが可能とされている。
【０１７２】
この第１シャッタ６２２を覆うように設けられる第２シャッタ６３２は、図３７に示すように、基本的に実施例１の第２シャッタ６３と同様の構成であり、全体に平板状を呈し、平板部７８２と解除操作突起７９と一対の側壁部８０と一対の腕部８１２と一対の規制部８２とを有する。それに加えて、第２シャッタ６３２は、補助突起２１１を有する。その平板部７８２は、Ｘ−Ｚ平面に平行な薄板状を呈し、Ｙ軸方向（Ｘ−Ｚ平面上）で見て全体に矩形状とされている。その平板部７８２は、Ｚ軸方向正側の先端面７８２ａがＸ−Ｙ平面に平行であってＸ軸方向に伸びる平坦面とされている。
【０１７３】
その平板部７８２には、解除操作突起７９が設けられている。その解除操作突起７９は、実施例１と同様の構成であって、Ｚ軸方向負側の端部が傾斜面７９ａとされている。また、平板部７８２には、一対の側壁部８０が設けられている。その両側壁部８０は、実施例１と同様の構成であって、受入凹所８０ａと傾斜面８０ｂとが設けられている。
【０１７４】
一対の腕部８１２は、基本的には実施例１の腕部８１と同様の構成であり、対を為す側壁部８０のＺ軸方向正側の端部から、Ｚ軸方向正側へと突出されて設けられている。この両腕部８１２は、平板部７８２と間隔を置きつつＺ軸方向正側へと伸びる棒状を呈し、Ｚ軸方向正側に向かうに連れて互いの間隔を狭めるように湾曲されている。両腕部８１２は、平板部７８２との間にトナーカートリッジ５０２の下壁部５０ｂに設けられた支持突起６６の平板部６６ｂ（図３５等参照）を移動可能に受け入れることが可能とされている。このため、この両腕部８１２と平板部７８２との間と、そこにＺ軸方向で隣接する一対の受入凹所８０ａと、で、一対の支持突起６６の平板部６６ｂを受け入れることにより、第２シャッタ６３２をトナーカートリッジ５０２（その下壁部５０ｂ）に対してＺ軸方向に移動可能に取り付けることができる。両腕部８１２は、双方の間に第１シャッタ６２２を存在させることができ、後述するように第１シャッタ６２２および第２シャッタ６３２がトナーカートリッジ５０２の下壁部５０ｂに適切に取り付けられた状態（図３８等参照）において、第２シャッタ６３２に対して第１シャッタ６２２がＺ軸方向正側に移動すると、その第１シャッタ６２２の各側壁部７１に当たる（干渉する）こととなる（図４７等参照）。
【０１７５】
この両腕部８１２は、Ｚ軸方向正側の突出端８１２ａがＹ軸方向で見て尖端状とされるとともにＸ軸方向で対向されており、その間隔が第１シャッタ６２２の幅寸法（Ｘ軸方向で見た両側壁部７１の両側面の間隔）よりも小さく設定されている。両腕部８１２では、突出端８１２ａの近傍に引掛片部分８１２ｂが設けられている。両引掛片部分８１２ｂは、腕部８１２（突出端８１２ａの近傍）からＸ軸方向の外側に向けて突出されており、その突出端（Ｘ軸方向の外側の端部）が側壁部８０（そのＸ軸方向の外側の壁面（Ｘ軸方向で見た位置がそこと等しい両腕部８１２））と等しい面上に存在するものとされている。この状態を両腕部８１２の初期湾曲状態とする。この両腕部８１２は、実施例１の腕部８１と同様に、Ｘ軸方向への力が加わるとその力の方向に撓み変形するとともに、その力が解除されると元の位置（初期湾曲状態）へと復帰する弾性力を発揮することが可能とされている。
【０１７６】
この両腕部８１２では、初期湾曲状態において、突出端８１２ａの近傍のＺ軸方向負側の面が、Ｘ−Ｙ平面に平行な平坦面８１２ｃとされている。このため、両腕部８１２は、上記した取り付け状態（図３８等参照）において、第２シャッタ６３２に対して第１シャッタ６２２がＺ軸方向正側に移動しようとすると、それぞれの突出端８１２ａの近傍のＸ−Ｙ平面に平行な平坦面８１２ｃが、第１シャッタ６２２の各側壁部７１の前端部すなわち各固定壁部７５のＸ−Ｙ平面に平行な押当面７５ｂと、Ｚ軸方向で当たることとなる。
【０１７７】
その第２シャッタ６３２の両腕部８１２では、引掛片部分８１２ｂのＺ軸方向正側に開放突起部分８１２ｄが設けられている。この両開放突起部分８１２ｄは、両腕部８１２における突出端８１２ａの近傍からＸ軸方向の外側であってＺ軸方向正側へ向けて突出されており、Ｚ軸方向正側に開放傾斜面８１２ｅを形成している。その両開放傾斜面８１２ｅは、Ｘ軸方向の外側へ向かうに連れてＺ軸方向正側へと変位する傾斜面とされている。その両腕部８１２が設けられた平板部７８２には、実施例１と同様の構成の一対の規制部８２が設けられている。
【０１７８】
補助突起２１１は、平板部７８２の中央近傍であって解除操作突起７９よりもＺ軸方向負側の位置において、その平板部７８２からＹ軸方向正側へ向けて突出されて形成されている。この補助突起２１１では、Ｚ軸方向正側の面がＸ−Ｙ平面に平行な平坦面２１１ａとされている。また、補助突起２１１は、後述するように第２シャッタ６３２が第１シャッタ６２２とともにトナーカートリッジ５０２の下壁部５０ｂに設けられた状態（図３８等参照）において、第１シャッタ６２２の固定片部７２のＨ形状を呈する本体部７２ｂにおけるＸ軸方向に掛け渡している箇所（図３６の符号７２ｄ参照）に平坦面２１１ａをＺ軸方向で接触させることが可能な大きさ寸法とされている。
【０１７９】
このシャッタ機構６０２では、図３８および図３９に示すように、実施例１のシャッタ機構６０と同様に、トナーカートリッジ５０２の下壁部５０ｂに第１シャッタ６２２および第２シャッタ６３２を取り付けることができる。すなわち、第１シャッタ６２２では、一対の案内壁部７６の案内突起７６ｂがトナーカートリッジ５０２の下壁部５０ｂの取付突部６１に設けられた一対の案内溝６４に挿入されて当該取付突部６１に取り付けられる。すると、第１シャッタ６２２は、実施例１の第１シャッタ６２と同様に、一対の案内溝６４とそこに挿入された各案内突起７６ｂとの案内により、トナーカートリッジ５０２の下壁部５０ｂに対して封止位置と開放位置との間でＺ軸方向にスライド移動可能となる。この状態において、第１シャッタ６２２の両側壁部７１の切欠箇所７１ａでは、下壁部５０ｂの一対の支持突起６６の平板部６６ｂ（そのＸ軸方向で見た内側箇所６６ｅ（図３５参照））を受け入れている。このため、第１シャッタ６２２は、その切欠箇所７１ａのＺ軸方向負側の端部に設けられた抜止突起７１ｂ（図３６参照）が、平板部６６ｂのＺ軸方向正側の端部に設けられた抜止突起６６ｄ（図３５参照）とＺ軸方向で干渉することにより、下壁部５０ｂに対するＺ軸方向正側への移動により当該下壁部５０ｂ（取付突部６１）から抜け落ちることが防止されている。この抜止突起７１ｂおよび抜止突起６６ｄの構成は、実施例１の両側壁部７１および両支持突起６６に適用することができる。
【０１８０】
そして、第２シャッタ６３２は、実施例１の第２シャッタ６３と同様に、両側壁部８０の受入凹所８０ａで、トナーカートリッジ５０の下壁部５０ｂの一対の支持突起６６の平板部６６ｂを受け入れることで取り付けられる。その第２シャッタ６３２は、両受入凹所８０ａとそこで受け入れた一対の支持突起６６の平板部６６ｂとの案内により、第１シャッタ６２２に対する解除操作位置を経る被覆位置と開放位置と間でＺ軸方向にスライド移動可能とされる。第２シャッタ６３２では、上記したように補助突起２１１が設けられていることから、第１シャッタ６２２に対して第２シャッタ６３２をＺ軸方向正側へと移動させると、補助突起２１１（その平坦面２１１ａ）を固定片部７２の本体部７２ｂ（そのＸ軸方向に掛け渡している箇所７２ｄ）に宛がうことができる。このため、第２シャッタ６３２は、その状態からさらにＺ軸方向正側へと移動させることにより、開放位置の第１シャッタ６２２をＺ軸方向正側へと移動させて封止位置とすることができる。このことから、トナーカートリッジ５０２では、第２シャッタ６３２をＺ軸方向正側へと移動させることにより、第１シャッタ６２２を封止位置として、そこに設けられたシャッタシール７７２により排出口５５を封止することができる。
【０１８１】
このシャッタ機構６０２が設けられたトナーカートリッジ５０２が装着されるトナー補給装置４３には、シャッタ機構６０２の構成に適合するトナー容器固定部（容器固定部）９０２が設けられている。そのトナー容器固定部９０２は、図４０および図４１に示すように、基本的に実施例１のトナー容器固定部９０と同様の構成であり、案内溝部９１と第２受入凹部９２と固定溝部９３と第１受入凹部９４と固定爪部９５と補給口部（粉体補給口部）９６と固定解除爪部９７とを有する。それに加えて、トナー容器固定部９０２は、開放突起押当部２１２と案内補助部２１３とを有する。
【０１８２】
案内溝部９１は、実施例１と同様の構成であり、Ｘ軸方向で対を為して設けられており、装着されるトナーカートリッジ５０２一対の案内壁部５０ｄを受け入れることが可能とされている（図４６等参照）。第２受入凹部９２は、実施例１と同様の構成であり、トナーカートリッジ５０２のシャッタ機構６０２の第２シャッタ６３２を、Ｚ軸方向への移動を可能としつつ嵌り込ませて受け入れることが可能とされている（図４６等参照）。固定溝部９３は、基本的に実施例１と同様の構成であり、Ｚ軸方向負側にＸ−Ｙ平面に平行な固定壁面９３ａを規定し、第２シャッタ６３２の一対の腕部８１２の引掛片部分８１２ｂ（図３７等参照）を受け入れることを可能とする大きさ寸法とされている。第１受入凹部９４は、実施例１と同様の構成であり、Ｚ軸方向で第２受入凹部９２に隣接されて、トナーカートリッジ５０２のシャッタ機構６０２の第１シャッタ６２２をＺ軸方向への移動を可能としつつ嵌り込ませて受け入れることが可能とされている（図４８等参照）。その第１受入凹部９４は、実施例１と同様に、第２受入凹部９２との間に第２段部９８を形成している。
【０１８３】
固定爪部９５は、実施例１と同様の構成であり、一端突起９５ａと他端突起９５ｂとを有し、一端突起９５ａをトナーカートリッジ５０２の取付突部６１の両側面に面で宛がうとともに、他端突起９５ｂをトナーカートリッジ５０２に設けられた第１シャッタ６２２の両側壁部７１において固定壁部７５の裏側（その被引掛面７５ａのＺ軸方向負側）に入り込ませる（存在させる）ことが可能とされている（図４８等参照）。この固定爪部９５は、実施例１と同様に、回転軸部９５ｃを中心に回転可能とされて、図４０および図４１に示す初期回転姿勢へ向けて回転力（図４１の矢印Ａ２参照）が付与されている。さらに、各固定爪部９５は、初期回転姿勢であるとき、トナーカートリッジ５０２が適切に装着されると、それぞれの一端突起９５ａがトナーカートリッジ５０２の取付突部６１の両開放突起６７の先端面６７ａにＺ軸方向で当たることが可能とされている。
【０１８４】
補給口部９６は、実施例１と同様の構成であり、Ｚ軸方向で第１受入凹部９４に隣接されて、その中心が開口されてトナー一時貯留部４４（図３参照）に通じるトナー補給口（粉体補給口）９６ａが設けられている。その補給口部９６は、実施例１と同様に、第１受入凹部９４との間に第１段部９９を形成している。補給口部９６の上端面（Ｙ軸方向正側の面であってトナー補給口９６ａにより開口された面）は、実施例１と同様に、トナーカートリッジ５０２が適切に装着された状態において、その取付突部６１の下端面（Ｙ軸方向負側の面であって排出口５５により開口された面）と面で当たる位置関係とされている。この状態において、排出口５５とトナー補給口９６ａとは、実施例１と同様に、Ｙ軸方向で対向されて接続される。
【０１８５】
固定解除爪部９７は、実施例１と同様の構成であり、前側傾斜辺部９７ｃおよび後側傾斜辺部９７ｄを形成する固定解除爪９７ａに、押圧弾性部材９７ｂが図４０および図４１に示す初期飛出位置へ向けた力を付与している。この固定解除爪部９７は、何らの力が加えられていない状態では固定解除爪９７ａが初期飛出位置とされ、押圧弾性部材９７ｂに抗して固定解除爪９７ａの先端部をトナー容器固定部９０２内に押し入れることが可能とされている。
【０１８６】
開放突起押当部２１２は、第２シャッタ６３２の第２受入凹部９２への進入に伴って、その第２シャッタ６３２の両腕部８１２をＸ軸方向の外側へと変位させるために設けられている。この開放突起押当部２１２は、両腕部８１２に個別に対応すべく、Ｘ軸方向で対を為して設けられている。各開放突起押当部２１２は、各固定溝部９３のＺ軸方向正側の端部から左右方向（Ｘ軸方向）で見た内側へと突出された基部２１２ａと、その基部２１２ａの突出端からＺ軸方向負側へと突出された押当本体部２１２ｂと、を有する。その基部２１２ａは、後述するように各固定溝部９３に腕部８１２の引掛片部分８１２ｂが進入することを阻害することのない大きさ寸法および位置とされている（図４６から図４８等参照）。押当本体部２１２ｂは、Ｚ軸方向負側の先端（以下では、突出端２１２ｃとする）が第２受入凹部９２へと張り出して設けられており、その突出端２１２ｃに連続して押当傾斜面２１２ｄが設けられている。その押当傾斜面２１２ｄは、Ｘ軸方向の外側へ向かうに連れてＺ軸方向正側へと変位する傾斜面とされている。
【０１８７】
この両開放突起押当部２１２では、押当本体部２１２ｂ（その突出端２１２ｃおよび押当傾斜面２１２ｄ）が、第２受入凹部９２に進入された第２シャッタ６３２の対応する腕部８１２（その開放突起部分８１２ｄおよび開放傾斜面８１２ｅ）と高さ位置（Ｙ軸方向で見た位置）が等しいものとされている。また、両開放突起押当部２１２では、押当本体部２１２ｂの突出端２１２ｃおよび押当傾斜面２１２ｄが、第２シャッタ６３２で初期湾曲状態とされた両腕部８１２の開放突起部分８１２ｄの開放傾斜面８１２ｅとＺ軸方向で対向する位置関係とされている（図４６等参照）。そして、両開放突起押当部２１２では、押当本体部２１２ｂの突出端２１２ｃおよび押当傾斜面２１２ｄが、第２シャッタ６３２が第２段部９８による制限位置となる前に、その両腕部８１２の開放傾斜面８１２ｅ（開放突起部分８１２ｄ）とＺ軸方向で接触する位置関係とされている（図４６等参照）。
【０１８８】
このため、両開放突起押当部２１２では、第２受入凹部９２に第２シャッタ６３２が進入されると、押当本体部２１２ｂを初期湾曲状態とされた両腕部８１２の開放突起部分８１２ｄに接触させる（図４６等参照）。さらに第２シャッタ６３２がＺ軸方向正側に移動されると、押当本体部２１２ｂの突出端２１２ｃおよび押当傾斜面２１２ｄと、開放突起部分８１２ｄの開放傾斜面８１２ｅと、の案内作用により、各腕部８１２の引掛片部分８１２ｂ（その突出端（Ｘ軸方向の外側の端部））をＸ軸方向で見て、側壁部８０（そのＸ軸方向の外側の壁面（Ｘ軸方向で見た位置がそこと等しい両腕部８１２））よりも外側に変位（突出）させて、その引掛片部分８１２ｂを対応する固定溝部９３に進入させる（図４７等参照）。
【０１８９】
案内補助部２１３は、案内溝部９１と第２受入凹部９２との間の壁部のＺ軸方向負側の端部に設けられている。この案内補助部２１３は、左右方向（Ｘ軸方向）で見た外側に外側傾斜面２１３ａを形成するともに、左右方向（Ｘ軸方向）で見た内側に内側傾斜面２１３ｂを形成している。この外側傾斜面２１３ａは、トナーカートリッジ５０２の一対の案内壁部５０ｄを案内溝部９１へと導くものであり、各案内壁部５０ｄの案内溝部９１への挿入を容易なものとする。内側傾斜面２１３ｂは、トナーカートリッジ５０２の第２シャッタ６３２を第２受入凹部９２へと導くものであり、各案内壁部５０ｄの第２受入凹部９２への進入を容易なものとする。
【０１９０】
このトナー容器固定部９０２は、画像形成装置１０２（図４２等参照）に設けられた容器収容部２２０の内方に設けられている（図４４参照）。その画像形成装置１０２は、基本的に実施例１の画像形成装置１０（図１参照）と同様の構成とされている。画像形成装置１０２では、図４２に示すように、現像装置２３が水平方向（Ｘ−Ｚ平面に沿う方向）に並列されて設けられており、それに合わせて感光体ドラム２１や転写ベルト３０やトナー補給装置４３等（図４２ではトナー補給装置４３のみを示す）が水平方向に並列されて設けられている。この画像形成装置１０２では、トナーカートリッジ５０２を収容するために、イエロー、シアン、マゼンタ、ブラックに対応されて４つの容器収容部２２０が設けられており、それぞれがいずれか１つの色に対応されている。その各容器収容部２２０は、水平方向に並列された現像装置２３（トナー補給装置４３）に対応して水平方向に並列されており、それぞれが対応する１つの色のトナーカートリッジ５０２（５０２Ｙ、５０２Ｍ、５０２Ｃ、５０２ＢＫ）の装着を可能としている。この各容器収容部２２０は、後述する非互換溝２２５の設定が異なることを除くと、トナーカートリッジ５０２やトナー容器固定部９０２等と同様に、略同一構造であることから、この説明および図４３、図４４では、１つの容器収容部２２０の構成のみについて説明し、他の容器収容部２２０の説明を省略する。
【０１９１】
その容器収容部２２０は、図４３および図４４に示すように、画像形成装置１０２の外壁面を開口部２２０ａで開口して設けられており、トナー容器固定部９０２を受け入れることが可能な直方体形状の空間とされている。その開口部２２０ａは、略正方形とされており、同じく略正方形状とされたトナーカートリッジ５０２の後端部を略隙間を置くことなく受け入れることのできる大きさ寸法とされている（図４３（ｂ）参照）。
【０１９２】
この容器収容部２２０では、抑えレール２２１が設けられている。この抑えレール２２１は、容器収容部２２０における左右方向（Ｘ軸方向）に存在する両内側面２２０ｂのそれぞれに設けられている。両抑えレール２２１は、対応する内側面２２０ｂから左右方向（Ｘ軸方向）の内側へ向けて突出された板状部で構成されている。この両抑えレール２２１は、後述するように容器収容部２２０の内方にトナーカートリッジ５０２が挿入されると、図４５（ｂ）に示すように、そのトナーカートリッジ５０２の側壁部５０ｃに設けられた抑えレール２０９の受入傾斜部２０９ｂの上面（Ｙ軸方向正側の面）に接触する。そして、両抑えレール２２１は、トナーカートリッジ５０２がさらにＺ軸方向正側へと移動されると、図４５（ｂ）から（ｃ）に示すように、その受入傾斜部２０９ｂの案内作用により、抑えレール２０９のレール本体部２０９ａの上方（Ｙ軸方向正側）へと相対的に移動し、上方から当該レール本体部２０９ａに接触する。このため、両抑えレール２２１は、容器収容部２２０内において、トナーカートリッジ５０２が上方（Ｙ軸方向正側）へと移動することを防止しつつ当該トナーカートリッジ５０２の姿勢を規定する。
【０１９３】
また、容器収容部２２０の両内側面２２０ｂには、図４３および図４４に示すように、抑えレール２２１よりも上方（Ｙ軸方向正側）に抑え片部２２２が設けられている。この両抑え片部２２２は、対応する内側面２２０ｂから左右方向（Ｘ軸方向）の内側へと突出されて設けられており、Ｚ軸方向正側へ向かうに連れて左右方向への突出量が漸次的に増えている。両抑え片部２２２は、少なくとも突出量が最も大きくされた位置では、トナーカートリッジ５０２（その両側面）を左右方向（Ｘ軸方向）で挟み込むことが可能な大きさ寸法とされている。
【０１９４】
容器収容部２２０では、図４４に示すように、トナー容器固定部９０２の左右方向（Ｘ軸方向）の両側部を覆うように、１対の収容台部２２３が設けられている。その両収容台部２２３は、上面（Ｙ軸方向正側の面）が、トナーカートリッジ５０２の下壁部５０ｂ（図２８等参照）の挿入を妨げることを防止すべく、その下壁部５０ｂが規定する曲面に沿って湾曲する設置面部２２４を形成している。この両設置面部２２４は、トナーカートリッジ５０２が容器収容部２２０に対してＺ軸方向へと移動される際、トナーカートリッジ５０２の下壁部５０ｂに設けられた接触板状部２０７（図２８等参照）が接触した状態で滑ることが可能とされている。また、両設置面部２２４は、接触板状部２０７が接触されると、その接触板状部２０７が上記したように設定されていることから、トナーカートリッジ５０２の下壁部５０ｂと接触することが防止されている。この両設置面部２２４および接触板状部２０７の構成は、実施例１のトナーカートリッジ５０およびトナー容器固定部９０（トナー補給装置４３）に適用することができる。
【０１９５】
その収容台部２２３には、非互換溝２２５と受入溝２２６とが設けられている。その非互換溝２２５は、自らが設けられた容器収容部２２０（トナー容器固定部９０２）に対応された色（イエロー、シアン、マゼンタ、ブラック）とは異なる色の現像剤Ｇ（トナーＴ）が収容（充填）されたトナー容器固定部９０２が装着されることを防止するものである。非互換溝２２５は、両設置面部２２４をＹ軸方向負側へと凹ませつつＺ軸方向に伸びて形成されており、トナー容器固定部９０２に設けられた非互換突起２０８（図２８等参照）を受け入れることが可能な大きさ寸法とされている。この非互換溝２２５は、自らが対応された現像剤Ｇ（トナーＴ）の色に応じて、位置および個数が異なるものとされており、図示の例では左右に２つずつで合計４つ設けられている。このため、非互換溝２２５は、自らが設けられた容器収容部２２０（トナー容器固定部９０２）に対応された色と一致する色の現像剤Ｇ（トナーＴ）を収容（充填）するトナーカートリッジ５０２（５０２Ｙ、５０２Ｍ、５０２Ｃ、５０２ＢＫ）のみの装着を可能とする。
【０１９６】
受入溝２２６は、収容台部２２３における左右方向（Ｘ軸方向）の外側であって下部（Ｙ軸方向負側となる部分）が、左右方向（Ｘ軸方向）の内側へと凹まされつつＺ軸方向に伸びて形成されている。この受入溝２２６は、トナーカートリッジ５０２に設けられた固定解除片６８（図３８等参照）を受け入れることを可能とするとともに、その固定解除片６８がトナー容器固定部９０２の両固定解除爪部９７（固定解除爪９７ａ（図４０等参照））に至るべくＺ軸方向に移動することを可能とする。
【０１９７】
次に、トナーカートリッジ５０２のトナー容器固定部９０２（容器収容部２２０（トナー補給装置４３））への装着操作の際のシャッタ機構６０２およびトナー容器固定部９０２の動作について、図４６から図４８を用いて説明する。このシャッタ機構６０２およびトナー容器固定部９０２の動作は、基本的には実施例１のシャッタ機構６０およびトナー容器固定部９０の動作と同様であることから、等しい動作の説明は省略する。図４６は、トナーカートリッジ５０２をトナー容器固定部９０２へと装着する様子を説明すべく、トナーカートリッジ５０２を図３８と同様の断面図で示すとともにトナー容器固定部９０２を図４１と同様の正面図で示す説明図であり、両開放突起押当部２１２の押当本体部２１２ｂ（その突出端２１２ｃ（押当傾斜面２１２ｄ））が、トナーカートリッジ５０２の第２シャッタ６３２の初期湾曲状態とされた両腕部８１２の開放突起部分８１２ｄ（その開放傾斜面８１２ｅ）に当たった状態を示す。図４７は、図４６と同様の説明図であり、トナーカートリッジ５０２の第２シャッタ６３２がトナー容器固定部９０２の第２段部９８に当たった状態を示す。図４８は、図４６と同様の説明図であり、トナーカートリッジ５０２の排出口５５とトナー容器固定部９０２（トナー補給装置４３）のトナー補給口９６ａとが接続された状態を示す。
【０１９８】
先ず、把持部２０６（図４３等参照）を利用してトナーカートリッジ５０２を持ち、図４３（ａ）に矢印Ａ１１で示すように、容器収容部２２０（そのトナー容器固定部９０２）へ向けて、トナーカートリッジ５０２を装着方向（Ｚ軸方向正側）へと移動させる。このとき、トナーカートリッジ５０２の一対の案内壁部５０ｄ（図３８等参照）をトナー容器固定部９０２の一対の案内溝部９１（図４１および図４０等参照）内に挿入しつつ、トナーカートリッジ５０２の下壁部５０ｂに設けられた接触板状部２０７（図２８等参照）を容器収容部２２０に設けられた両設置面部２２４（図４４参照）上に載せる。すると、トナーカートリッジ５０２の一対の側壁部５０ｃに設けられた抑えレール２０９が、容器収容部２２０のそれぞれに対応する抑えレール２２１に下方から接触される（図４５（ａ）から（ｃ）参照）。また、トナーカートリッジ５０２（その両側面）が左右方向（Ｘ軸方向）で両抑え片部２２２により挟み込まれる。これにより、トナー容器固定部９０２に対するトナーカートリッジ５０２の移動方向が装着方向（Ｚ軸方向正側）に規定される（図４６参照）。
【０１９９】
この状態において、図３８および図３９に示すように、シャッタ機構６０２では、第１シャッタ６２２が封止位置であることから、排出口５５の周辺で取付突部６１にシャッタシール７７２が押し当てられており、その排出口５５が封止されている。また、シャッタ機構６０２では、第２シャッタ６３２が被覆位置であることから、解除突起７３を含む第１シャッタ６２２が第２シャッタ６３２により覆い隠されている。さらに、第１シャッタ６２２では、固定片部７２の本体部７２ｂの両押当脚部分７２ｃが、下壁部５０ｂに設けられた固定突起６５の両被押当部６５ｂとＺ軸方向で当たることから、その当たった位置からの取付突部６１（トナーカートリッジ５０２）に対するＺ軸方向負側への移動が防止されている。ついで、第２シャッタ６３２では、両腕部８１２の突出端８１２ａの近傍のＸ−Ｙ平面に平行な平坦面８１２ｃが、第１シャッタ６２２の各側壁部７１の前端部すなわち各固定壁部７５のＸ−Ｙ平面に平行な押当面７５ｂと、Ｚ軸方向で当たることで、取付突部６１（トナーカートリッジ５０２）に対するＺ軸方向負側への移動が抑制されている（図３８参照）。
【０２００】
その後、トナーカートリッジ５０２をＺ軸方向正側へと移動させると、シャッタ機構６０２の第２シャッタ６３２がトナー容器固定部９０２の第２受入凹部９２内に進入し、やがて第２シャッタ６３２の初期湾曲状態とされた両腕部８１２の開放突起部分８１２ｄ（その開放傾斜面８１２ｅ）が、トナー容器固定部９０２の両開放突起押当部２１２の押当本体部２１２ｂ（その突出端２１２ｃ（押当傾斜面２１２ｄ））に当たる（図４６参照）。そして、さらにトナーカートリッジ５０２をＺ軸方向正側へと移動させると、押当本体部２１２ｂの突出端２１２ｃおよび押当傾斜面２１２ｄと開放突起部分８１２ｄの開放傾斜面８１２ｅとの案内作用により、各腕部８１２がＸ軸方向で見て外側に変位（突出）され、その各引掛片部分８１２ｂ（その突出端（Ｘ軸方向の外側の端部））がＸ軸方向で見て外側に変位（突出）されて、その各引掛片部分８１２ｂが第２受入凹部９２に通じる一対の固定溝部９３に進入される（図４７等参照）。そして、引掛片部分８１２ｂが固定溝部９３に進入されると、第２シャッタ６３２（その平板部７８２の先端面７８２ａ）がトナー容器固定部９０２の第２段部９８に当たる（図４７参照）。このため、第２シャッタ６３２は、トナー容器固定部９０２に対してＺ軸方向正側へと移動することが制限される。
【０２０１】
その後のトナーカートリッジ５０２のＺ軸方向正側への移動に伴う各動作は、実施例１と同様であることから詳細な説明を省略する。そして、トナーカートリッジ５０２のＺ軸方向正側への移動により、図４８に示すように、取付突部６１の下端面（Ｙ軸方向負側の面）と補給口部９６の上端面（Ｙ軸方向正側の面）とが面で当たりつつ、取付突部６１の排出口５５が補給口部９６のトナー補給口９６ａとＹ軸方向で対向されて接続される。この排出口５５とトナー補給口９６ａとが接続された状態では、各固定爪部９５の他端突起９５ｂが、第１段部９９による制限位置において開放位置とされた第１シャッタ６２２の両側壁部７１における固定壁部７５の裏側（その被引掛面７５ａのＺ軸方向負側）に入り込まれている。また、第１シャッタ６２２は、設置部７４の先端面７４ａ（シャッタシール７７２の先端部７７２ａ）が第１段部９９と当たる当該第１段部９９による制限位置とされている。
【０２０２】
このとき、実施例２の第１シャッタ６２２では、設置部７４の先端面７４ａよりも、シャッタシール７７２の先端部７７２ａがＺ軸方向正側へと突出されていることから（図３６等参照）、この先端部７７２ａを含むシャッタシール７７２の突出された箇所が第１段部９９との間で圧縮されている。このため、その排出口５５とトナー補給口９６ａとが接続された状態では、第１段部９９すなわち補給口部９６と第１シャッタ６２２との間をシャッタシール７７２の圧縮された箇所で塞ぐことができる。また、その排出口５５とトナー補給口９６ａとが接続された状態では、第２段部９８による制限位置において開放位置とされた第２シャッタ６３２の両腕部８１２の各引掛片部分８１２ｂが、各固定溝部９３に進入されている。このとき、第２シャッタ６３２の両腕部８１２は、それぞれの開放突起部分８１２ｄが各開放突起押当部２１２の押当本体部２１２ｂに当たる、もしくはそれぞれの突出端８１２ａが第１シャッタ６２２の各側壁部７１に当たることで、その各突出端８１２ａがＸ軸方向の外側へと変位しつつＺ軸方向に沿って伸びるように変形された状態が維持されている。また、トナーカートリッジ５０２の各側壁部５０ｃの固定解除片６８は、その後側傾斜辺部６８ｂを、各固定解除爪部９７の固定解除爪９７ａの前側傾斜辺部９７ｃとＺ軸方向で対向させており、トナーカートリッジ５０２をトナー容器固定部９０２に解除可能に固定している。
【０２０３】
また、排出口５５とトナー補給口９６ａとが接続された状態とされると、容器収容部２２０に設けられた第１基準決め突起が第１基準穴２０１（図２６等参照）に嵌め合わされ、かつ容器収容部２２０に設けられた第２基準決め突起が第２基準穴２０２（図２６等参照）に挿入されることで、容器収容部２２０に対してトナーカートリッジ５０２が所定の姿勢とされる。このとき、容器収容部２２０に設けられた位置決め突起が電子基板５７２の位置決め穴５７２ｂ（図２６等参照）へと挿入されて、電子基板５７２が適切な位置とされる。
【０２０４】
さらに、排出口５５とトナー補給口９６ａとが接続された状態へとトナーカートリッジ５０２がＺ軸方向正側へと移動される際、トナーカートリッジ５０２の上面に設けられた抑え片部２０５（図２６等参照）が、容器収容部２２０の上壁部２２０ｃ（図４４参照）と接触することにより、トナーカートリッジ５０２の後端部側が上方へと移動することが防止されている（図４３（ｂ）参照）。加えて、排出口５５とトナー補給口９６ａとが接続された状態へとトナーカートリッジ５０２がＺ軸方向正側へと移動される際、トナーカートリッジ５０２の各底壁部５０ｆに設けられた下支え片部２１４（図２８等参照）が、容器収容部２２０の下壁部２２０ｄ（図４４参照）と接触することにより、トナーカートリッジ５０２の後端部側が下方へと移動することが防止されている。そして、排出口５５とトナー補給口９６ａとが接続された状態とされると、図４３（ｂ）に示すように、容器収容部２２０の開口部２２０ａが、トナーカートリッジ５０２の後端部により塞がれた状態となる。すると、容器収容部２２０に設けられた攪拌駆動カップリング３０１が、攪拌部材５２の連結箇所５２２ａに連結される（図３２（ｄ）参照）とともに、容器収容部２２０に設けられた搬送駆動カップリングが、搬送スクリュ５６の連結箇所５６２ａ（図２６等参照）に連結される。
【０２０５】
これにより、トナー容器固定部９０２にトナーカートリッジ５０２が適切に装着されることとなり、トナーカートリッジ５０２の容器収容部２２０への装着動作が完了する。このように、トナーカートリッジ５０２が適切に装着されると、トナー補給装置４３（容器収容部２２０）では、攪拌駆動カップリング３０１の回転駆動により攪拌部材５２が適宜回転駆動されかつ搬送駆動カップリングの回転駆動により搬送スクリュ５６が適宜回転駆動されることにより、トナーカートリッジ５０２の排出口５５から外部に排出された現像剤Ｇを、トナー容器固定部９０２のトナー補給口９６ａから内方（トナー一時貯留部４４）に導くことができる（図３参照）。これにより、トナーカートリッジ５０２から排出された現像剤Ｇは、現像装置２３内に供給される（図３参照）。
【０２０６】
次に、トナーカートリッジ５０２のトナー容器固定部９０２（容器収容部２２０（トナー補給装置４３））からの取り出し操作の際のシャッタ機構６０２およびトナー容器固定部９０２の動作について、図４９および図５０を用いて説明する。このシャッタ機構６０２およびトナー容器固定部９０２の動作は、基本的には実施例１のシャッタ機構６０およびトナー容器固定部９０の動作と同様であることから、等しい動作の説明は省略する。図４９は、トナー容器固定部９０２からトナーカートリッジ５０２を取り出す様子を説明するための図４６と同様の説明図であり、トナーカートリッジ５０２がトナー容器固定部９０２に対してＺ軸方向負側へと移動され始めて両固定解除爪部９７によるトナーカートリッジ５０２の固定が解除される様子を示す。図５０は、図４６と同様の説明図であり、トナーカートリッジ５０２をトナー容器固定部９０２に対してＺ軸方向負側へと移動して各引掛片部分８１２ｂと各固定溝部９３とによる第２シャッタ６３２の固定が解除された様子を示す。
【０２０７】
このトナー容器固定部９０２では、トナーカートリッジ５０２を取り出すには、そのトナーカートリッジ５０２を装着方向とは反対側すなわちＺ軸方向負側へと移動させることとなり、Ｚ軸方向負側が取出方向となる。先ず、把持部２０６（図４３（ｂ）等参照）を利用してトナーカートリッジ５０２を持ち、容器収容部２２０すなわちトナー容器固定部９０２からトナーカートリッジ５０２を取出方向（Ｚ軸方向負側）へと移動させる。すると、トナーカートリッジ５０２の各側壁部５０ｃの固定解除片６８と各固定解除爪部９７とによる固定状態が解除される（図４９参照）。その図４９では、解除へ向けてトナー容器固定部９０の両固定解除爪部９７（固定解除爪９７ａ）がトナー容器固定部９０内に押し入れられ始めた様子を示す。そして、トナーカートリッジ５０２の取付突部６１がＺ軸方向負側へと移動して、排出口５５がトナー容器固定部９０２のトナー補給口９６ａとＹ軸方向で対向した状態が解除される。このとき、シャッタ機構６０２では、トナー容器固定部９０２の各固定爪部９５の他端突起９５ｂが、第１シャッタ６２２の両側壁部７１において固定壁部７５の裏側（その被引掛面７５ａのＺ軸方向負側）に入り込んでいることから、その他端突起９５ｂが固定壁部７５の被引掛面７５ａとＺ軸方向で当たることにより、第１シャッタ６２２がトナー容器固定部９０２に対してＺ軸方向負側へと移動することが制限されている。また、シャッタ機構６０２では、第２シャッタ６３２の両腕部８１２の各突出端８１２ａが第１シャッタ６２２の各側壁部７１に当たることで、各引掛片部分８１２ｂが、トナー容器固定部９０２の各固定溝部９３に進入していることから、その各固定溝部９３の固定壁面９３ａに各引掛片部分８１２ｂがＺ軸方向で当たる（干渉する）ことにより、トナー容器固定部９０２に対して第２シャッタ６３２がＺ軸方向負側へと移動することが制限されている。このとき、第２シャッタ６３２は、第２段部９８による制限位置からは僅かにＺ軸方向負側へと移動されているが、解除操作位置は維持されている。その第２シャッタ６３２では、第２段部９８による制限位置からＺ軸方向負側への僅かな移動により、各引掛片部分８１２ｂが各固定溝部９３に進入された両腕部８１２が初期湾曲状態へと復帰する場合に、その開放突起部分８１２ｄ（その開放傾斜面８１２ｅ）が、トナー容器固定部９０２の両開放突起押当部２１２の押当本体部２１２ｂ（その突出端２１２ｃ（押当傾斜面２１２ｄ））と干渉することが防止されている（図５０等参照）。このため、トナーカートリッジ５０２では、第１シャッタ６２２と第２シャッタ６３２とが、取付突部６１（トナーカートリッジ５０２）とともにＺ軸方向負側へと移動することが防止されている。すなわち、トナーカートリッジ５０２では、第１シャッタ６２２と第２シャッタ６３２とが解除操作位置を維持したまま、Ｚ軸方向正側へと移動することとなる。
【０２０８】
その後のトナーカートリッジ５０２のＺ軸方向正側への移動に伴う各動作は、実施例１と同様であることから簡単な説明に留める。そして、トナーカートリッジ５０２を取出方向（Ｚ軸方向負側）へと移動させると、第１シャッタ６２２がシャッタシール７７２（図３９等参照）で排出口５５が封止する位置、すなわち第１シャッタ６２２がトナーカートリッジ５０２における封止位置となるまでは、当該第１シャッタ６２２は両固定爪部９５により第１段部９９による制限位置に固定されている。その後、トナーカートリッジ５０２を取出方向（Ｚ軸方向負側）へと移動させて、トナーカートリッジ５０２の取付突部６１の排出口５５の周辺に、第１シャッタ６２２のシャッタシール７７２が押し当てられている状態となると、第１シャッタ６２２が封止位置とされて、そのシャッタシール７７２により排出口５５が封止される。すると、シャッタ機構６０２では、トナーカートリッジ５０２の取付突部６１の両開放突起６７（その先端面６７ａ）が、トナー容器固定部９０２の各固定爪部９５の一端突起９５ａよりもＺ軸方向負側まで移動されることで、取付突部６１（両開放突起６７）が一端突起９５ａをＺ軸方向正側へと押す状態が解除される。これにより、両固定爪部９５が回転軸部９５ｃを中心に回転して初期回転姿勢となり、トナー容器固定部９０２の各固定爪部９５の他端突起９５ｂが、第１シャッタ６２２の両側壁部７１において固定壁部７５の裏側（その被引掛面７５ａのＺ軸方向負側）に入り込む状態が解除されて、第１シャッタ６２２がトナー容器固定部９０２に対してＺ軸方向負側へと移動することが可能となる。このため、トナーカートリッジ５０２では、トナー容器固定部９０２に対してＺ軸方向負側へと移動される際、第１シャッタ６２２が確実に封止位置とされて、そのシャッタシール７７２により取付突部６１の排出口５５が確実に封止される。
【０２０９】
その後、さらにトナーカートリッジ５０２を取出方向（Ｚ軸方向負側）へと移動させると、シャッタ機構６０２の第１シャッタ６２２がトナーカートリッジ５０２とともにＺ軸方向負側へと移動し、第２シャッタ６３２が第２段部９８による制限位置の近傍で留まる。すなわち、トナーカートリッジ５０２では、第１シャッタ６２２が封止位置とされたまま、第２シャッタ６３２がＺ軸方向正側へと移動する。そして、その第１シャッタ６２２と第２シャッタ６３２とのＺ軸方向への相対的な移動により、第１シャッタ６２２の解除突起７３と第２シャッタ６３２の解除操作突起７９とがＹ軸方向で対向する解除操作位置が解除されて、第１シャッタ６２２は、シャッタシール７７２で排出口５５を封止する封止位置でトナーカートリッジ５０２に対するＺ軸方向負側への移動が防止された状態とされる。
【０２１０】
その後、トナーカートリッジ５０２を取出方向（Ｚ軸方向負側）へと移動させると、シャッタ機構６０２の第１シャッタ６２２が第２シャッタ６３２の両腕部８１２の間へと入り込み、その両腕部８１２のそれぞれの突出端８１２ａが第１シャッタ６２２の各側壁部７１に当たる状態が解除される（図５０参照）。このため、第２シャッタ６３２の両腕部８１２は、初期湾曲状態となって引掛片部分８１２ｂがトナー容器固定部９０２の各固定溝部９３に入り込んだ状態が解除されるので、第２シャッタ６３２がトナー容器固定部９０２に対してＺ軸方向負側へと移動することが可能となる（図５０参照）。ここで、第２シャッタ６３２では、上述したように開放突起部分８１２ｄ（その開放傾斜面８１２ｅ）が、トナー容器固定部９０２の両開放突起押当部２１２の押当本体部２１２ｂ（その突出端２１２ｃ（押当傾斜面２１２ｄ））と干渉することが防止されていることから、各引掛片部分８１２ｂが各固定溝部９３に進入された両腕部８１２を確実に初期湾曲状態へと復帰することができる。このとき、第２シャッタ６３２は、トナーカートリッジ５０２（その下壁部５０ｂ）の外方に第１シャッタ６２２の解除突起７３が露出することを防止する被覆位置となる（図５０参照）。
【０２１１】
その後、トナーカートリッジ５０２を取出方向（Ｚ軸方向負側）へと移動させることで、トナー容器固定部９０２（容器収容部２２０）から取り出すことができる。このとき、図３８、図３９および図５０に示すように、シャッタ機構６０２では、第１シャッタ６２２が封止位置であることから、排出口５５の周辺で取付突部６１にシャッタシール７７２を押し当てており、その排出口５５を封止している。また、シャッタ機構６０２では、第２シャッタ６３２が被覆位置であることから、解除突起７３を含む第１シャッタ６２２を第２シャッタ６３２で覆い隠している。このため、トナーカートリッジ５０２は、トナー容器固定部９０２（容器収容部２２０（トナー補給装置４３））に装着する前と同様の、シャッタ機構６０２により排出口５５が封止された状態となる。以上により、トナーカートリッジ５０２の取り出し動作が完了する。
【０２１２】
この本発明に係る実施例２のトナーカートリッジ５０２（５０２Ｙ、５０２Ｍ、５０２Ｃ、５０２ＢＫ）は、基本的には実施例１のトナーカートリッジ５０（５０Ｙ、５０Ｍ、５０Ｃ、５０ＢＫ）と等しい構成であることから、同様の効果を得ることができる。
【０２１３】
それに加えて、実施例２のトナーカートリッジ５０２（５０２Ｙ、５０２Ｍ、５０２Ｃ、５０２ＢＫ）では、両腕部８１２に、初期湾曲状態とされるとＸ−Ｙ平面に平行となる平坦面８１２ｃが設けられていることから、第２シャッタ６３２に対して第１シャッタ６２２がＺ軸方向正側に移動しようとすると、第１シャッタ６２２の各側壁部７１の前端部すなわち各固定壁部７５のＸ−Ｙ平面に平行な押当面７５ｂにＸ−Ｙ平面に平行な平坦面８１２ｃをＺ軸方向で当てることができる。このため、実施例１の第２シャッタ６３と比較して、第１シャッタ６２２に対する第２シャッタ６３２のＺ軸方向負側への移動を抑制する力を向上させることができる。
【０２１４】
また、トナーカートリッジ５０２（５０２Ｙ、５０２Ｍ、５０２Ｃ、５０２ＢＫ）では、第１シャッタ６２２に対する第２シャッタ６３２のＺ軸方向負側への移動を抑制する力が向上されているので、より効果的に排出口５５が誤って開放されることを防止することができる。
【０２１５】
さらに、トナーカートリッジ５０２（５０２Ｙ、５０２Ｍ、５０２Ｃ、５０２ＢＫ）では、第２シャッタ６３２の両腕部８１２に開放突起部分８１２ｄ（その開放傾斜面８１２ｅ）が設けられていることから、その開放傾斜面８１２ｅにＺ軸方向正側からＺ軸方向負側へと向けた力を作用させることにより、両腕部８１２を左右方向（Ｘ軸方向）で見た外方へ向けて変形させることができ、その各引掛片部分８１２ｂを第２受入凹部９２に通じる一対の固定溝部９３へと進入させることができる。このため、第１シャッタ６２２に対する第２シャッタ６３２のＺ軸方向負側への移動を抑制する力が向上されていても、確実に両腕部８１２を変形させることができ、第２シャッタ６３２のトナー容器固定部９０２に対するＺ軸方向負側への移動を確実に防止することを可能とすることができる。
【０２１６】
トナーカートリッジ５０２（５０２Ｙ、５０２Ｍ、５０２Ｃ、５０２ＢＫ）では、第１シャッタ６２２（その各側壁部７１）を利用して第２シャッタ６３２の両腕部８１２の変形の解除を行うものであることから、シャッタ機構６０２をより簡易な構成とすることができる。
【０２１７】
トナーカートリッジ５０２（５０２Ｙ、５０２Ｍ、５０２Ｃ、５０２ＢＫ）では、トナーカートリッジ５０２の下壁部５０ｂに１対の接触板状部２０７が設けられていることから、容器収容部２２０の両設置面部２２４に対する接触面積を両接触板状部２０７だけにすることができるので、トナーカートリッジ５０２の容器収容部２２０すなわちトナー容器固定部９０２に対するＺ軸方向への移動を容易なものとすることができる。また、接触板状部２０７は、左右方向（Ｘ軸方向）で対を為して設けられていることから、接触面積を両接触板状部２０７だけとしても、トナーカートリッジ５０２の容器収容部２２０すなわちトナー容器固定部９０２に対するＺ軸方向への移動を安定したものとすることができる。
【０２１８】
トナーカートリッジ５０２（５０２Ｙ、５０２Ｍ、５０２Ｃ、５０２ＢＫ）では、一対の側壁部５０ｃに抑えレール２０９が設けられているので、容器収容部２２０のそれぞれに対応する抑えレール２２１が上方から接触されることで、容器収容部２２０内において上方（Ｙ軸方向正側）へと移動することを防止することができるとともに、容器収容部２２０内での姿勢を規定することができる。
【０２１９】
トナーカートリッジ５０２（５０２Ｙ、５０２Ｍ、５０２Ｃ、５０２ＢＫ）では、上面に抑え片部２０５が設けられていることから、容器収容部２２０の上壁部２２０ｃ（図４４参照）への接触により後端部側が上方へと移動することを防止することができる。このため、第１基準穴２０１（図２６等参照）に容器収容部２２０の第１基準決め突起を適切に嵌め合わせることを可能とすることができ、第２基準穴２０２（図２６等参照）に容器収容部２２０の第２基準決め突起が適切に挿入されること、電子基板５７２の位置決め穴５７２ｂ（図２６等参照）に容器収容部２２０の位置決め突起が適切に挿入されること、攪拌部材５２の連結箇所５２２ａに攪拌駆動カップリング３０１（図３２参照）が適切に連結されること、搬送スクリュ５６の連結箇所５６２ａ（図２６等参照）に搬送駆動カップリングが適切に連結されること、を可能とすることができる。このことは、把持凹所２０６ａから挿入した手で把持壁部２０６ｂを握ることにより、トナーカートリッジ５０２を容易に持つことが可能とする把持部２０６が背面（Ｙ軸方向負側の面）に設けられていることから、特に効果的である。
【０２２０】
トナーカートリッジ５０２（５０２Ｙ、５０２Ｍ、５０２Ｃ、５０２ＢＫ）では、各底壁部５０ｆに下支え片部２１４が設けられていることから、容器収容部２２０の下壁部２２０ｄ（図４４参照）への接触により後端部側が下方へと移動することを防止することができる。このため、上記した各部の適切な嵌め合わせ、挿入および連結を可能とすることができるとともに、装着状態において後端部側が下方へと移動するように傾くことに起因して電子基板５７２と容器収容部２２０（トナー補給装置４３）に設けられた通信基板との間での通信が困難となることを防止することができる。このことは、トナーカートリッジ５０２では、自重（主に収容部５１に収容された現像剤Ｇの重量）により、後端部側が下方へと移動するように傾く虞があることから、特に効果的である。
【０２２１】
トナーカートリッジ５０２（５０２Ｙ、５０２Ｍ、５０２Ｃ、５０２ＢＫ）では、上面の抑え片部２０５を上壁部２２０ｃに接触させるとともに、各底壁部５０ｆの下支え片部２１４を下壁部２２０ｄに接触させることにより、後端部の上下方向で見た位置を適切なものとすることができるので、上記した各部のより適切な嵌め合わせ、挿入および連結を可能とすることができる。また、両抑え片部２０５および両下支え片部２１４は、Ｚ軸方向負側へ向かうに連れてＹ軸方向での突出量が漸次的に増えるものとされているので、上記した効果を有するものとしつつトナーカートリッジ５０２の容器収容部２２０（トナー補給装置４３）への装着を円滑なものとすることができる。
【０２２２】
トナーカートリッジ５０２（５０２Ｙ、５０２Ｍ、５０２Ｃ、５０２ＢＫ）では、後端部を容器収容部２２０の開口部２２０ａに対して略隙間を設けることなく内方へと嵌まることができる大きさ寸法とすべく突出後壁部２１０（その突出後壁２１０ａ）が設けられていることから、容器収容部２２０へと装着された状態において、開口部２２０ａを塞ぐことができる（図４３（ｂ）参照）。このため、不測の事態が生じることにより、容器収容部２２０の内方でトナーカートリッジ５０２の外方に現像剤Ｇが漏れ出してしまった場合であっても、当該現像剤Ｇが開口部２２０ａから容器収容部２２０の外方へと漏れ出すことを防止することができる。また、開口部２２０ａを塞いでいることから、左右方向（Ｘ軸方向）で見たトナーカートリッジ５０２における上部（収容部５１）の大きさ寸法をトナーカートリッジ５０２における下部よりも大きくしても、装着時の見栄えを向上させることができる。このため、収容部５１に収容（充填）することのできる現像剤Ｇの量（容量）を大きくしつつ、現像剤Ｇが開口部２２０ａから容器収容部２２０の外方へと漏れ出すことを防止することができ、装着時の見栄えを向上させることができる。
【０２２３】
トナーカートリッジ５０２（５０２Ｙ、５０２Ｍ、５０２Ｃ、５０２ＢＫ）では、十分に収容（充填）された現像剤Ｇにより塞がれない位置に給排気部２０３が設けられていることから、収容部５１へと空気を供給することができるので、排出口５５から外部へと現像剤Ｇを排出することに起因して収容部５１内が負圧となる（周囲の圧力より低い圧力となる）ことを防止することができる。このため、現像剤Ｇを排出口５５から外部へと円滑に排出することができ、トナー容器固定部９０２のトナー補給口９６ａから内方（トナー一時貯留部４４）へと現像剤Ｇを円滑に導くことができる。
【０２２４】
トナーカートリッジ５０２（５０２Ｙ、５０２Ｍ、５０２Ｃ、５０２ＢＫ）では、十分に収容（充填）された現像剤Ｇにより塞がれない位置に給排気部２０３が設けられていることから、トナー容器固定部９０２のトナー補給口９６ａから空気が流入してきた場合であっても、収容部５１から空気を排出することができ、収容部５１内の気圧が高くなることを防止することができる。
【０２２５】
トナーカートリッジ５０２（５０２Ｙ、５０２Ｍ、５０２Ｃ、５０２ＢＫ）では、案内壁部５０ｄの先端に第１シャッタ６２２および第２シャッタ６３２（シャッタ機構６０２）よりもＺ軸方向正側へと突出されたシャッタ保護部５０ｅが設けられていることから（図３９参照）、意図しない物体等がＺ軸方向の正側から相対的に接近してきた場合であっても、第１シャッタ６２２や第２シャッタ６３２よりも先に当該物体に接触して、第１シャッタ６２２および第２シャッタ６３２が相対的にＺ軸方向負側へと押されることを防止することができる。このため、第１シャッタ６２２や第２シャッタ６３２が意図しない物体等によりＺ軸方向の正側から負側へ向けて押されることを防止することができ、第１シャッタ６２２および第２シャッタ６３２を保護することができる。これにより、トナーカートリッジ５０２では、容器収容部２２０（そのトナー容器固定部９０２）に対してＺ軸方向正側へと移動される装着時に、誤ってシャッタ機構６０２の周辺を容器収容部２２０もしくはトナー容器固定部９０２に当ててしまった場合であっても、シャッタ保護部５０ｅが容器収容部２２０もしくはトナー容器固定部９０２に当たることで、第１シャッタ６２２や第２シャッタ６３２がＺ軸方向の正側から負側へ向けて押されて排出口５５が開放してしまうことを防止することができる。
【０２２６】
トナーカートリッジ５０２（５０２Ｙ、５０２Ｍ、５０２Ｃ、５０２ＢＫ）では、攪拌部材５２の１対の引掛突起部５２２ｂの突出端部５２２ｃに傾斜面５２２ｄが設けられていることから、同じく１対の引掛突起部３０１ａの突出端部３０１ｂに傾斜面３０１ｃが設けられた攪拌駆動カップリング３０１との協働により、攪拌駆動カップリング３０１の突出端部３０１ｂと連結箇所５２２ａの突出端部５２２ｃとが突き当てられた状態となることを防止することができる。加えて、１対の引掛突起部５２２ｂの突出端部５２２ｃが、１対の引掛突起部３０１ａの突出端部３０１ｂと中心軸線Ｃａ方向で平行に並ぶものとされていることから、傾斜面５２２ｄと傾斜面３０１ｃとの案内作用による連結箇所５２２ａに対する攪拌駆動カップリング３０１の回転を促進することができるので、傾斜面５２２ｄと傾斜面３０１ｃとによる突き当てられた状態となることを防止する作用をより効果的なものとすることができる。
【０２２７】
トナーカートリッジ５０２（５０２Ｙ、５０２Ｍ、５０２Ｃ、５０２ＢＫ）では、攪拌部材５２に１対の引掛突起部５２２ｂの突出端部５２２ｃに周方向で見て対を為す傾斜面５２２ｄが設けられていることから、同じく１対の引掛突起部３０１ａの突出端部３０１ｂに回転方向（周方向）で見て対を為す傾斜面３０１ｃが設けられた攪拌駆動カップリング３０１との協働により、攪拌駆動カップリング３０１の突出端部３０１ｂと連結箇所５２２ａの突出端部５２２ｃとが突き当てられた状態となることを防止すべく連結箇所５２２ａに対して攪拌駆動カップリング３０１が回転する量（図３２（ｃ）の矢印Ａ１０参照）、すなわち突き当てられた状態を回避するための相対的な逃げ量を小さくすることができる。これは、以下のことによる。図３２（ｃ）に示すように、突出端部５２２ｃにおける一方の傾斜面５２２ｄが設けられた箇所に相当する周方向（回転方向）で見た大きさを寸法αとし、突出端部３０１ｂにおける一方の傾斜面３０１ｃが設けられた箇所に相当する周方向（回転方向）で見た大きさを寸法βとする。すると、突出端部５２２ｃと突出端部３０１ｂとは、傾斜面５２２ｄと傾斜面３０１ｃとの案内作用により、最大で寸法（α＋β）だけ相対的に回転すれば突き当てられた状態を回避することができる。これに対し、例えば、図３２（ｅ）に示すように、１対の引掛突起部５２２ｂの突出端部５２２ｃに周方向で見て一様な傾斜面５２２ｆを設けるとともに、１対の引掛突起部３０１ａの突出端部３０１ｂに回転方向（周方向）で見て一様な傾斜面３０１ｄを設けることとする。すると、引掛突起部５２２ｂと突出端部３０１ｂとは、傾斜面５２２ｆと傾斜面３０１ｄとの案内作用により突き当てられた状態を回避する（矢印Ａ１２参照）には、最大で寸法（２α＋２β）だけ相対的に回転する必要がある。このため、突出端部５２２ｃに周方向で対を為して傾斜面５２２ｄを設けることにより、回転方向（周方向）で対を為して傾斜面３０１ｃを設けた突出端部３０１ｂとの協働により、突き当てられた状態となることを防止のための相対的な回転量（逃げ量）を小さくする（実施例２では回転方向に拘らず略半分）ことができる。なお、攪拌部材５２の連結箇所５２２ａにおける１対の傾斜面５２２ｄは、上記した効果を得ることができるものであれば、互いの傾斜角度が異なるものとされていてもよく、攪拌部材５２の軸線を中心とする周方向で見た互いの大きさ寸法が異なるものとされていてもよく、上記した実施例２に限定されるものではない。このことは、攪拌駆動カップリング３０１における１対の傾斜面３０１ｃにおいても同様である。
【０２２８】
トナーカートリッジ５０２（５０２Ｙ、５０２Ｍ、５０２Ｃ、５０２ＢＫ）では、攪拌部材５２の１対の引掛突起部５２２ｂの突出端部５２２ｃが、互いが近付くに連れてＺ軸方向負側へと変位して傾斜されつつ、１対の引掛突起部３０１ａの突出端部３０１ｂと中心軸線Ｃａ方向で平行に並ぶものとされていることから、１対の突出端部５２２ｃが１対の突出端部３０１ｂと接触すると、それらの案内作用により両引掛突起部３０１ａを両引掛突起部５２２ｂの内側へと導くような力を作用させることができる。このため、両引掛突起部５２２ｂ（その突出端部５２２ｃ）と両引掛突起部３０１ａ（その突出端部３０１ｂ）とが上記したように接触した場合であっても、連結箇所５２２ａと攪拌駆動カップリング３０１との間に中心軸線Ｃａ（図３２（ａ）参照）と攪拌部材５２の軸線とをずらすような力が作用することを防止することができる。なお、これらの攪拌部材５２の連結箇所５２２ａ（そこに連結される攪拌駆動カップリング３０１）における効果および設計変更に関しては、上述したように同様の構成とされている搬送スクリュ５６の連結箇所５６２ａ（そこに連結される搬送駆動カップリング）でも同様である。
【０２２９】
トナーカートリッジ５０２（５０２Ｙ、５０２Ｍ、５０２Ｃ、５０２ＢＫ）では、第１基準穴２０１の第１基準壁部２０１ａと第２基準穴２０２の第２基準壁部２０２ａとが収容部５１すなわちトナーカートリッジ５０２の内側面に連続されていることから、攪拌部材５２の攪拌羽部５２ｂ（図５１（ａ）参照）による収容部５１に収容された現像剤Ｇの攪拌の効果を高めることができる。これは、以下のことによる。例えば、図５１（ｂ）に示すトナーカートリッジ５０２´のように、第１基準穴２０１´および第２基準穴２０２´を収容部５１すなわちトナーカートリッジ５０２の内側面に連続させない構成としたものとする。その第１基準穴２０１´および第２基準穴２０２´は、攪拌部材５２の軸線から見ると、収容部５１の内壁面との間に死角Ｂｓを形成してしまう。ここで、攪拌部材５２では、その軸線から放射方向に伸びて攪拌羽部５２ｂが設けられている。このため、上記したような死角Ｂｓが形成されると、攪拌部材５２を回転駆動させても死角Ｂｓに存在する現像剤Ｇを攪拌羽部５２ｂで攪拌することは困難となる。これに対して、実施例２のトナーカートリッジ５０２では、図５１（ａ）に示すように、第１基準壁部２０１ａと第２基準壁部２０２ａとが内側面に連続されていることから、上記したような死角Ｂｓが形成されることはなく、収容部５１内の現像剤Ｇを攪拌羽部５２ｂで満遍なく攪拌することができる。このため、攪拌部材５２の攪拌羽部５２ｂによる収容部５１に収容された現像剤Ｇの攪拌の効果を高めることができる。なお、この図５１では、理解容易のために、収容部５１の内方および攪拌部材５２の攪拌羽部５２ｂを簡略化しつつその攪拌羽部５２ｂの変化を強調して示しているが、必ずしも実際の構成および他の図面と一致するものではない。
【０２３０】
トナーカートリッジ５０２（５０２Ｙ、５０２Ｍ、５０２Ｃ、５０２ＢＫ）では、第１シャッタ６２２においてシャッタシール７７２の先端部７７２ａが設置部７４の先端面７４ａよりもＺ軸方向正側へと突出されていることから、第１シャッタ６２２（その設置部７４の先端面７４ａ）がトナー容器固定部９０２の第１段部９９に当たると、この先端部７７２ａを含むシャッタシール７７２の突出された箇所を第１段部９９との間で圧縮させることができる。このため、第１シャッタ６２２が第１段部９９による制限位置となり排出口５５と補給口部９６のトナー補給口９６ａとが接続された状態では、第１段部９９すなわち補給口部９６と第１シャッタ６２２との間をシャッタシール７７２の圧縮された箇所で塞ぐことができる。このことから、不測の事態が生じることにより、排出口５５からトナー補給口９６ａへと排出される現像剤Ｇが、排出口５５とトナー補給口９６ａとの間から漏れ出してしまった場合であっても、補給口部９６と第１シャッタ６２２との間から容器収容部２２０の内方へと現像剤Ｇが漏れ出すことを防止することができる。
【０２３１】
同様に、本発明に係る実施例２の粉体補給装置としてのトナー補給装置４３では、基本的には実施例１のトナー補給装置４３と等しい構成であることから、同様の効果を得ることができる。
【０２３２】
それに加えて、実施例２のトナー補給装置４３では、１対の開放突起押当部２１２が設けられているので、第２受入凹部９２に第２シャッタ６３２が進入されると、その各腕部８１２の開放突起部分８１２ｄ（その開放傾斜面８１２ｅ）に押当本体部２１２ｂ（その突出端２１２ｃおよび押当傾斜面２１２ｄ）をＺ軸方向で当てることで、開放傾斜面８１２ｅと突出端２１２ｃおよび押当傾斜面２１２ｄとの案内作用により、各腕部８１２をＸ軸方向の外側へと変位させることができ、その引掛片部分８１２ｂをＸ軸方向で見て側壁部８０（両腕部８１２）よりも外側に変位（突出）させることができる。このため、引掛片部分８１２ｂを対応する固定溝部９３に進入させることができ、第２段部９８による制限位置の近傍で第２シャッタ６３２のＺ軸方向負側への移動を防止することができる。
【０２３３】
したがって、本発明に係る実施例２の粉体収納容器としてのトナーカートリッジ５０２（５０２Ｙ、５０２Ｍ、５０２Ｃ、５０２ＢＫ）では、誤って粉体排出口としての排出口５５が開放されてしまうことを抑制することができる。
【０２３４】
なお、上記した実施例２では、両開放突起押当部２１２が各腕部８１２を変形させてその引掛片部分８１２ｂを固定溝部９３に進入させる構成としていたが、両開放突起押当部２１２は、押当本体部２１２ｂの突出端２１２ｃおよび押当傾斜面２１２ｄと、第２シャッタ６３２の各腕部８１２の開放突起部分８１２ｄの開放傾斜面８１２ｅと、の案内作用により、各腕部８１２（その引掛片部分８１２ｂ）をＸ軸方向の外側へと移動させるものであれば、そのＸ軸方向の外側へと移動された各腕部８１２の突出端８１２ａが第１シャッタ６２２の各側壁部７１に当たることで、その各突出端８１２ａがＸ軸方向の外側へと変位しつつＺ軸方向に沿って伸びるように変形されて、その各引掛片部分８１２ｂが固定溝部９３に進入するものであってもよく、上記した実施例２に限定されるものではない。
【０２３５】
また、上記した実施例２（実施例１でも同様である）では、図３５を正面視した右側の案内壁部５０ｄの先端（Ｚ軸方向正側の端部）にシャッタ保護部５０ｅを設けていたが、トナーカートリッジ５０２がＺ軸方向正側へと移動された際、何らかの意図しない物体がＺ軸方向正側に存在した場合に、第１シャッタ６２２や第２シャッタ６３２よりも先に当該物体に接触することができるものであれば、両案内壁部５０ｄに設けられていても良く、図３５を正面視した左側の案内壁部５０ｄに設けられていても良く、上記した実施例２に限定されるものではない。
【０２３６】
さらに、上記した実施例２では、第１基準穴２０１の第１基準壁部２０１ａと第２基準穴２０２の第２基準壁部２０２ａとを収容部５１すなわちトナーカートリッジ５０２の内側面に連続させて設けていたが、トナーカートリッジ５０２の側面の内方に設ける（側壁を第１基準穴２０１もしくは第２基準穴２０２を内方に形成することのできる肉厚寸法とする）ものであってもよく、上記した実施例２に限定されるものではない。
【０２３７】
なお、上記した各実施例では、本発明に係る粉体収納容器としてのトナーカートリッジについて説明したが、画像形成に用いられる現像剤を収容する粉体収容部と、該粉体収容部に収容された前記現像剤を排出すべく前記粉体収容部に設けられた粉体排出口と、該粉体排出口を開閉するシャッタ機構と、を備え、該シャッタ機構は、前記粉体排出口を塞ぐ封止位置と前記粉体排出口を開放する開放位置との間で移動可能であり、前記封止位置での固定を解除すべく押される固定解除部が設けられた第１シャッタと、前記固定解除部との干渉が可能な解除操作突起を有し、該解除操作突起を前記固定解除部に干渉させることなく前記固定解除部を覆う被覆位置と前記解除操作突起で前記固定解除部を押す解除操作位置との間で移動可能な第２シャッタと、を有する粉体収納容器であればよく、上記した各実施例に限定されるものではない。
【０２３８】
また、上記した各実施例では、第２シャッタ６３（第２シャッタ６３２）の両腕部８１の引掛片部分８１ｂ（両腕部８１２の引掛片部分８１２ｂ）と、トナー容器固定部９０（トナー容器固定部９０２）の各固定溝部９３（その固定壁面９３ａ）と、により、トナー容器固定部９０（トナー容器固定部９０２）に対して第２段部９８による制限位置（その近傍）からの第２シャッタ６３（第２シャッタ６３２）のＺ軸方向負側への移動を防止するものとしていたが、トナー容器固定部９０（トナー容器固定部９０２）からトナーカートリッジ５０（トナーカートリッジ５０２）を取出方向（Ｚ軸方向負側）へと移動する際に、第２シャッタ６３（第２シャッタ６３２）を第２段部９８による制限位置（その近傍）に留めるものであればよく、上記した各実施例に限定されるものではない。
【０２３９】
さらに、上記した各実施例では、各固定爪部９５と、第１シャッタ６２（第１シャッタ６２２）の両側壁部７１の固定壁部７５（その被引掛面７５ａ）と、により、トナー容器固定部９０（トナー容器固定部９０２）に対して第１段部９９による制限位置からの第１シャッタ６２（第１シャッタ６２２）のＺ軸方向負側への移動を防止するものとしていたが、トナー容器固定部９０（トナー容器固定部９０２）からトナーカートリッジ５０（トナーカートリッジ５０２）を取出方向（Ｚ軸方向負側）へと移動する際に、第１シャッタ６２（第１シャッタ６２２）を第１段部９９による制限位置に留めるものであればよく、上記した各実施例に限定されるものではない。
【０２４０】
上記した各実施例では、トナー補給装置４３（トナー容器固定部９０（トナー容器固定部９０２））は、カラープリンタとしての画像形成装置１０（画像形成装置１０２）に適用した例を示していたが、単色の画像を形成する画像形成装置に適用してもよく、上記した各実施例に限定されるものではない。
【０２４１】
上記した各実施例では、キャリアとトナーとからなる２成分現像剤を用いる例を示していたが、トナーからなる１成分現像剤を用いるものであってもよく、上記した各実施例に限定されるものではない。すなわち、粉体収納容器は、画像形成に用いられる粉体として、トナー、または、トナーを静電的に付着するキャリア、または、トナーとキャリアとを所定の割合で混合したもの（いわゆるプレミックストナー）を収容するものであればよい。いずれの場合であっても、上述した本願発明と同様の効果を得ることができる。
【０２４２】
上記した各実施例では、単一の攪拌部材５２を設けたトナーカートリッジ５０およびトナーカートリッジ５０２を示していたが、図５２に示すように、攪拌部材５２を２つ設けるトナーカートリッジ５０３であってもよく、上記した各実施例に限定されるものではない。そのトナーカートリッジ５０３では、２つの攪拌部材５２を設けることに伴い、各攪拌部材５２の連結箇所５２２ａを収容部５１の前面（Ｚ軸方向正側の面）から露出させるために、２つの連結開口部５８３を設けている。この両連結開口部５８３は、連結開口部５８もしくは連結開口部５８２と同様の構成である。トナーカートリッジ５０３は、攪拌部材５２（連結開口部５８３）を２つ設けることを除くと、実施例２のトナーカートリッジ５０２と同様の構成である。このトナーカートリッジ５０３では、攪拌部材５２を２つ設けていることから、収容部５１に収容する現像剤Ｇを攪拌する力（攪拌力）を向上させることができる。
【０２４３】
上記した実施例１では、トナーカートリッジ５０、トナー容器固定部９０および画像形成装置１０を用いた例を示し、かつ実施例２では、トナーカートリッジ５０２、トナー容器固定部９０２（容器収容部２２０）および画像形成装置１０２を用いた例を示していたが、それらの各構成を他方の実施例に適用しても（各構成を適宜組み合せても）よく、上記した各実施例の構成に限定されるものではない。
【０２４４】
以上、本発明の粉体収納容器および粉体補給装置（画像形成装置）を各実施例に基づき説明してきたが、具体的な構成については各実施例に限られるものではなく、本発明の要旨を逸脱しない限り、設計の変更や追加等は許容される。また、前記構成部材の数、位置、形状等は各実施例に限定されず、本発明を実施する上で好適な数、位置、形状等にすることができる。
【符号の説明】
【０２４５】
１０、１０２  画像形成装置
４３  （粉体補給装置の一例としての）トナー補給装置
５０、５０２  （粉体収納容器の一例としての）トナーカートリッジ
５０ｂ  （一側面の一例としての）下壁部
５１  （粉体収容部の一例としての）収容部
５５  （粉体排出口の一例としての）排出口
６０、６０２  シャッタ機構
６１  （一側面において粉体排出口が設けられた箇所の一例としての）取付突部
６２、６２２  第１シャッタ
６３、６３２  第２シャッタ
６５  固定突起
７２  固定片部
７３  （固定解除部の一例としての）解除突起
７９  解除操作突起
８１、８１２  腕部
８１ｂ、８１２ｂ  引掛片部分
９０、９０２  （容器固定部の一例としての）トナー容器固定部
９２  第２受入凹部
９３  固定溝部
９４  第１受入凹部
９５  固定爪部
９６  （粉体補給口部の一例としての）補給口部
９６ａ  （粉体補給口の一例としての）トナー補給口
９８  第２段部
９９  第１段部
Ｇ  現像剤
【先行技術文献】
【特許文献】
【０２４６】
【特許文献１】特開２０１１−７６０６４号公報
【図１】
0005435116.tif 000002
【図２】
0005435116.tif 000003
【図３】
0005435116.tif 000004
【図４】
0005435116.tif 000005
【図５】
0005435116.tif 000006
【図６】
0005435116.tif 000007
【図７】
0005435116.tif 000008
【図８】
0005435116.tif 000009
【図９】
0005435116.tif 000010
【図１０】
0005435116.tif 000011
【図１１】
0005435116.tif 000012
【図１２】
0005435116.tif 000013
【図１３】
0005435116.tif 000014
【図１４】
0005435116.tif 000015
【図１５】
0005435116.tif 000016
【図１６】
0005435116.tif 000017
【図１７】
0005435116.tif 000018
【図１８】
0005435116.tif 000019
【図１９】
0005435116.tif 000020
【図２０】
0005435116.tif 000021
【図２１】
0005435116.tif 000022
【図２２】
0005435116.tif 000023
【図２３】
0005435116.tif 000024
【図２４】
0005435116.tif 000025
【図２５】
0005435116.tif 000026
【図２６】
0005435116.tif 000027
【図２７】
0005435116.tif 000028
【図２８】
0005435116.tif 000029
【図２９】
0005435116.tif 000030
【図３０】
0005435116.tif 000031
【図３１】
0005435116.tif 000032
【図３２】
0005435116.tif 000033
【図３３】
0005435116.tif 000034
【図３４】
0005435116.tif 000035
【図３５】
0005435116.tif 000036
【図３６】
0005435116.tif 000037
【図３７】
0005435116.tif 000038
【図３８】
0005435116.tif 000039
【図３９】
0005435116.tif 000040
【図４０】
0005435116.tif 000041
【図４１】
0005435116.tif 000042
【図４２】
0005435116.tif 000043
【図４３】
0005435116.tif 000044
【図４４】
0005435116.tif 000045
【図４５】
0005435116.tif 000046
【図４６】
0005435116.tif 000047
【図４７】
0005435116.tif 000048
【図４８】
0005435116.tif 000049
【図４９】
0005435116.tif 000050
【図５０】
0005435116.tif 000051
【図５１】
0005435116.tif 000052
【図５２】
0005435116.tif 000053